(57)【要約】  例えば洗剤、クリーナーまたは化粧品であり得る、酸化剤含有芳香性消費財を記載する。該消費財は、ある種の物質からなる香料を一定最低量含む。それらは、消費財の芳香および酸化剤の有効性のいずれに関しても、非常に良好な（貯蔵）安定性を特徴とする。【特許請求の範囲】
【請求項１】
酸化剤および香料組成物を含んで成る消費財であって、香料全量に基づいた重量％で表して、含まれる香料の少なくとも５０重量％が、下記種類の物質：
・飽和アルコール
・飽和エステル
・飽和エーテル
・飽和置換基含有芳香族化合物
・ニトリル
・飽和アセタール
・飽和ヘミアセタール
の少なくとも１つに帰因し得る香料から選択される消費財。
【請求項２】
酸化剤が、好ましくは酸素に基づいた、酸化漂白剤、特に好ましくは過カルボン酸である、請求項１に記載の製剤。
【請求項３】
過カルボン酸を含み、該過カルボン酸が、有利には、モノ−およびジ−過カルボン酸、特にドデカンジペルオキソ酸または好ましくはイミド過カルボン酸、好適には６−フタルイミド過カプロン酸（６−フタルイミド過ヘキサン酸、ＰＡＰ）から選択され、および／または該過カルボン酸が大気圧下で２５℃超、特に３５℃超、好ましくは４５℃超、好適には５０℃超、特に好ましくは１００℃超の融点を有する、請求項２に記載の製剤。
【請求項４】
酸化剤、特に過カルボン酸が、本質的に粒子状であり、好ましくは被覆されており、被膜の重量が、有利には、酸化剤を含む粒子全体、好ましくは顆粒に基づいて０．１〜３０重量％である、請求項１〜３のいずれかに記載の製剤。
【請求項５】
製剤全体に各々基づいて、少なくとも０．０１重量％の界面活性剤、特に、好ましくは０．１〜３０重量％の割合でアニオン性界面活性剤、および／または好ましくは０．１〜３０重量％の割合で非イオン性界面活性剤を含む、請求項１〜４のいずれかに記載の製剤。
【請求項６】
製剤が、製剤全体に基づいて好ましくは少なくとも０．１重量％、有利には少なくとも３重量％、特に５〜３０重量％の割合で、電解質、特に有機および／または無機塩、とりわけリン酸塩、クエン酸塩および／または硫酸塩、特に好ましくは硫酸ナトリウムを含む、請求項１〜５のいずれかに記載の製剤。
【請求項７】
製剤が、製剤全体に基づいて好ましくは３０重量％まで、特に０〜１０重量％の割合で、特に、
ａ）窒素不含有錯体形成物、例えば好ましくは、アルカリ金属ポリホスホン酸塩、モノ−またはポリ−ホスホン酸、特に、１−ヒドロキシエチリデン−１，１−ジホスホン酸（ＨＥＤＰ）、クエン酸および／または短鎖ジカルボン酸、および／または
ｂ）キノリンおよび／またはその塩、ピコリン酸およびジピコリン酸、エチレンジアミン四酢酸（ＥＤＴＡ）、ジエチレントリアミンペンタ（メチレンホスホン酸）（ＤＴＰＭＰ）、アザシクロヘプタンジホスホネート（ＡＨＰ）、ニトリロ三酢酸（ＮＴＡ）、アミノポリカルボン酸、アミノヒドロキシポリカルボン酸、ポリホスホン酸およびアミノポリホスホン酸から成る群から選択される錯化剤
を含み得る錯化剤を含有する、請求項１〜６のいずれかに記載の製剤。
【請求項８】
製剤が、各々の場合、製剤全体に基づいて好ましくは０〜１０重量％の割合で、酵素を含む、請求項１〜７のいずれかに記載の製剤。
【請求項９】
製剤が、ビルダー、特に脂肪酸、好ましくは飽和および／または分枝脂肪酸、特に３０℃未満の融点を有するもの、および／またはクエン酸および／またはクエン酸塩を、好ましくは０〜１５重量％の割合で、および／またはポリアクリレートを、好ましくは０〜１５重量％の割合で、および／またはホスホネートを含み、各々の場合において重量％の記載が製剤全体に基づく、請求項１〜８のいずれかに記載の製剤。
【請求項１０】
製剤が、少なくとも本質的にハロゲン化物イオン、特に塩化物イオンを含まず、ハロゲン化物イオン、特に塩化物イオンの割合が有利には５００ｐｐｍ以下、好ましくは１００ｐｐｍ以下、特に３０ｐｐｍ以下である、請求項１〜９のいずれかに記載の製剤。
【請求項１１】
各々の場合、製剤中の香料全量に基づいた重量％で表して、含まれる香料の、３０重量％未満、好ましくは２０重量％未満、有利には１５重量％未満、より有利には１０重量％未満、更に有利には５重量％未満、より有利には３重量％未満、更に有利には２重量％未満、より有利には１重量％未満、特に０．５重量％未満、とりわけ０重量％が、アルデヒド官能基（ＲＣＨ＝Ｏ）および／またはケト基（ＲＲ’Ｃ＝Ｏ）を有する香料から選択される、請求項１〜１０のいずれかに記載の製剤。
【請求項１２】
製剤が液体状、好ましくは含水状または不含水状、有利には分散液、好ましくはエマルションまたは懸濁液である、請求項１〜１１のいずれかに記載の製剤。
【請求項１３】
注入可能であり、好ましくは、２５℃の温度および３０ｓ−１の剪断速度で１００〜１０，０００ｍＰａｓの粘度を有する、請求項１２に記載の製剤。
【請求項１４】
７以下のｐＨ、特に３．５〜７のｐＨ、好ましくは４．０〜６．５のｐＨ、特に好ましくは４．５〜６のｐＨ、極めて好ましくは約５のｐＨを有する、請求項１〜１３のいずれかに記載の製剤。
【請求項１５】
固体、好ましくは粉体である、請求項１〜１１のいずれかに記載の製剤。
【請求項１６】
例えば、加圧、圧延、ブリケット化、ペレット化、押出、凝集のような加工法または他の応用圧縮加工法によって得られる、圧縮体である、請求項１５に記載の製剤。
【請求項１７】
成形体、好ましくはタブレットまたはブロックまたはストランドである、請求項１５または１６のいずれかに記載の製剤。
【請求項１８】
本発明の製剤中の香料組成物が、香料全体に基づいた重量％で表して、少なくとも５０重量％、少なくとも６０重量％、少なくとも７０重量％、少なくとも８０重量％、少なくとも９０重量％、少なくとも９１重量％、好ましくは少なくとも９２重量％、有利には少なくとも９４重量％、より有利には少なくとも９６重量％、更に有利には少なくとも９８重量％、より有利には少なくとも９９重量％、特に１００重量％の下記群から選択される香料を含む、請求項１〜１７のいずれかに記載の製剤：シトロニトリル、ｏ−ｔ−ブチルシクロヘキシルアセテート、サリチル酸シクロヘキシル、（＋）−（１’Ｒ，３Ｓ，６’Ｓ）−１−（２’，２’，６’−トリメチル−１’−シクロヘキシル）−３−ヘキサノール、（−）−（１’Ｓ，３Ｒ，６’Ｒ）−１−（２’，２’，６’−トリメチル−１’−シクロヘキシル）−３−ヘキサノール、（＋）−（１’Ｒ，３Ｒ，６’Ｓ）−１−（２’，２’，６’−トリメチル−１’−シクロヘキシル）−３−ヘキサノール、（−）−（１’Ｓ，３Ｓ，６’Ｒ）−１−（２’，２’，６’−トリメチル−１’−シクロヘキシル）−３−ヘキサノール、フェニルエチルアルコール、２−シクロヘキシリデン−２−フェニルアセトニトリル、デカヒドロ−ｂ−ナフチルアセテート、ｐ−クレシルアセテート、メチルフェニルアセテート、アリルアミルグリコレート、酢酸ベンジル、シクロヘキシルエチルアセテート、エチル−２−シクロヘキシルプロピオネート、フェニルエチルアセテート、シクロペンチリデン酢酸メチルエステル［CAS番号：0040203-73-4］、アリル（シクロヘキシルオキシ）アセテート、２，４−ジメチル−１，３−ジオキソラン−２−酢酸エチルエステル、３，１２−トリデカジエンニトリル、酢酸アミル、酢酸イソアミル、フェニル酢酸エチル、２−プロペニルフェノキシアセテート、酢酸イソボルニル、ジメチルベンジルカルビニルアセテート、酢酸ヘキシル、イソブチルフェニルアセテート、シス−ｐ−ｔ−ブチルシクロヘキシルアセテート、トランス−ｐ−ｔ−ブチルシクロヘキシルアセテート、ヒドロシンナミルアルコール、２，６−ジメチルヘプタン−２−オール、デカノール、オクタノール、２，６−ジメチルビシクロ−［４．４．０］−デカン−１−オール（ジプロピレングリコール中０．１％）、テトラヒドロムグオール［＝テトラヒドロリナロール（３，７−ジメチルオクタン−３−オール）／テトラヒドロミルセノール（２，６−ジメチル−２−オクタノール）混合物（１：１）］、ジヒドロテルピネオール、α，３，３−トリメチルシクロヘキシルメチルホルメート、オクタノール−３、ヘキサノール、２，２，６−トリメチル−α−プロピルシクロヘキサンプロパノール、デカヒドロ−ｂ−ナフチルホルメート、（１’Ｓ，１”Ｓ，２’Ｓ，３”Ｒ，５”Ｒ）−［１−メチル−２−（１，２，２−トリメチルビシクロ［３．１．０］−ヘキサ−３−イルメチル）シクロプロピル］メタノール、（１’Ｒ，１”Ｒ，２’Ｒ，３”Ｓ，５”Ｓ）−［１−メチル−２−（１，２，２−トリメチルビシクロ［３．１．０］−ヘキサ−３−イルメチル）シクロプロピル］メタノール、（１’Ｒ，１”Ｓ，２’Ｒ，３”Ｒ，５”Ｒ）−［１−メチル−２−（１，２，２��トリメチルビシクロ［３．１．０］−ヘキサ−３−イルメチル）シクロプロピル］メタノール、（１’Ｓ，１”Ｒ，２’Ｓ，３”Ｓ，５”Ｓ）−［１−メチル−２−（１，２，２−トリメチルビシクロ［３．１．０］−ヘキサ−３−イルメチル）シクロプロピル］メタノール、ボルネオール、ジプロピレングリコール、テトラヒドロゲラニオール、テトラヒドロリナロール、２，２，６−トリメチル−α−プロピルシクロヘキサンプロパノール（Timberol forte）、α−メチル−４−（１−メチルエチル）シクロヘキサンメタノール、イソシクロゲラニオール、フェンチルアルコール、（−）−（２Ｒ，４Ｓ）−２−イソブチル−４−メチルテトラヒドロ−２Ｈ−ピラン−４−オール、（＋）−（２Ｓ，４Ｒ）−２−イソブチル−４−メチルテトラヒドロ−２Ｈ−ピラン−４−オール、（＋）−（２Ｓ，４Ｓ）−２−イソブチル−４−メチルテトラヒドロ−２Ｈ−ピラン−４−オール、（−）−（２Ｒ，４Ｒ）−２−イソブチル−４−メチルテトラヒドロ−２Ｈ−ピラン−４−オール、安息香酸メチル、安息香酸エチル、サリチル酸メチル、プロピオン酸アミル、２，６，６−トリメチル−１，３−シクロヘキサジエン−１−カルボン酸エチルエステル、プロピオン酸ベンジル、サリチル酸エチル、２−メトキシ−４−ホルミル−フェニルイソブチレート（Isobutavan）、カプリル酸エチル、カプロン酸アリル、２−メチル−２−ブテン酸 ２−メチルプロピルエステル、２−エチルエチルヘキサノエート（Irotyl）、２−メチルペンタン酸 ２−メチルペンチルエステル、ジャスマシクレート、２，５−ジメチル−４，６−ジヒドロキシ安息香酸メチルエステル、２−メチル吉草酸エチル、ヘプタン酸 ２−プロペニルエステル（アリルヘプタノエート−アリルエナンテート）、アントラニル酸メチル、フェニル酢酸、アリルシクロヘキシルプロピオネート、２−ノニン酸メチルエステル、サリチル酸シクロヘキシル、２−ｔ−ブチル−シクロヘキシルエチルカーボネート、２，２，４−トリメチルカプロン酸エチルエステル、エチルエステルラブダナム抽出物（Ambrarome）、酢酸スチリル、ヒドロキノンジメチルエーテル、ジフェニルエーテル、ｐ−クレシルメチルエーテル、ｐ−シメン、フェニルエチルイソアミルエーテル、フェニルエチルメチルエーテル、４−イソプロピル−５，５−ジメチル−１，３−ジオキサン、２，２，５，５−テトラメチル−４−イソプロピル−１，３−ジオキサン、５−メチル−５−プロピル−２−（１−メチルブチル）−１，３−ジオキサン、アネトール、２−フェニル−プロピオンアルデヒドジメチルアセタール、フランビノンメチルエーテル、クマリン、イソクマリン、アセトフェノン、１，１，２，３，３−ペンタメチル−６，７−ジヒドロ−４（５Ｈ）−インダノン、γ−オクタラクトン、エチルアミルケトン、合成カンファー、オキサシクロ−ヘプタデセ−８−エン−２−オン、２−ヘプチルシクロペンタノン、２−（１−メチルプロピル）−シクロヘキサノン、４−ｔ−ブチル−２，６−ジメチルアセトフェノン、シクロペンタデカノリド、３−メチルシクロペンタデカノン、ジヒドロジャスモン、ジヒドロ−イソ−ジャスモン、γ−デカラクトン、メチルオクタラクトン、１，４−ジオキサシクロヘキサデカン−５，１６−ジオン、４−（２−ブテニリデン）−３，５，５−トリメチル−２−シクロヘキセン−１−オン、エチル−２，２，６−トリメチルシクロヘキサンカルボキシレート、桂皮酸ニトリル、ラウリン酸ニトリル、ヒドロシトロニトリル、２−ベンジル−２−メチル−３−ブテンニトリル、３−メチルドデカノニトリル、シトロニトリル、トリデセン−２−ニトリル、＊３（４，７，７−トリメチルビシクロ［４．１．０］ヘプト−３−イル−２−プロペニルニトリル、Irolene p、８−α−１２−オキシド−１３，１４，１５，１６−テトラノルラブダン、３，３，５−トリメチルシクロヘキシルエチルエーテル、Irival（７０％の４−ｔ−ペンチルシクロヘキサノン、１０％の白色鉱油、１０％のノン−２−エンニトリル、１０％のセバシン酸ジブチル）、イソブチルキノリン、５−エチリデンビシクロ［２．２．１］−２−ヘプテン−２−メトキシフェノール付加物、メチルブチル−２ プロピオネート、インデノ［１，２−ｄ］−テトラヒドロ−１，３−ジオキサン、ドデカヒドロ−３ａ，６，６，９ａ−テトラメチルナフト（２，１−ｂ）−フラン、２，４−ジメチル−４−フェニルテトラヒドロフラン、スピロ［１，３−ジオキソラン−２，５’−（４’，４’，８’，８’−テトラメチルヘキサヒドロ−３’，９’−メタノナフタレン）］、メチルジヒドロジャスモネート、メチル ３−オキソ−２−ペンチルシクロペンタンアセテート、ｏ−（アリルオキシ）アニソール、ジヒドロミルセノール、９−デセン−１−オール、テトラヒドロミルセノール、ヘキサヒドロ−４，７−メタノインデン−６−イルアセテート、２−フェノキシエチルイソブチレート、２−メチルプロペン酸 １，３−ジメチル−３−ブテニルエステル、ｐ−メチルアセトフェノン、４−フェニル−２−ブタノン、１−（５，５−ジメチル−１−シクロヘキセン−１−イル）−４−ペンテン−１−オン、３−ヒドロキシ−１−メチル−４−イソプロピルベンゼン（CAS番号：89-83-8）。
【発明の詳細な説明】
【技術分野】
【０００１】
本発明は、酸化剤、およびある種の物質からなる香料を一定最低割合含む香料組成物を含んで成る消費財に関する。該消費財は、例えば洗剤、クリーナーまたは化粧品であり得る。
【背景技術】
【０００２】
一般に、洗剤またはクリーナーのような典型的な消費財への香料の使用は、２つの異なった目的を果たす。１つは、消費財自体が香るようにすることである。もう１は、消費財が作用する対象が香りを放つようにすることである。例として洗剤またはクリーナーを用いると、洗浄したての表面または洗いたての洗濯物は、できるだけ長く続くべき「新たに洗浄された」芳香の効果を与えることが意図される。更に、時にはかなり強力である、洗剤およびクリーナー本来の芳香は隠されるべきである。
【０００３】
多くの消費者にとって、洗剤およびクリーナーの分野において絶えずより複雑になる製品群を考慮すると、洗剤またはクリーナーのような消費財の芳香は、最終的に、歓迎される差別化の可能性をもたらす。
【０００４】
従って、消費者は通常、消費財自体または消費財で処理された対象によって良い芳香が放たれるように、有効に作用するだけでなく審美的な知覚に訴える消費財を購入したがる。例えば、消費者は、布地または硬質表面上の汚れが適当な消費財で除去されることを期待し、更に、少なくとも該消費財が、しかしながらより良好には処理された対象さえも、良い芳香を有することを期待する。この消費者の期待は非常に大きく、例えば、洗浄された対象からの適当な芳香さえも期待する。この芳香（例えばトイレクリーナー用の「シトラスフレッシュ」）が十分ではない場合、消費者は、消費財が本当に有効であることを実際に疑うであろう。
【０００５】
製品の適当な芳香付けは、特に大規模で製造される安価な製品の芳香付けに関して、欠点を有する。それはコストに起因するだけでなく、例えば材料と不安定な香料との不適合性にも起因する。そのような芳香付けは、芳香付与製品の芳香特性に関して極めて不十分にしか達成できない。
【０００６】
酸化能を有する製品の芳香付けには、特定の問題がある。多くのそのような場合、芳香付けは全く行われない。なぜなら、このような製品の芳香付けは、特に貯蔵後、製品の実質的な不安定性をしばしばもたらし、初めは良い香りがしていた芳香付与製品の香りは、数週間の貯蔵後には、中立であるだけでなく不快でさえあるように、劇的に否定的に変化するからである。従って、このような製品は、その芳香故に使用できなくなり、即ち売り物にならない。
【発明の開示】
【発明が解決しようとする課題】
【０００７】
このようなことから、本発明の目的は、酸化能を有する製品の芳香付けに関する問題を軽減する可能性を与えることである。
【課題を解決するための手段】
【０００８】
この問題は、酸化剤含有消費財、好ましくは香料組成物を含有する洗剤またはクリーナー或いは化粧品によって解決された。ここで、含まれる香料の少なくとも５０重量％、好ましくは少なくとも６０重量％、有利には少なくとも６５重量％、より有利には少なくとも７０重量％、更に有利には少なくとも７５重量％、より有利には少なくとも８０重量％、特に有利には少なくとも８５重量％（重量％の記載は香料全体に基づく）は、下記種類の物質の少なくとも１つに帰因し得る香料から選択される：
・飽和アルコール、好ましくは第一級、第二級および／または第三級飽和、任意に分枝または任意に環状のアルコール、
・飽和エステル、任意に分枝または環状飽和エステル、
・飽和エーテル、任意に分枝または環状飽和エーテル、
・飽和置換基含有芳香族化合物、任意に分枝飽和置換基含有芳香族化合物、
・ニトリル、任意にニトリル基で共役された不飽和を有するニトリル、
・飽和アセタール、任意に分枝または環状飽和アセタール、
・飽和ヘミアセタール。
【発明を実施するための最良の形態】
【０００９】
用語「消費財」、「製品」および「製剤」を同義語として使用しているが、本発明の消費財は、好ましくは、洗剤またはクリーナー或いは化粧品である。本発明の消費財は、家庭用品として使用できるが、工業用および施設用または業務用目的で使用することもできる。
【００１０】
本発明の洗剤またはクリーナーは、特に、液体状の洗剤またはクリーナー、とりわけスプレー状であるが、固体状の洗剤またはクリーナー、とりわけタブレット状、ピース状または粉末状も好ましい。
【００１１】
本発明の観点から特に好ましい製剤は、好ましくは繊維または布地対象物の洗濯、トリートメントおよび／またはケアのための、洗剤および洗濯ケア剤、例えば布地用洗剤、布地ケア物質、布地トリートメント物質、布地後処理物質、および全タイプのコンディショニング剤である。該製剤はまた、独立した漂白剤、例えば染み除去塩、液状漂白剤および洗浄力強化物質を含む。該製剤は、洗剤添加物としても前処理のためにも使用され得る。該製剤は、最後のすすぎに好ましくは添加され、抗菌剤または酸化剤および好ましくは非イオン性界面活性剤を含有する、衛生目的のすすぎ剤を含む。該製剤は、カーテン用洗剤および白い洗濯物用の特殊洗剤も含む。
【００１２】
好ましい洗剤は、特に、食器用洗剤、とりわけ食器洗浄機用洗剤、および硬質表面用クリーナーを含む。本発明の意味でのケア剤も含む特に好ましい洗剤は、例えば、万能洗剤または特殊洗剤、例として好ましくは、自動車用ケア剤または洗剤、オーブンクリーナー、浴室クリーナー、石灰除去剤、表面（壁面）クリーナー、窓クリーナー、染み除去剤、床ケア剤、床クリーナー、ガラス−セラミック製調理エリア用クリーナー、（手洗い用）食器洗剤、オーブンクリーナーまたはオーブンケア剤、皮革クリーナーまたは皮革ケア剤、金属つや出し剤、家具クリーナーまたは家具ケア剤、パイプクリーナー、衛生クリーナー、シャワー剤、カーペットクリーナーまたはカーペットケア剤、浴室クリーナー、トイレタンクまたは水洗ボックスの中に吊り下げるトイレフラッシングクリーナーであり、上記したように、各々は固体状または液体状である。
【００１３】
食器洗浄機用すすぎ剤は特に、最も好ましい洗浄剤の１つである。
【００１４】
好ましい洗浄剤は、特に、トイレクリーナーまたはＷＣクリーナー、即ち便器および小便器を洗浄するための製品も含み、好ましくは、粉末、タブレット、成形体または液体、好適にはジェルとして提供される。それらは好適には、酸化剤および香料並びに好ましくは界面活性剤のような他の慣用成分に加えて、石灰堆積物またはいわゆる尿石を除去するために有機酸（例えば、クエン酸および／または乳酸）または好ましくは硫酸水素ナトリウム、アミド硫酸またはリン酸を含む。フラッシングクリーナーは、トイレタンクまたは水洗ボックスの中に吊り下げて使用される。それらは好ましくは、少量の酸、界面活性剤、酸化剤および／または香料を供給し、それによって、汚れの堆積を遅らせる。
【００１５】
固体のトイレクリーナー、好ましくは粉末のトイレクリーナーの典型的な成分は、特に、例えば下記から好ましくは選択され得る：
・好ましくは０〜４０重量％、有利には０．１〜３０重量％、特に１５〜２０重量％の、アニオン性界面活性剤、
・好ましくは０〜１０重量％の、非イオン性界面活性剤、
・好ましくは３〜５０重量％、好適には５〜１０重量％の、有機酸または有機酸性塩、
・好ましくは３〜９５重量％、特に２５〜９０重量％の、無機酸または無機酸性塩、
・好ましくは０〜１０重量％、特に５重量％までの、アルカリ、
・好ましくは０〜３０重量％の、重炭酸ナトリウム、
・好ましくは０〜３０重量％の、中性塩、
・好ましくは０〜１０重量％の、炭酸ナトリウム、
・好ましくは０〜５重量％、特に１〜２重量％の、セルロース、
・好ましくは０〜１０重量％、特に０．１〜５重量％の、錯化剤、
・好ましくは１重量％未満の、着色料、
・好ましくは０．０１〜１０重量％の、香料、
・好ましくは０．０１〜２５重量％、特に０．１〜２０重量％の、酸化剤。各々の場合のパーセントは製剤全体に基づく。
【００１６】
トイレクリーナー、特に液状トイレクリーナーの典型的な成分は、例えば下記から選択され得る：
・好ましくは０〜３０重量％、有利には０．１〜２０重量％、特に１〜１０重量％の、アニオン性界面活性剤、
・好ましくは０〜２０重量％、特に１〜１０重量％の、非イオン性界面活性剤、
・好ましくは０〜５０重量％、有利には４〜４０重量％、特に３〜３０重量％の、有機酸または有機酸性塩、
・好ましくは０〜５重量％、特に０〜２重量％の、無機酸または無機酸性塩、
・好ましくは０〜１０重量％の、重炭酸ナトリウム、
・好ましくは０〜１０重量％の、中性塩、
・好ましくは０〜５重量％の、セルロース、
・好ましくは１重量％未満の、着色料、
・好ましくは０．０１〜１０重量％、特に０．０５〜５重量％の、香料、
・好ましくは０〜５重量％の、増粘剤、例えばキサンタン、
・好ましくは０〜９９重量％の、水、
・好ましくは０．０１〜２５重量％、特に０．１〜２０重量％の、酸化剤。各々の場合のパーセントは製剤全体に基づく。
【００１７】
トイレタンクまたはフラッシュタンクの中に吊り下げる（固体）フラッシングクリーナーの典型的な成分は、好ましくは下記から選択され得る：
・好ましくは０〜４０重量％、特に１５〜３０重量％の、界面活性剤、例えば、ＡＰＧ（アルキルポリグルコシド）、脂肪アルコールエトキシレート、脂肪アルキルスルフェート、脂肪アルキルエーテルスルフェート、直鎖アルキルベンゼンスルホネート、アルカンスルホネートなど、
・好ましくは０〜２０重量％、特に０．１〜１５重量％の、酸または酸性塩、例えば、蟻酸、酢酸、クエン酸、アミドスルホン酸、硫酸水素ナトリウム、ココ脂肪酸など、
・好ましくは０〜１０重量％、特に０．１〜５重量％の、錯化剤、例えば、クエン酸ナトリウムまたはホスホン酸ナトリウム、
・好ましくは０〜６０重量％、特に０．１〜３０重量％の、充填材、例えば硫酸ナトリウム、
・好ましくは１重量％未満の、着色料、
・好ましくは０．０１〜１０重量％、特に０．０５〜５重量％の、香料、
・好ましくは０．０１〜２５重量％、特に０．１〜２０重量％の、酸化剤。各々の場合の重量パーセントは製剤全体に基づく。
【００１８】
便器またはフラッシュタンクの中に吊り下げる（液状）フラッシングクリーナーの典型的な成分は、好ましくは下記から選択され得る：
・好ましくは０〜３０重量％、特に５〜２０重量％の、界面活性剤、例えば、ＡＰＧ、脂肪アルコールエトキシレート、脂肪アルキルスルフェート、脂肪アルキルエーテルスルフェート、直鎖アルキルベンゼンスルホネート、アルカンスルホネートなど、
・好ましくは０〜１０重量％、特に０．０１〜５重量％の、酸または酸性塩、例えば、蟻酸、酢酸、クエン酸、アミドスルホン酸、硫酸水素ナトリウム、ココ脂肪酸など、
・好ましくは０〜１０重量％、特に０．１〜５重量％の、錯化剤、例えば、クエン酸ナトリウムまたはホスホン酸ナトリウム、
・好ましくは０〜９９重量％の、水、溶媒、
・好ましくは１重量％未満の、着色料、
・好ましくは０．０１〜１０重量％の、香料、
・好ましくは０．０１〜２５重量％、特に０．１〜２０重量％の、酸化剤。各々の場合のパーセントは製剤全体に基づく。
【００１９】
好ましい洗剤は、特に、パイプ洗浄剤または下水管クリーナーも含む。これらは好ましくは、通常、毛髪、油脂、食品残渣、石鹸堆積物などのような有機物によるパイプ詰まりを取り除く働きをする強アルカリ性調製物である。ＡｌまたはＺｎ粉末の添加は、発泡作用を有するＨ２ガスを発生させる働きをする。酸化剤および香料に加えて、可能性のある成分は、好ましくは、アルカリ、アルカリ塩、および中性塩である。粉末として市販されている形態では、好ましくは、硝酸ナトリウムおよび塩化ナトリウムも含む。液状のパイプ洗浄剤は、好ましくは次亜塩素酸塩も含み得る。酵素に基づく下水管クリーナーもある。酸性調製物も可能である。酸化剤は、好ましくは０．０１〜６０重量％、特に４０重量％までの割合である。香料は、好ましくは０．０１〜１０重量％の割合であり、各々の場合の重量％は、製剤全体に基づく。
【００２０】
好ましい洗浄剤は、一般的なクリーナーまたは万能クリーナー或いは汎用クリーナーも含む。これらは一般的に、水分や湿気をぬぐい去ることができる、家庭用または商業用のあらゆる硬質表面に汎用することができるクリーナーである。概して、これらは中性または弱アルカリ性または弱酸性の製品、特に液状製品である。万能クリーナーまたは汎用クリーナーは、特に、下記から選択される成分を含み得る：
・好ましくは０〜２５重量％、特に０．１〜２０重量％の、界面活性剤、例えば、アルカンスルホネート（ＳＡＳ）、アルキルベンゼンスルホネート（ＬＡＳ）、アルキルポリグルコシド（ＡＰＧ）、脂肪アルコールポリグリコールエーテルスルフェート（ＦＡＥＳ）、脂肪アルコールポリグリコールエーテル（ＦＡＥ，ＦＡＥＯ）、
・好ましくは０〜１０重量％、特に０．１〜５重量％の、ビルダー、例えば、クエン酸三ナトリウム、ニトリロ三酢酸のナトリウム塩、ホスホン酸ナトリウム、三リン酸五ナトリウム、
・好ましくは０〜１０重量％、特に０．１〜５重量％の、溶媒およびヒドロトロープ、例えば、エタノール、プロピレングリコールエーテル、トルエンスルホン酸ナトリウムまたはクメンスルホン酸ナトリウム、
・好ましくは１重量％未満の、着色料、
・好ましくは０．０１〜１０重量％、特に０．０５〜５重量％の、香料、
・防腐剤、
・好ましくは０．０１〜３０重量％、特に０．１〜２０重量％の、酸化剤、
・好ましくは０．１〜１０重量％、特に０．１〜５重量％の、酸、例えば、酢酸、クエン酸またはマレイン酸、
・弱アルカリ性になるように調整された万能クリーナーの場合、好ましくは０〜５重量％の、アルカリ、例えば水酸化ナトリウムまたはソーダ、
・好ましくは０〜９９重量％の、水。各々の場合のパーセントは製剤全体に基づく。
【００２１】
特殊な殺菌性の万能クリーナーもある。それらは、抗菌活性成分（例えば、アルコール、第四級アンモニウム化合物、両性界面活性剤、またはトリクロサン）または増量した割合の、例えば製剤全体に基づいた重量％で好ましくは１重量％超の、酸化剤も含む。
【００２２】
好ましい洗浄剤は、特に、衛生クリーナーも含む。これらは風呂およびトイレ用の製品である。アルカリ性衛生クリーナーは、好ましくは脂汚れを除去するために使用され、酸性衛生クリーナーは、主に石灰堆積物を除去するために使用される。衛生クリーナーは、有利には、実質的な殺菌作用も有し、特に、強アルカリ性衛生クリーナーは塩素を含有する。
【００２３】
アルカリ性衛生クリーナーの成分は、特に、下記から選択される成分を含み得る：
・好ましくは０〜１０重量％、特に１〜５重量％の、アニオン性界面活性剤、
・好ましくは０〜５重量％、特に１〜３重量％の、非イオン性界面活性剤、
・好ましくは０〜１０重量％、特に１〜５重量％の、水酸化ナトリウム、
・好ましくは０．０１〜１０重量％、特に１〜５重量％の、酸化剤、例えば、次亜塩素酸ナトリウム、次亜塩素酸カルシウム、または過酸化水素、
・好ましくは０．０１〜１０重量％、特に０．０５〜５重量％の、香料、
・好ましくは０〜９９重量％の、水。各々の場合の重量％は製剤全体に基づく。酸性衛生クリーナーは、好ましくはアルカリを含まないが、代わりに、各々の場合、製剤に基づいた重量％で好ましくは０．０１〜３０重量％の割合で、酸または酸性塩を含む。
【００２４】
好ましい洗浄剤は、有利にはゲルまたはフォームスプレーの形態で市販されている、オーブンクリーナーまたはグリルクリーナーも含む。これらは一般に、焦げ付いたまたは炭化した食品残渣を除去するために使用される。オーブンクリーナーは、好ましくは、例えば水酸化ナトリウム、メタケイ酸ナトリウムまたは２−アミノエタノールを用いて、強アルカリ性になるように調整される。それらは一般に、好ましくはアニオン性および／または非イオン性界面活性剤、好適には水溶性溶媒、好ましくはポリカルボキシレートまたはカルボキシメチルセルロースのような増粘剤、酸化剤および香料も含む。
【００２５】
好ましい洗浄剤は、金属つや出し剤も含む。これらは、ステンレス鋼または銀のようなある種の金属のためのクリーナーである。ステンレス鋼クリーナーは、好ましくは、酸（好ましくは３重量％までの、例えばクエン酸または乳酸）、界面活性剤（特に５重量％までの、好ましくは非イオン性および／またはアニオン性界面活性剤）、水、および汚れを除去するための溶媒（好ましくは１５重量％まで）だけでなく、増粘剤および防腐剤のような他の物質も含む。好ましい光沢を有するステンレス鋼表面のための製品は、非常に細かい研磨剤も含む。銀つや出し剤もまた、好ましくは酸性になるように調整される。それらは好ましくは、特に硫化銀の黒色被膜を除去するために、錯化剤（例えばチオ尿素またはチオ硫酸ナトリウム）を含む。典型的な市販形態は、研磨布、浸漬浴、ペースト、または液体を含む。銅クリーナーおよび光輝金属クリーナー（例えば真鍮および青銅用）は、暗い変色（酸化層）を除去する働きをする。これらは、一般に（好ましくは、アンモニアで）弱アルカリ性とし、かつ一般に研磨剤および好ましくはアンモニウム塩も含み、および／または一般に研磨剤および好ましくはアンモニウム石鹸および／または錯化剤も含む。
【００２６】
好ましい洗浄剤は、ガラスクリーナーまたは窓クリーナーも含む。これらは好ましくは、特にガラス表面から脂肪汚れを除去する働きをする。それらは好ましくは、下記から有利には選択され得る物質を含む：
・アニオン性および／または非イオン性界面活性剤（特に５重量％まで）、
・アンモニアおよび／またはエタノールアミン（特に１重量％まで）、
・エタノールおよび／または２−プロパノール、グリコールエーテル（特に１０〜３０重量％）、
・水、
・防腐剤、
・着色料、
・香料、
・酸化剤、
・曇り防止剤など。各々の場合の重量％は製剤全体に基づく。
【００２７】
好ましい洗浄剤は、全ての特殊洗浄剤、例えば、ガラス−セラミック製調理エリア用クリーナー、カーペットおよびクッションクリーナー、並びに染み除去剤も含む。
【００２８】
本発明の好ましい他の製品はカーケア製剤である。好ましいカーケア製品は、特に、塗料防腐剤、塗料つや出し剤、塗料クリーナー、洗剤防腐剤、洗車シャンプー、洗車およびワックス製品、装飾金属用つや出し剤、装飾金属用保護被膜、プラスチッククリーナー、タール除去剤、タイヤクリーナー、エンジンクリーナーなどを含む。
【００２９】
本発明のクリーナーは、ガラス、磁器製品、プラスチック、布地、皮革、塗料または木材のような表面を洗浄するために、極めて一般的に使用され得る。
【００３０】
通常大きなパッケージで供給されている施設用または業務用クリーナーは、例えば、公共の建物、学校、オフィスビル、ホテル、ゲストハウスおよび病院における、運営上の洗浄および衛生に合わせて好ましくは設計されている。このような製品は、好ましくは確かな表面殺菌作用が確実となり得るように、好適には調製される。それらは例えば、高い割合の酸化剤、例えば各々の場合、製剤全体に基づいた重量％で１重量％超、または３重量％超、或いは５重量％超の酸化剤を含む。
【００３１】
産業用クリーナーは、一般に、産業界、特に飲料、金属、食品、化粧品および医薬品産業界において、例えば乗物洗浄プラント用クリーナー、タンク車および航空機クリーナーとして使用される。
【００３２】
特に、産業用クリーナーは、場合によって要求される生産性を達成するために、特に低発泡性の界面活性剤（例えば、特殊な非イオン性界面活性剤、例として、エチレンオキシド−プロピレンオキシドブロックコポリマー、およびいわゆる末端基ブロックトアルキルエトキシレート）を用いて有利には調製され得る。
【００３３】
それらは、高い割合の酸化剤、例えば各々の場合、製剤全体に基づいた重量％で１重量％超、または３重量％超、或いは５重量％超の酸化剤を含む。
【００３４】
本発明の好ましい化粧品は、特に下記を含む：
（ａ）スキンケア用化粧品、例えば好ましくは、入浴製剤、皮膚洗浄・クリーニング製剤、スキンケア製剤、眼用化粧品、リップケア製剤、ネイルケア製剤、インティメイトケア製剤、またはフットケア製剤、
（ｂ）特殊な効果を有する化粧品、例えば好ましくは、脱色素製剤、消臭剤、制汗剤、除毛剤、脱毛剤、芳香剤、
（ｃ）オーラルケア・デンタルケア用化粧品、例えば好ましくは、オーラルケア・デンタルケア用製剤、義歯ケア製剤、入れ歯洗浄剤、入れ歯接着剤、
（ｄ）ヘアケア用化粧品、例えば好ましくは、洗髪製剤、ヘアケア製剤、毛髪固定製剤、ヘアトリートメント製剤、ヘアウォーター、整髪剤、毛染め剤、漂白剤。
【００３５】
本発明の消費財の好ましい成分は、その機能によって規定され得る。もちろん、多くの成分は多機能でもある。
【００３６】
本発明の消費財、好ましくは化粧品の好ましい成分は、下記から選択され得る。
ａ）吸収剤
これらは、水および／または溶性物質または微粉物質を吸収する機能を有する。
ｂ）抗菌物質
これらは、一般に例えば皮膚上および口腔内の微生物の活性を抑えるために製品に添加され得る。
ｃ）酸化防止剤、好ましくは酸化剤の特殊な調製によって別々に存在するもの
これらは、酸素により誘発される酸化のような反応を防ぐように作用して、製品の使用寿命を延長する、即ち、製品の品質を保持することを意図する。
ｄ）制汗剤
これらは、好ましくは化粧品に用い、発汗を抑える。
ｅ）消泡剤
これらは、例えば製造中の消泡、または最終製品に過度に気泡形成が起こる傾向を抑えるために添加することができる。
ｆ）フケ防止物質
これらは、落屑を妨げることができるので、主にヘアケア製品に添加される。
ｇ）帯電防止剤
これらは、例えば、ヘアケア製品において適合性を補う。これらは、一般に対象、例えば毛髪表面の帯電を軽減する。これを用いると、極めて容易に髪をとかすことができるようになる。
ｈ）結合剤
これらは、化粧品のような微粉製品および微粉含有製品が互いに結合することを確実にする。
ｉ）生物起源物質
これらは、例えば緑茶抽出物のようなある種の植物成分である。これらは、対応する生物材料に関連するある種の望ましい特性を製品に付与するか、または既存の特性を更に改良する、もしくは望ましくない特性を抑制する、もしくはできる限り軽減することを意図する。
【００３７】
ｋ）キレート剤
これらは、例えば、金属イオンとの錯体を形成するために化粧品に添加され、それにより、例えば製剤の安定性および／または外観を操作する。
ｌ）消臭剤／制汗剤
これらは、不快な体臭の生成の防止または軽減に寄与し得る。これらは、このような臭いを隠し、場合によっては発汗を軽減することができる。
ｍ）エモリエント
化粧品分野では、これらは、皮膚を滑らかかつ軟らかくする機能を有する。
ｎ）乳化剤
これらは、水と油のような互いに不混和性の液体を好ましくは分配することのできる、界面活性物質である。
ｏ）エマルション安定剤
これらは、更なる乳化の過程を補助し（乳化剤と比較）、そのようにして製品の安定性および貯蔵性を更に改良することができる。
ｐ）除毛剤
これらは、好ましくは体毛の選択的除去のために作用する。
ｑ）保湿剤
これらは、皮膚の水分の保持または回復、および皮膚の乾燥の防止に寄与し得る。
ｒ）皮膜形成剤
これらは、特に化粧品において、表面、とりわけ皮膚、毛髪または爪に安定な保護皮膜を形成させることができる。
ｓ）着色料
これらは、例えば、製品の着色を行うため、または間接的な対象の着色、例えばヘアカラーを行うため、化粧品に添加される。
ｔ）防腐剤
これらは、例えば、微生物（細菌、カビ、酵母）の有害な作用から保護し、損傷を回避するために化粧品に添加される。
ｕ）腐食防止剤
これらは、例えば、化粧品のパッケージの腐食、または製剤と直接接触するようになる部分の腐食を防ぐ働きをし得る。
【００３８】
ｖ）溶媒
これらは、例えば、液状化粧品の基本であり、または固体製品の構成要素としても使用可能である。
ｗ）オーラルケア物質
これらは、歯および歯茎のケアに働き得る。
ｙ）ｐＨ調整剤／緩衝物質
化粧品では、例えば、これらは、望ましいｐＨを確立し、または安定化させる働きをし得る。
ｚ）還元剤、好ましくは特定の処方によって酸化剤から分離されたもの
これらは、レドックス反応により別の物質の化学的性質を変化させることができる。
ａａ）研磨剤
これらは、例えば歯の機械的洗浄を補助するため、または歯の輝きを高めるために、種々の（身体）表面から物質を除去する働きをし得る。
ｂｂ）界面活性剤／洗浄活性物質
これらは、洗浄に役立つ界面活性化合物である。
ｃｃ）噴射ガス
これらは、化粧品のような製品と共に耐圧容器中に加圧して封入され、脱圧時に内容物を噴射するためのガス物質である。
ｄｄ）乳白剤
これらは、好ましくは、可視光または近可視光に対して不透過性とするために、透明または半透明製品に加えることができる。
ｅｅ）ＵＶ吸収剤／光フィルター物質
これらは、ある種の紫外線を除去することができ、そのようにして例えば早期の光誘導性加齢から、また、日焼けから皮膚を保護することができる。
ｆｆ）変性剤
これらは、例えば化粧品を不快にするエタノールを含む化粧品に加える。
ｇｇ）粘度調節剤
これらは、製品の粘度を高めたり、低めたりすることができる。
【００３９】
本発明の製品、好ましくは化粧品は、幾つかの好ましい態様に従って上記した成分を含み得る。
【００４０】
製品、好ましくは化粧品、または他の全ての適当な組成物は、例えば、特に、クリーム、ペースト、着色剤、ローション、溶液、水、Ｗ／Ｏ、Ｏ／ＷおよびＰＩＴエマルション（転相理論に従ってＰＩＴと称されるエマルション）のようなエマルション、マイクロエマルションおよび多重エマルション、振盪される不安定な一相または多相の粗混合物、ゲル、スプレー、パウチ、エアロゾルおよびフォームエアロゾルである。
【００４１】
本発明の製品、例えば好ましくは洗剤または洗浄剤は、有利には、特に酸化剤を含まない製剤と比較すると、改善された能力、特に、汚れ、とりわけ着色汚れの除去に関する、洗浄能を提供することができる。また、それらは、有利には、特に酸化剤を含まない製品と比較すると、特に多数の微生物の著しい低減に関する、細菌および他の微生物の改善された駆除によって、処理される材料（例えば布地、食器、硬質表面など）に対してより有効な衛生上の性能を達成することができる。更に、本発明の香料組成物は、製剤全体、特に洗剤全体または洗浄剤全体或いは化粧品全体の好ましい香りに寄与し、従って消費者の支持を高める。
【００４２】
本発明の更なる利点は、特に酸化剤の安定性および製品の芳香の安定性に関して、製品が貯蔵中安定になることである。本発明の芳香付与物質の芳香の効果は、有利には、数週間の長期保存時でさえ変化しない。同様に、酸化剤の活性は、数週間の長期保存時でさえ、香料不存在の場合より有意には減少しない。両方とも、有利には、液状物質にもあてはまる。
【００４３】
好ましい態様では、本発明の製剤に含まれる香料組成物は、香料全体に基づいた重量％で表して、少なくとも９１重量％、好ましくは少なくとも９２重量％、有利には少なくとも９４重量％、より有利には少なくとも９６重量％、なお有利には少なくとも９８重量％、更に有利には少なくとも９９重量％、特に１００重量％の下記種類の物質の少なくとも１つに挙げられる香料を含む：
・飽和アルコール、好ましくは第一級、第二級および／または第三級飽和、任意に分枝または任意に環状のアルコール、
・飽和エステル、任意に分枝または環状飽和エステル、
・飽和エーテル、任意に分枝または環状飽和エーテル、
・飽和置換基含有芳香族化合物、任意に分枝飽和置換基含有芳香族化合物、
・ニトリル、任意にニトリル基で共役された不飽和を有するニトリル、
・飽和アセタール、任意に分枝または環状飽和アセタール、
・飽和ヘミアセタール。
【００４４】
更に好ましい態様では、本発明の製剤に含まれる香料組成物は、香料全体に基づいた重量％で表して、少なくとも５０重量％、少なくとも６０重量％、少なくとも７０重量％、少なくとも８０重量％、少なくとも９０重量％、少なくとも９１重量％、好ましくは少なくとも９２重量％、有利には少なくとも９４重量％、より有利には少なくとも９６重量％、更に有利には少なくとも９８重量％、より有利には少なくとも９９重量％、特に１００重量％の下記群から選択される香料を含む：シトロニトリル、ｏ−ｔ−ブチルシクロヘキシルアセテート、サリチル酸シクロヘキシル、（＋）−（１’Ｒ，３Ｓ，６’Ｓ）−１−（２’，２’，６’−トリメチル−１’−シクロヘキシル）−３−ヘキサノール、（−）−（１’Ｓ，３Ｒ，６’Ｒ）−１−（２’，２’，６’−トリメチル−１’−シクロヘキシル）−３−ヘキサノール、（＋）−（１’Ｒ，３Ｒ，６’Ｓ）−１−（２’，２’，６’−トリメチル−１’−シクロヘキシル）−３−ヘキサノール、（−）−（１’Ｓ，３Ｓ，６’Ｒ）−１−（２’，２’，６’−トリメチル−１’−シクロヘキシル）−３−ヘキサノール、フェニルエチルアルコール、２−シクロヘキシリデン−２−フェニルアセトニトリル、デカヒドロ−ｂ−ナフチルアセテート、ｐ−クレシルアセテート、メチルフェニルアセテート、アリルアミルグリコレート、酢酸ベンジル、シクロヘキシルエチルアセテート、エチル−２−シクロヘキシルプロピオネート、フェニルエチルアセテート、シクロペンチリデン酢酸メチルエステル［CAS番号：0040203-73-4］、アリル（シクロヘキシルオキシ）アセテート、２，４−ジメチル−１，３−ジオキソラン−２−酢酸エチルエステル、３，１２−トリデカジエンニトリル、酢酸アミル、酢酸イソアミル、フェニル酢酸エチル、２−プロペニルフェノキシアセテート、酢酸イソボルニル、ジメチルベンジルカルビニルアセテート、酢酸ヘキシル、イソブチルフェニルアセテート、シス−ｐ−ｔ−ブチルシクロヘキシルアセテート、トランス−ｐ−ｔ−ブチルシクロヘキシルアセテート、ヒドロシンナミルアルコール、２，６−ジメチルヘプタン−２−オール、デカノール、オクタノール、
【００４５】
２，６−ジメチルビシクロ−［４．４．０］−デカン−１−オール（ジプロピレングリコール中０．１％）、テトラヒドロムグオール［＝テトラヒドロリナロール（３，７−ジメチルオクタン−３−オール）／テトラヒドロミルセノール（２，６−ジメチル−２−オクタノール）混合物（１：１）］、ジヒドロテルピネオール、α，３，３−トリメチルシクロヘキシルメチルホルメート、オクタノール−３、ヘキサノール、２，２，６−トリメチル−α−プロピルシクロヘキサンプロパノール、デカヒドロ−ｂ−ナフチルホルメート、（１’Ｓ，１”Ｓ，２’Ｓ，３”Ｒ，５”Ｒ）−［１−メチル−２−（１，２，２−トリメチルビシクロ［３．１．０］−ヘキサ−３−イルメチル）シクロプロピル］メタノール、（１’Ｒ，１”Ｒ，２’Ｒ，３”Ｓ，５”Ｓ）−［１−メチル−２−（１，２，２−トリメチルビシクロ［３．１．０］−ヘキサ−３−イルメチル）シクロプロピル］メタノール、（１’Ｒ，１”Ｓ，２’Ｒ，３”Ｒ，５”Ｒ）−［１−メチル−２−（１，２，２−トリメチルビシクロ［３．１．０］−ヘキサ−３−イルメチル）シクロプロピル］メタノール、（１’Ｓ，１”Ｒ，２’Ｓ，３”Ｓ，５”Ｓ）−［１−メチル−２−（１，２，２−トリメチルビシクロ［３．１．０］−ヘキサ−３−イルメチル）シクロプロピル］メタノール、ボルネオール、ジプロピレングリコール、テトラヒドロゲラニオール、テトラヒドロリナロール、２，２，６−トリメチル−α−プロピルシクロヘキサンプロパノール（Timberol forte）、α−メチル−４−（１−メチルエチル）シクロヘキサンメタノール、イソシクロゲラニオール、フェンチルアルコール、（−）−（２Ｒ，４Ｓ）−２−イソブチル−４−メチルテトラヒドロ−２Ｈ−ピラン−４−オール、（＋）−（２Ｓ，４Ｒ）−２−イソブチル−４−メチルテトラヒドロ−２Ｈ−ピラン−４−オール、（＋）−（２Ｓ，４Ｓ）−２−イソブチル−４−メチルテトラヒドロ−２Ｈ−ピラン−４−オール、（−）−（２Ｒ，４Ｒ）−２−イソブチル−４−メチルテトラヒドロ−２Ｈ−ピラン−４−オール、安息香酸メチル、安息香酸エチル、
【００４６】
サリチル酸メチル、プロピオン酸アミル、２，６，６−トリメチル−１，３−シクロヘキサジエン−１−カルボン酸エチルエステル、プロピオン酸ベンジル、サリチル酸エチル、２−メトキシ−４−ホルミル−フェニルイソブチレート（Isobutavan）、カプリル酸エチル、カプロン酸アリル、２−メチル−２−ブテン酸 ２−メチルプロピルエステル、２−エチルエチルヘキサノエート（Irotyl）、２−メチルペンタン酸 ２−メチルペンチルエステル、ジャスマシクレート、２，５−ジメチル−４，６−ジヒドロキシ安息香酸メチルエステル、２−メチル吉草酸エチル、ヘプタン酸 ２−プロペニルエステル（アリルヘプタノエート−アリルエナンテート）、アントラニル酸メチル、フェニル酢酸、アリルシクロヘキシルプロピオネート、２−ノニン酸メチルエステル、サリチル酸シクロヘキシル、２−ｔ−ブチル−シクロヘキシルエチルカーボネート、２，２，４−トリメチルカプロン酸エチルエステル、エチルエステルラブダナム抽出物（Ambrarome）、酢酸スチリル、ヒドロキノンジメチルエーテル、ジフェニルエーテル、ｐ−クレシルメチルエーテル、ｐ−シメン、フェニルエチルイソアミルエーテル、フェニルエチルメチルエーテル、４−イソプロピル−５，５−ジメチル−１，３−ジオキサン、２，２，５，５−テトラメチル−４−イソプロピル−１，３−ジオキサン、５−メチル−５−プロピル−２−（１−メチルブチル）−１，３−ジオキサン、アネトール、２−フェニル−プロピオンアルデヒドジメチルアセタール、フランビノンメチルエーテル、クマリン、イソクマリン、アセトフェノン、１，１，２，３，３−ペンタメチル−６，７−ジヒドロ−４（５Ｈ）−インダノン、γ−オクタラクトン、エチルアミルケトン、合成カンファー、オキサシクロ−ヘプタデセ−８−エン−２−オン、２−ヘプチルシクロペンタノン、２−（１−メチルプロピル）−シクロヘキサノン、４−ｔ−ブチル−２，６−ジメチルアセトフェノン、シクロペンタデカノリド、３−メチルシクロペンタデカノン、ジヒドロジャスモン、
【００４７】
ジヒドロ−イソ−ジャスモン、γ−デカラクトン、メチルオクタラクトン、１，４−ジオキサシクロヘキサデカン−５，１６−ジオン、４−（２−ブテニリデン）−３，５，５−トリメチル−２−シクロヘキセン−１−オン、エチル−２，２，６−トリメチルシクロヘキサンカルボキシレート、桂皮酸ニトリル、ラウリン酸ニトリル、ヒドロシトロニトリル、２−ベンジル−２−メチル−３−ブテンニトリル、３−メチルドデカノニトリル、シトロニトリル、トリデセン−２−ニトリル、＊３（４，７，７−トリメチルビシクロ［４．１．０］ヘプト−３−イル−２−プロペニルニトリル、Irolene p、８−α−１２−オキシド−１３，１４，１５，１６−テトラノルラブダン、３，３，５−トリメチルシクロヘキシルエチルエーテル、Irival（７０％の４−ｔ−ペンチルシクロヘキサノン、１０％の白色鉱油、１０％のノン−２−エンニトリル、１０％のセバシン酸ジブチル）、イソブチルキノリン、５−エチリデンビシクロ［２．２．１］−２−ヘプテン−２−メトキシフェノール付加物、メチルブチル−２ プロピオネート、インデノ［１，２−ｄ］−テトラヒドロ−１，３−ジオキサン、ドデカヒドロ−３ａ，６，６，９ａ−テトラメチルナフト（２，１−ｂ）−フラン、２，４−ジメチル−４−フェニルテトラヒドロフラン、スピロ［１，３−ジオキソラン−２，５’−（４’，４’，８’，８’−テトラメチルヘキサヒドロ−３’，９’−メタノナフタレン）］、メチルジヒドロジャスモネート、メチル ３−オキソ−２−ペンチルシクロペンタンアセテート、ｏ−（アリルオキシ）アニソール、ジヒドロミルセノール、９−デセン−１−オール、テトラヒドロミルセノール、ヘキサヒドロ−４，７−メタノインデン−６−イルアセテート、２−フェノキシエチルイソブチレート、２−メチルプロペン酸 １，３−ジメチル−３−ブテニルエステル、ｐ−メチルアセトフェノン、４−フェニル−２−ブタノン、１−（５，５−ジメチル−１−シクロヘキセン−１−イル）−４−ペンテン−１−オン、３−ヒドロキシ−１−メチル−４−イソプロピルベンゼン（CAS番号：89-83-8）。
【００４８】
これらの上記香料は、本発明に従って、特に液体製剤において良好に使用され得る。
【００４９】
対応する香料組成物は、モノおよびジ−過カルボン酸、特にドデカンジペルオキソ酸または好ましくはイミド過カルボン酸、特に好ましくは６−フタルイミド過カプロン酸（６−フタルイミド過ヘキサン酸、ＰＡＰ）から有利には選択され得る、特にＰＡＰ、または過カルボン酸のような高反応性酸化剤に対しても、著しい安定性をもたらす。酸化剤の有効性は、有利には液体製剤においても、長期保存後でさえ良好に維持される。香料組成物の良い香りは、有利には液体製剤においても、長期保存後でさえ良好に維持される。
【００５０】
好ましい態様では、製品は、製品全体に基づいて、少なくとも０．０１重量％または０．０５重量％、有利には少なくとも０．１重量％、実質上より有利には少なくとも０．１５重量％、更に有利には少なくとも０．２重量％、より有利には少なくとも０．２５重量％、なお有利には少なくとも０．３重量％、非常に有利には少なくとも０．３５重量％、特に有利には少なくとも０．４重量％、極めて特に有利には少なくとも０．４５重量％、実質的により有利には少なくとも０．５重量％、かなり有利には少なくとも０．５５重量％、極めて有利には少なくとも０．６重量％、最高に有利には少なくとも０．６５重量％、著しく有利には少なくとも０．７重量％、非常に有利には少なくとも０．７５重量％、特に有利には少なくとも０．８重量％、より有利には少なくとも０．８５重量％、特に少なくとも０．９重量％の香料である、一定最低割合の香料を含む。
【００５１】
好ましい態様では、製品はむしろ、製品全体に基づいて、少なくとも１重量％、有利には少なくとも２重量％、著しく有利には少なくとも５重量％、より有利には少なくとも１０重量％、なお有利には少なくとも１３重量％、更に有利には少なくとも１４重量％、非常に有利には少なくとも１５重量％、特に有利には少なくとも１６重量％、極めて特に有利には少なくとも１７重量％、著しくより有利には少なくとも１８重量％、かなり有利には少なくとも１９重量％、特に少なくとも２０重量％の香料である、より高い割合の香料を含む。
【００５２】
しかしながら、芳香が強すぎる製品を回避するため、消費財に多量の香料を含有させることはむしろ一般的ではない。それよりも、含有香料の割合を制限することがしばしば望まれる。従って、好ましい態様では、製品は、一定最高割合の香油、即ち例えば、製品全体に基づいて、３０重量％以下、２５重量％以下、２０重量％以下または１５重量％以下、有利には１０重量％以下、かなり有利には９重量％以下、より有利には８重量％以下、更に有利には７重量％以下、なお有利には６重量％以下、非常に有利には５重量％以下、特に有利には４．５重量％以下、極めて特に有利には４重量％以下、かなりより有利には３．５重量％以下、特に３重量％以下または２重量％以下の香料を含む。ここで、本明細書全体において、違う記載が明確になされているか、または一定の文脈から明らかに異なった根拠がある場合を除いては、重量％の記載は常に製品全体について言及していることに注意しなければならない。
【００５３】
本発明の意味における香料の一般概念は、通常の定義と一致する。即ち、香料は通常、その芳香、特に良い芳香によって知覚される物質である。これらは好ましくは芳香物質も含む。一般に使用される香料は、特に、天然物由来の、精油、花精油、植物性物質および動物性物質の抽出物、単離成分（単離物）、半合成および完全合成の均一な香料である。
【００５４】
考えられる酸化剤の全ては、酸化剤として使用され得、その例は、過ホウ酸塩、過炭酸塩、過酸化水素、次亜塩素酸ナトリウム、重クロム酸塩、亜ジチオン酸塩、過マンガン酸塩、塩素、濃硫酸、有機過酸、次亜塩素酸塩、二酸化塩素、過酸化物などである。有利に使用され得る一連の漂白剤を、更に以下に列挙する。
【００５５】
酸化剤、好ましくは漂白剤は、好適には被覆され得る。被覆は他成分との相互作用を低減する働きをし得るが、それは完全に成功するわけではない。
【００５６】
更に好ましい態様では、酸化剤は、好ましくは酸、特に好ましくは過カルボン酸に基づいた、酸化漂白剤である。
【００５７】
更に好ましい態様では、本発明の製剤は、モノ−およびジ−過カルボン酸、特にジペルオキシドデカン酸または好ましくはイミド過カルボン酸、特に好ましくは６−フタルイミド過カプロン酸（６−フタルイミド過ヘキサン酸、ＰＡＰ）から有利には選択され、および／または大気圧下で２５℃超、特に３５℃超、好ましくは４５℃超、好適には５０℃超、特に好ましくは１００℃超の融点を有する、過カルボン酸を含む。
【００５８】
更に好ましい態様では、酸化剤、特に過カルボン酸は、本質的に粒子状であり、好ましくは被覆されており、被膜の重量は、酸化剤を含む粒子全体、好ましくは顆粒に基づいて有利には０．１〜３０重量％である。ここで「本質的に」は、好ましくは、製造されたばかりの製品において、酸化剤の全割合に基づいた重量％で表して、有利には少なくとも５０、５５、６０、６５、７０、７５重量％の酸化剤が粒子状であることを意味する。液体製剤では、例えば、酸化剤の一部は、特に貯蔵期間後は、溶解状態であってよい。
【００５９】
好ましい態様では、本発明の製剤は、少なくとも０．０１重量％の界面活性剤を含む。
【００６０】
製剤全体の界面活性剤含有量は、例えば、製剤全体に基づいて、０．１〜６０重量％、好ましくは１〜５０重量％、有利には５〜４５重量％、より有利には１０〜４０重量％、特に１５〜３０重量％であり得る。別の好ましい態様では、界面活性剤含有量の下限値は、製剤全体に基づいて、好ましくは、１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、または３０重量％の値であってもよい。界面活性剤含有量の下限値は、より高い値、例えば、好ましくは、製剤全体に基づいて、３５重量％、４０重量％、４５重量％、５０重量％、５５重量％、または６０重量％の値であってもよい。
【００６１】
界面活性剤の上限値は、好ましくは、６５重量％、６０重量％、５５重量％、５０重量％、４５重量％、４０重量％、３５重量％、３０重量％、または２５重量％の値、或いは僅かに２０重量％、１９重量％、１８重量％、１７重量％、１６重量％、１５重量％、１４重量％、１３重量％、１２重量％、１１重量％、または１０重量％の値であってもよい。例えば、上限値と下限値の上記記載を組み合わせることも可能であり、例えば、４〜１８重量％の界面活性剤含有量と記載することもできる。製剤が０重量％の界面活性剤を含むこともできる。
【００６２】
アニオン性界面活性剤、例えば、（直鎖）アルキルベンゼンスルホネート、脂肪アルコールスルフェートまたはアルカンスルホネートなどが、本発明において特に好ましく、その割合は好ましくは例えば製剤全体に基づいて０．１〜３０重量％であり、および／または非イオン性界面活性剤、例えば、アルキルポリグリコールエーテル、アルキルポリグルコシドまたはアミンオキシドなどが、本発明において特に好ましく、その割合は好ましくは例えば製剤全体に基づいて０．１〜３０重量％である。
【００６３】
本発明の製剤は、カチオン性界面活性剤を、例えば、０．０１重量％または０．０５重量％から、５０重量％までの割合で含むこともできる。しかし、カチオン性界面活性剤を含まない本発明の製剤に対して、対応する好ましい態様が存在する。ここでは、それは、製剤が、１０重量％未満、好ましくは５重量％未満、有利には３重量％未満、より有利には１重量％未満、更に有利には０．５重量％未満、特に０重量％のカチオン性界面活性剤を含むことを意味する。
【００６４】
好ましい態様では、本発明の製剤は、電解質、特に無機および／または有機塩、特にリン酸塩、クエン酸塩および／または硫酸塩、特に好ましくは硫酸ナトリウムを、好適には、各々の場合に製剤全体に基づいて、少なくとも０．１重量％、有利には少なくとも３重量％、特に５〜３０重量％の割合で含む。製剤が０重量％の電解質を含むこともできる。
【００６５】
本発明の製剤が、錯化剤、例えばニトリロ三酢酸、エチレンジアミン四酢酸またはホスホン酸塩などを、好ましくは、製剤全体に基づいて、３０重量％までまたは２０重量％まで、特に０〜１０重量％、有利には０．１〜５重量％の割合で含む場合、本発明の更に好ましい態様が存在する。特に好ましいものは、
（ａ）窒素不含有錯化剤、例えば好ましくは、アルカリ金属ポリホスホン酸塩、モノ−またはポリ−ホスホン酸、特に、１−ヒドロキシエチリデン−１，１−ジホスホン酸（ＨＥＤＰ）、クエン酸および／または短鎖ジカルボン酸、および／または
（ｂ）キノリンおよび／またはその塩、ピコリン酸およびジピコリン酸、エチレンジアミン四酢酸（ＥＤＴＡ）、ジエチレントリアミンペンタ（メチレンホスホン酸）（ＤＴＰＭＰ）、アザシクロヘプタンジホスホネート（ＡＨＰ）、ニトリロ三酢酸（ＮＴＡ）、アミノポリカルボン酸、アミノヒドロキシポリカルボン酸、ポリホスホン酸およびアミノポリホスホン酸から成る群から選択される錯化剤
である。ここで、１−ヒドロキシエチリデン−１，１−ジホスホン酸が最も好ましい。製剤が０重量％の錯化剤を含むこともできる。
【００６６】
錯化剤は、好ましくは、酸化過程の触媒として特に作用でき、酸化剤（例えばＰＡＰのような過カルボン酸）の分解を招き得る重金属を不活性化または結合するために、本発明に従って使用され得る。重金属は、例えば、製造プラントの送水管または金属部品によって、或いは本発明の製剤、例えば洗剤または洗浄剤の原料または成分として、導入され得る。
【００６７】
本発明の好ましい態様では、本発明の製剤は、酵素、例えば、プロテアーゼ、アミラーゼ、カタラーゼ、ペルオキシダーゼ、セルラーゼおよび／またはリパーゼ、および／または酵素安定剤を、好ましくは各々の場合に製剤全体に基づいて０〜１０重量％の割合で含む。製剤が０重量％の酵素を含むこともできる。
【００６８】
好ましい態様では、本発明の製剤はビルダーを含む。本発明の更に好ましい態様では、製剤のビルダー含有量は、例えば、０〜９９重量％、好ましくは１〜６０重量％、有利には２〜５０重量％、より有利には３〜６０重量％、更に有利には５〜５０重量％、特に６〜４０重量％である。別の好ましい態様では、ビルダー含有量の下限値は、好ましくは７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、または２９重量％、または３０重量％の値であってよい。下限値はより高い値、例えば、好ましくは３５重量％、４０重量％、４５重量％、５０重量％、５５重量％、または６０重量％の値であってもよい。
【００６９】
更に好ましい態様では、ビルダー含有量の上限値は、好ましくは、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、または９５重量％の値であってよい。特に上限値はより低い値、例えば、好ましくは６５重量％、４５重量％、３５重量％、３０重量％、２５重量％、２０重量％、１５重量％、１０重量％、または５重量％の値であってもよい。別の態様では、ビルダーを含まない、即ち０重量％のビルダーを含むことも可能である。
【００７０】
別の好ましい態様に従った液体洗剤の特定のケースでは、少量のビルダー、例えば、
０．１重量％超、０．５重量％超、または１重量％超、しかし有利には、３０重量％未満、好ましくは２０重量％未満、特に１０重量％未満しか含まれない場合もある。
【００７１】
別の好ましい態様では、本発明の製剤は、特にビルダーとして、脂肪酸、好ましくは飽和および／または分枝脂肪酸、特に４０℃未満、好ましくは３０℃未満の融点を有するもの、および／またはクエン酸および／またはクエン酸塩を、好ましくは例えば０〜１５重量％の割合で、および／またはポリアクリレートを、好ましくは例えば０〜１５重量％の割合で、および／またはホスホネートを含み、記載した重量％は各々の場合において製剤全体に基づく。
【００７２】
本発明の製剤が、少なくとも本質的にハロゲン化物イオン、特に塩化物イオンを含まない場合、ハロゲン化物イオン、特に塩化物イオンの割合が、有利には５００ｐｐｍ以下、好ましくは１００ｐｐｍ以下、特に３０ｐｐｍ以下である場合、これは好ましい態様である。意外にも、例えば通常の洗剤およびクリーナーにおいて多くの粗原料または粗成分中の不純物故に通常生じ得るような、ハロゲン化物イオン、特に塩化物イオンの高濃度は、特に液体製剤において、過カルボン酸のような酸化剤の分解を増進させ得ることがわかった。従って、ハロゲン化物イオン濃度、特に塩化物イオン濃度の低下は、過カルボン酸のような酸化剤の分解を低減させる。本発明では、硫酸メチル、リン酸メチル、トシル酸メチルまたはクメンスルホン酸メチル化合物を用いることによって、或いは塩化物含有量が低い出発物質または成分を使用する（例えば、ハライドフリー界面活性剤、ハライドフリーホスホネートなどのような本質的にハライドを含有しない化合物の使用）ことによって、低い塩化物イオン濃度が達成され得る。
【００７３】
更に好ましい態様では、各々の場合、製剤中の香料の全割合に基づいた重量％で表して、含まれる香料の、３０重量％未満、好ましくは２０重量％未満、有利には１５重量％未満、より有利には１０重量％未満、なお有利には５重量％未満、更に有利には３重量％未満、より有利には２重量％未満、更に有利には１重量％未満、特に有利には０．５重量％未満、特に０重量％が、アルデヒド官能基（ＲＣＨ＝Ｏ）および／またはケト基（ＲＲ’Ｃ＝Ｏ）を有する香料から選択される。
【００７４】
製剤が液体状、好ましくは含水状または不含水状、有利には分散液、好ましくはエマルションまたは懸濁液である場合、これは好ましい態様である。ここで製剤は、パウチとして存在していてもよい。
【００７５】
本発明によって、著しい洗浄力を有する液体洗剤が、特に漂白可能な汚れの範囲において、製品および洗浄液の両方の極めて快い芳香と組み合わさって、実現され得る。製品の芳香の効果は、長期保存時でさえ全く変化せず、香料は、漂白剤への不安定化作用を示さない。
【００７６】
更に好ましい態様では、特に液体状である、製剤は、有利には、７以下、特に３．５〜７、好ましくは４．０〜６．５、特に好ましくは４．５〜６、極めて好ましくは約５のｐＨを示し、および／または製剤が液体製剤である限りは、製剤は好ましくは、過カルボン酸、特にイミド過カルボン酸、好ましくはグリセリンを溶解する能力が低い、少なくとも１種の水混和性溶媒を含み得る。
【００７７】
漂白剤、特にＰＡＰのような過カルボン酸に基づく漂白剤は、酸性環境下、特に約６のｐＨで、比較的有効に安定化され得る。好ましい態様でのｐＨの可能な低下は、最終製剤、好ましくは液体製剤、特に液体洗剤およびクリーナーにおいて、例えば、酸または酸性塩の添加によって達成され得る。例えばビルダーとしても使用され得る、重硫酸塩、重炭酸塩および有機ポリカルボン酸が、本発明では好ましい。また、錯化剤としても使用され得る、ホスホン酸塩またはクエン酸塩は、ホスホン酸またはクエン酸として作用することができ、所望のｐＨはアルカリを添加することによって調整できる。ＬＡＳのようなイオノゲン性界面活性剤を酸として添加することも可能である。この場合、水酸化ナトリウムの後の添加によってｐＨは調整され得る。
【００７８】
好ましい態様では、本発明の製剤、好ましくは（液体）洗剤またはクリーナーは、少なくとも１種の脂肪酸を含む。飽和および／または分枝脂肪酸が本発明では好ましく、特に３０℃未満の融点を有するものが好ましい。本発明では、例えば、Sasol製Isocarb-16を、本発明の洗剤またはクリーナーに使用することができる。
【００７９】
本発明の製剤、好ましくは（液体）洗剤またはクリーナーは、有利には、クエン酸またはクエン酸塩を含むことができる。クエン酸は確かに、過カルボン酸、特にＰＡＰの分解を招き得る。それにも拘わらず、本発明の製剤、洗剤またはクリーナーに（例えばビルダーおよび／または錯化剤として）、クエン酸またはクエン酸塩を使用することは場合によって有利であり得る。
【００８０】
本発明の製剤は、ゲル様またはペースト様の粘稠度を有するものであってもよい。好ましい態様では、製剤は注入可能であり、好ましくは、２５℃の温度および３０ｓ−１の剪断速度で１００〜１０，０００ｍＰａｓの粘度を有する。
【００８１】
別の好ましい態様では、製剤は、固体状、好ましくは粉末状である。
【００８２】
本発明の好ましい態様では、粉末は、主として（即ち、粉末全体に基づいて、５０重量％超、６０重量％超、７０重量％超、８０重量％超、９０重量％超、または９５重量％超の量の）、均一な、好ましくはほぼ球状または楕円体状の粒子からなる。楕円体は球体に似ているが、縦軸と横軸の長さが異なる。しかしながら、粉末は、粒子以外の形態からなっていてもよく、主として以下のようなものがある：
（ａ）立方体（正六面体）または少なくともほぼ立方体、または
（ｂ）平行六面体（例えば直平行六面体）または少なくともほぼ平行六面体、
（ｃ）層状（プレート様形態など）または少なくともほぼ層状、または
（ｄ）針様または繊維状、或いは少なくともほぼ針様または繊維状、もしくは
（ｅ）円筒形または
（ｆ）ストランド状または少なくともほぼストランド状。
【００８３】
本発明の別の好ましい態様では、本発明の製剤は、固体である場合、２００〜１５００ｇ／Ｌの範囲の嵩密度を有する。嵩密度の下限値は、好ましくは、２５０、３００、３５０、４００、４５０、５００、５５０、６００、６５０、７００または７５０ｇ／Ｌの値であってよい。下限値はより高くてもよく、例えば８００ｇ／Ｌであってよい。嵩密度の上限値は、好ましくは、１４５０、１４００、１３５０、１３００、１２５０、１２００、１１５０、１１００、１０５０、１０００、９００、７００、８５０、８００または７５０ｇ／Ｌの値であってよい。上限値はより低くてもよく、例えば、好ましくは、７００、６５０、６００、５５０または５００ｇ／Ｌの値であってよい。
【００８４】
固体の製剤が、加圧、圧延、ブリケット化、ペレット化、押出、凝集のような加工法または関連する圧縮加工法によって得られる、圧縮体である場合、これは更に好ましい態様である。
【００８５】
更に好ましい態様では、固体状の製剤は、成形体、好ましくはタブレットまたはブロックまたはストランドである。多相または多層成形体が好ましい場合がある。固体パウチ、即ち例えばパウチ入り粉末も可能である。
【００８６】
液体製剤、特に液体の洗剤またはクリーナーにおいて、（液体製剤の）分散液中の無機塩、特に好ましくは硫酸ナトリウムの含有量は、分散液の貯蔵または保存温度（約２０℃）より５℃、特に１０℃、好ましくは１５℃低い温度で、分散液の水相が無機塩で飽和となる分散液が本質的に存在するように、選択され得る。この態様では、無機塩、特に好ましくは硫酸ナトリウムの含有量は、無機塩で飽和となった分散液が、約０℃〜１５℃、特に０℃〜１０℃、好ましくは０℃〜５℃で得られるように、選択され得る。そして、分散液中の無機塩、特に好ましくは硫酸ナトリウムの含有量は、組成物全体に基づいて、５〜３０重量％、特に１０〜３０重量％、好ましくは１５〜３０重量％であり得る。
【００８７】
また、更に好ましい態様では、本発明の製剤、好ましくは液体製剤、特に液体の洗剤またはクリーナー中の無機塩、特に好ましくは硫酸ナトリウムの含有量は、製剤中の界面活性剤が、特に塩析によって、即ち界面活性剤含有量が低い連続相および好ましくは層状の一般に高粘度の結晶性または液晶性界面活性剤リッチ相への相分離を生じることによって、好ましくは少なくとも１種の硫酸塩化合物、特に好ましくは硫酸ナトリウムを添加することによって、少なくとも本質的に不活性となるように、選択され得る。このような態様を用いることで、有機過カルボン酸の溶解は、組成物、好ましくは洗剤またはクリーナー組成物において、少なくとも本質的に防がれるか、または少なくとも低減される。本発明において、「連続相」の概念は、その中に溶解する成分または要素（例えば塩、界面活性剤など）を含む分散剤を意味すると理解されたい。本発明において、水は好ましい分散剤である。
【００８８】
特定の理論に拘束されるものではないが、好ましい態様では、例えば、硫酸塩の添加によって、可能であれば、酸化剤の不活性化を招き得る界面活性剤は、少なくとも部分的に不活性化される。これは塩析によって起こり得、このとき界面活性剤は、特にミセル活性状態から、ほぼ界面活性剤不含有の連続相に分散される、好ましくはラメラ結晶性または液晶性状態（結晶または液晶の形成）に変換され得る。遠心分離によって分離され得る、分散液晶自体は、例えば、可能な限り高粘性でなければならない。従って、遊離または活性界面活性剤の含有量、即ち液体製剤、好ましくは液体洗剤および洗浄剤、または本発明の液体洗剤および洗浄剤の連続相中でミセル状の界面活性剤の含有量は、好ましい態様では非常に低くてよく、有利には１％以下である。
【００８９】
好ましい態様では、本発明の製剤、特に液体洗剤または洗浄剤中の、無機塩、特に好ましくは硫酸ナトリウムの濃度は、有利には、未希釈洗剤または洗浄剤の連続相中に１％未満の溶解した界面活性剤が存在し、塩、好ましくは硫酸塩の結晶化が、特に０℃までの温度の低下時に、起こらないように、選択すべきである。
【００９０】
非イオン性界面活性剤は特に、本発明の製剤、好ましくは液体製剤、特に液体洗剤または洗浄剤中の、過カルボン酸の安定性に関して問題を有し得るので、本発明の製剤は、好ましくは、適切に調節されたまたは最適化された界面活性剤比を示し得る。従って、アルキルポリグリコールエーテルの含有量は、好ましくは、可能な限り低くした方がよい。好ましい態様では、非イオン性界面活性剤の含有量は実質上ゼロになる。適当な組成物は、界面活性剤として、（直鎖）アルキルベンゼンスルホネートおよび／または（第二級）アルカンスルホネートのみを含み得、漂白剤の著しい安定性を示し得る。更に好ましい態様では、本発明の製品、特に洗剤、ケア剤または洗浄剤は、少なくとも１種、好ましくは２種以上の活性成分、特に、有利には下記からなる群から選択される洗剤、ケア剤および／または洗浄剤活性成分を含む：アニオン性界面活性剤、カチオン性界面活性剤、両性界面活性剤、非イオン性界面活性剤、酸性化剤、アルカリ性化剤、しわ取り剤、抗菌物質、酸化防止剤、再付着防止剤、帯電防止剤、ビルダー、漂白剤、漂白活性剤、漂白安定剤、漂白触媒、アイロン助剤、共ビルダー、収縮防止剤、電解質、酵素、着色安定剤、着色剤、色素、色移り防止剤、蛍光剤、殺真菌剤、殺菌剤、臭気複合物質、助剤、ヒドロトロープ、すすぎ剤、錯化剤、防腐剤、腐食防止剤、蛍光増白剤、芳香担体、パール化剤、ｐＨ調整剤、疎化剤・含浸剤、ポリマー、膨潤・滑り防止剤、発泡防止剤、層状シリケート、防汚物質、グレーイング防止剤、シリコーン油、ＵＶ保護物質、粘度調節剤、増粘剤、変色防止剤、グレーイング阻害剤、ビタミンおよび／または柔軟化すすぎ剤。更に好ましい態様では、本発明の製剤は、１種以上の皮膚ケアおよび／または皮膚保護および／または皮膚治癒活性物質を含む。
【００９１】
皮膚ケア活性物質は、皮膚に感覚的および美容的利点を与える活性物質の全てである。皮膚ケア活性物質は、好ましくは下記物質から選択される。
ａ）蝋、例えば、カルナウバ蝋、鯨蝋、密蝋、ラノリンおよび／またはそれらの誘導体など。
ｂ）疎水性植物抽出物。
ｃ）炭化水素、例えば、スクアレンおよび／またはスクアラン。
ｄ）高級脂肪酸、好ましくは、少なくとも１２個の炭素原子を有するもの、例えば、ラウリン酸、ステアリン酸、ベヘン酸、ミリスチン酸、パルミチン酸、オレイン酸、リノール酸、イソステアリン酸および／またはポリ不飽和脂肪酸など。
ｅ）高級脂肪アルコール、好ましくは、少なくとも１２個の炭素原子を有するもの、例えば、ラウリルアルコール、セチルアルコール、ステアリルアルコール、オレイルアルコール、ベヘニルアルコール、コレステロールおよび／または２−ヘキサデカノールなど。
ｆ）エステル、好ましくは、セチルオクタノエート、ラウリルラクテート、ミリスチルラクテート、セチルラクテート、イソプロピルミリステート、ミリスチルミリステート、イソプロピルパルミテート、イソプロピルアジペート、ブチルステアレート、デシルオレエート、コレステロールイソステアレート、グリセロールモノステアレート、グリセロールジステアレート、グリセロールトリステアレート、アルキルラクテート、アルキルシトレートおよび／またはアルキルタートレートなど。
ｇ）脂質、例えば、コレステロール、セラミドおよび／またはスクロースエステルなど。
ｈ）ビタミン、例えば、ビタミンＡおよびＥ、ビタミンＣアルキルエステルを含むビタミンアルキルエステルなど。
ｉ）日焼け止め。
ｊ）リン脂質。
ｋ）α−ヒドロキシ酸の誘導体。
ｌ）香料。
ｍ）化粧品用の殺菌剤、サリチル酸のような合成品および／またはニーム油のような天然品など。
ｎ）シリコーン。
ｏ）上記成分の所望の混合物。
【００９２】
本発明の製剤の好ましい成分を以下により詳細に記載する。本発明の製品がアニオン性界面活性剤を含むことが好ましい。例えば、スルホネート型およびスルフェート型のアニオン性界面活性剤を使用する。好適なスルホネート型の界面活性剤は、好ましくは、例えば、末端または内部二重結合を有するＣ１２〜１８−モノオレフィンから、三酸化硫黄ガスによるスルホン化とそのスルホン化生成物のその後のアルカリ加水分解または酸加水分解により得られるような、Ｃ９〜１３−アルキルベンゼンスルホネート、オレフィンスルホネート、即ち、アルケンおよびヒドロキシアルカンのスルホネートおよびジスルホネートの混合物である。Ｃ１２〜１８−アルカンから、例えば、スルホクロロ化またはスルホキシド化およびその後の加水分解または中和により得られるアルカンスルホネートも好適である。α−スルホ脂肪酸のエステル（エステルスルホネート）、例えば、水添ココ、パーム核または獣脂脂肪酸のα−スルホン化メチルエステルも好適である。
【００９３】
スルホン化脂肪酸グリセロールエステルも適当なアニオン性界面活性剤である。脂肪酸グリセロールエステルは、１〜３ｍｏｌの脂肪酸を用いたモノグリセロールのエステル化によって、または０．３〜２ｍｏｌのグリセロールを用いたトリグリセリドのエステル交換によって得られるような、モノエステル、ジエステルおよびトリエステル、並びにそれらの混合物であると理解される。好ましいスルホン化脂肪酸グリセロールエステルは、６〜２２個の炭素原子を有する飽和脂肪酸、例えばカプロン酸、カプリル酸、カプリン酸、ミリスチン酸、ラウリン酸、パルミチン酸、ステアリン酸またはベヘン酸のスルホン化生成物である。
【００９４】
好ましいアルキル（アルケニル）スルフェートは、ココ脂肪アルコール、獣脂脂肪アルコール、ラウリルアルコール、ミリスチルアルコール、セチルアルコールまたはステアリルアルコールのようなＣ１２〜Ｃ１８脂肪アルコール、またはＣ１０〜Ｃ２０オキソアルコールの硫酸ヘミエステル、或いはこれらの鎖長を有する第二級アルコールのヘミエステルの、アルカリ金属塩、特に、ナトリウム塩である。また、合成的または石油化学的に製造された直鎖アルキル基を含み、脂肪化学原料に基づく適切な化合物に類似した分解挙動を有する、上記鎖長のアルキル（アルケニル）スルフェートも好ましい。洗浄という観点からは、Ｃ１２〜Ｃ１６アルキルスルフェートおよびＣ１２〜Ｃ１５アルキルスルフェート、およびＣ１４〜Ｃ１５アルキルスルフェートが好ましい。DAN（登録商標）の名称で市販品としてShell Oil社から得られる２，３−アルキルスルフェートも好適なアニオン性界面活性剤である。
【００９５】
また、平均３．５ｍｏｌのエチレンオキシド（ＥＯ）を含む２−メチル分枝Ｃ９〜１１アルコールまたは１〜４ＥＯ含有Ｃ１２〜１８脂肪アルコールのような、１〜６ｍｏｌのエチレンオキシドでエトキシル化された直鎖または分枝Ｃ７〜２１アルコールの、硫酸ヘミエステルも好ましい。その高い発泡能のため、それらは特に洗浄剤に、好ましくは比較的少量でのみ、例えば１〜５重量％の割合で用いられる。
【００９６】
別の種類のアニオン性界面活性剤は、塩基性触媒の存在下で脂肪アルコールエトキシレートとクロロ酢酸ナトリウムを反応させることにより得られるエーテルカルボン酸である。それらは一般式：
Ｒ１０Ｏ−（ＣＨ２−ＣＨ２−Ｏ）ｐ−ＣＨ２−ＣＯＯＨ
［式中、Ｒ１０はＣ１〜Ｃ１８であり、ｐは０．１〜２０である。］
を有する。エーテルカルボン酸は水の硬度に敏感ではなく、ひときわ優れた界面活性特性を示す。
【００９７】
酸価１０〜１４０を有する鎖長１０〜２５炭素原子の少なくとも一つの不飽和を持つカルボン酸による無水マレイン酸のエン付加物と、ジヒドロキシアルカンまたはポリヒドロキシアルカン、単糖類および二糖類、ポリエチレングリコールとの部分エステルもまた、適当なアニオン性界面活性剤の例である。
【００９８】
好ましいアニオン性界面活性剤は、分枝または非分枝、飽和または不飽和、脂肪族または芳香族、非環式または環式の、所望によりアルコキシル化された、４〜２８個、好ましくは６〜２０個、特に８〜１８個、特に好ましくは１０〜１６個、格段に好ましくは１２〜１４個の炭素原子のアルキル基の他、２つ以上のアニオン性基、特に２つの酸基、好ましくはカルボキシレート基、スルホネート基および／またはスルフェート基、特に１つのカルボキシレート基と１つのスルフェート基を有する。これらの化合物の例は、α−スルホ脂肪酸塩、アシルグルタメート、モノグリセリドジスルフェート、およびグリセロールジスルフェートのアルキルエーテル、特に下記のモノエステル化スルホスクシネートがある。
【００９９】
スルホスクシネート、スルホスクシナメートおよびスルホスクシンアミド、特にスルホスクシネートおよびスルホスクシナメートが、特に好ましいアニオン性界面活性剤であり、スルホスクシネートが格段に好ましい。スルホスクシネートは、スルホコハク酸ＨＯＯＣＣＨ（ＳＯ３Ｈ）ＣＨ２ＣＯＯＨのモノエステルおよびジエステルの塩であり、スルホスクシナメートはスルホコハク酸のモノアミドの塩を意味するものと理解され、スルホスクシンアミドはスルホコハク酸のジアミドの塩を意味するものと理解される。
【０１００】
好ましい塩は、アルカリ金属塩、アンモニウム塩、モノアルカノールアンモニウム塩、ジアルカノールアンモニウム塩およびトリアルカノールアンモニウム塩、例えば、モノエタノールアンモニウム塩、ジエタノールアンモニウム塩またはトリエタノールアンモニウム塩、特に、リチウム塩、ナトリウム塩、カリウム塩またはアンモニウム塩、特に好ましくはナトリウム塩またはアンモニウム塩、格段に好ましくはナトリウム塩である。
【０１０１】
スルホスクシネートでは、スルホコハク酸の１つまたは２つのカルボキシル基は、好ましくは２つの同じまたは異なる分枝または非分枝、飽和または不飽和、非環式または環式の、所望によりアルコキシル化された、４〜２２個、好ましくは６〜２０個、特に８〜１８個、特に好ましくは１０〜１６個、格段に好ましくは１２〜１４個の炭素原子を有するアルコールでエステル化されている。非分枝および／または飽和および／または非環式および／またはアルコキシル化アルコール、特に、非分枝飽和脂肪アルコール、および／またはエチレンオキシドおよび／またはプロピレンオキシド、好ましくはエチレンオキシドでアルコキシル化され、アルコキシル化度が１〜２０、好ましくは１〜１５、特に１〜１０、特に好ましくは１〜６、格段に好ましくは１〜４の非分枝飽和脂肪アルコールの、エステルが好ましい。本発明の構造には、モノエステルがジエステルより好ましい。特に好ましいスルホスクシネートは、例えば、スルホスクシネート含有量が３０重量％であるTego（登録商標）Sulfosuccinat F 30（Goldschmidt）として市販されているスルホコハク酸ラウリルポリグリコールエステル二ナトリウム塩（ラウリル−ＥＯ−スルホスクシネート、二ナトリウム塩；INCI Disodium Laureth Sulfosuccinate）である。
【０１０２】
スルホスクシナメートまたはスルホスクシンアミドでは、スルホコハク酸の１つまたは両方のカルボキシル基が、１つまたは２つの同一または異なる、分枝または非分枝、飽和または不飽和、非環状または環状の、場合によってアルコキシル化されている、４〜２２個、好ましくは６〜２０個、特に８〜１８個、特に好ましくは１０〜１６個、格段に好ましくは１２〜１４個の炭素原子を有するアルキル基を含有する第一級または第二級アミンとカルボン酸アミドを形成する。非分枝および／または飽和および／または非環状アルキル基、特に非分枝脂肪アルキル基が特に好ましい。
【０１０３】
例えば、International Cosmetic Ingredient Dictionary and Handbookに詳細に記載されている、次のINCIによる記載のスルホスクシネートおよびスルホスクシナメートもまた好適である：アンモニウムジノニルスルホスクシネート、アンモニウムラウリルスルホスクシネート、ジアンモニウムジメチコンコポリオールスルホスクシネート、ジアンモニウムラウラミド−ＭＥＡスルホスクシネート、ジアンモニウムラウリルスルホスクシネート、ジアンモニウムオレアミドＰＥＧ−２スルホスクシネート、ジアミルナトリウムスルホスクシネート、ジカプリルナトリウムスルホスクシネート、ジシクロヘキシルナトリウムスルホスクシネート、ジヘプチルナトリウムスルホスクシネート、ジヘキシルナトリウムスルホスクシネート、ジイソブチルナトリウムスルホスクシネート、ジオクチルナトリウムスルホスクシネート、ジナトリウムセテアリルスルホスクシネート、ジナトリウムコカミドＭＥＡ−スルホスクシネート、ジナトリウムコカミドグルコシドスルホスクシネート、ジナトリウムココイルブチルグルセス−１０スルホスクシネート、ジナトリウムＣ１２−１５パレススルホスクシネート、ジナトリウムデセス−５スルホスクシネート、ジナトリウムデセス−６スルホスクシネート、ジナトリウムジヒドロキシエチルスルホスクシニルウンデシレネート、ジナトリウムジメチコンコポリオールスルホスクシネート、ジナトリウム水添コットンシードグリセリドスルホスクシネート、ジナトリウムイソデシルスルホスクシネート、ジナトリウムイソステアラミドＭＥＡ−スルホスクシネート、ジナトリウムイソステアラミドＭＩＰＡ−スルホスクシネート、ジナトリウムイソステアリルスルホスクシネート、ジナトリウムラネス−５スルホスクシネート、ジナトリウムラウラミドＰＥＧ−５スルホスクシネート、ジナトリウムラウレス−６スルホスクシネート、
【０１０４】
ジナトリウムラウレス−９スルホスクシネート、ジナトリウムラウレス−１２スルホスクシネート、ジナトリウムラウリルスルホスクシネート、ジナトリウムミリスタミドＭＥＡ−スルホスクシネート、ジナトリウムノノキシノール−１０スルホスクシネート、ジナトリウムオレアミドＭＥＡ−スルホスクシネート、ジナトリウムオレアミドＭＩＰＡ−スルホスクシネート、ジナトリウムオレアミドＰＥＧ−２スルホスクシネート、ジナトリウムオレス−３スルホスクシネート、ジナトリウムオレイルスルホスクシネート、ジナトリウムパルミタミドＰＥＧ−２スルホスクシネート、ジナトリウムパルミトレアミドＰＥＧ−２スルホスクシネート、ジナトリウムＰＥＧ−４コカミドＭＩＰＡ−スルホスクシネート、ジナトリウムＰＥＧ−５ラウリルシトレートスルホスクシネート、ジナトリウムＰＥＧ−８パームグリセリドスルホスクシネート、ジナトリウムリシノレアミドＭＥＡ−スルホスクシネート、ジナトリウムシトステレス−１４スルホスクシネート、ジナトリウムステアラミドＭＥＡ−スルホスクシネート、ジナトリウムステアリルスルホスクシナメート、ジナトリウムステアリルスルホスクシネート、ジナトリウムトールアミドＭＥＡ−スルホスクシネート、ジナトリウム獣脂アミドＭＥＡ−スルホスクシネート、ジナトリウム獣脂スルホスクシナメート、ジナトリウムトリデシルスルホスクシネート、ジナトリウムウンデシレンアミドＭＥＡ−スルホスクシネート、ジナトリウムウンデシレンアミドＰＥＧ−２スルホスクシネート、ジナトリウム小麦ゲルマミドＭＥＡ−スルホスクシネート、ジナトリウム小麦ゲルマミドＰＥＧ−２スルホスクシネート、ジ−ＴＥＡ−オレアミドＰＥＧ−２スルホスクシネート、ジトリデシルナトリウムスルホスクシネート、ナトリウムビスグリコールリシノスルホスクシネート、ナトリウム／ＭＥＡラウレス−２スルホスクシネートおよびテトラナトリウムジカルボキシエチルステアリルスルホスクシナメート。更に別の好適なスルホスクシナメートは、ジナトリウムＣ１６〜１８−アルコキシプロピレンスルホスクシナメートである。
【０１０５】
本発明の製剤におけるアニオン性界面活性剤、好ましくは、記載したアニオン性界面活性剤の含有量は、対象の製剤によって果たされる目的に応じて、広い範囲内で変動し得る。例えば、本発明の製剤は、かなり多量の、好ましくは、４０重量％、５０重量％または６０重量％まで、或いはそれを超える程度までのアニオン性界面活性剤を含み得る。本発明の製剤は、同様に、ごく少量の、例えば１５重量％もしくは１０重量％未満または５重量％未満或いはそれより少ないアニオン性界面活性剤も含み得る。しかしながら、本発明の製剤では、アニオン性界面活性剤は、２〜３５重量％、特に５〜３０重量％の量で存在することが有利であり、１０重量％を超える、更に１５重量％までも超える濃度が特に好ましい。好ましい態様によれば、本発明の製品は、アニオン性界面活性剤を、好ましくは、少なくとも０．１重量％の割合で含む。
【０１０６】
記載したアニオン性界面活性剤の他に、またそれらとは独立に、本発明の製剤は石鹸を含むことができる。特に適しているのは、飽和脂肪酸石鹸、例えばラウリン酸、ミリスチン酸、パルミチン酸、ステアリン酸、水添エルカ酸およびベヘン酸の塩、特に、天然脂肪酸、例えば、ココナツ、パーム脂肪酸または獣脂脂肪酸由来の石鹸混合物である。製剤における石鹸の含有量は、他の界面活性剤とは独立に、好ましくは、３重量％以下、特に０．５〜２．５重量％である。
【０１０７】
アニオン性界面活性剤および石鹸は、ナトリウム、カリウムまたはアンモニウム塩の形で存在し得、また有機塩基、例えばモノエタノールアミン、ジエタノールアミンまたはトリエタノールアミンの可溶性塩としても存在し得る。好ましくは、アニオン性界面活性剤および石鹸は、ナトリウムまたはカリウム塩の形、特にナトリウム塩の形で存在する。アニオン性界面活性剤および石鹸は、アニオン性界面活性酸、所望により、脂肪酸を、噴霧乾燥される組成物中に組み込んだ後、これらの酸が、噴霧乾燥される組成物中のアルカリ性担体によって中和されることにより、イン・サイチューでも調製され得る。
【０１０８】
有利には、本発明の製剤は同様に、非イオン性界面活性剤を、固体製剤および液体製剤の両方の形態で含み得る。例えば、非イオン性界面活性剤の含有量は、２重量％または３重量％または５重量％までであり得る。便宜な場合には、より多くの非イオン性界面活性剤が含まれ得、例えば５重量％までまたは１０重量％または１５重量％または２０重量％または３０重量％或いはそれを超えた量である。有用な下限値は、１重量％、２重量％、３重量％または４重量％の値であり得る。
【０１０９】
しかしながら、非イオン性界面活性剤は、好ましくは、より多量に、即ちいずれの場合も製剤全体に基づいて５０重量％まで、有利には０．１〜４０重量％、特に好ましくは０．５〜３０重量％、特に２〜２５重量％の量で含まれ得る。好ましい態様によれば、本発明の製品は、非イオン性界面活性剤を、好ましくは、少なくとも０．１重量％の割合で含む。
【０１１０】
先行技術により知られている全ての非イオン性界面活性剤が、有利には本発明の製剤に含まれ得る。好ましい非イオン性界面活性剤については以下に示す。
【０１１１】
本発明の製剤、例えば、特に、クリーナー、ケア剤および洗剤は、好ましくはカチオン性界面活性剤も含む。好適なカチオン性界面活性剤は、例えば、界面活性第四級化合物、特にアンモニウム、スルホニウム、ホスホニウム、ヨードニウムまたはアルソニウム基を有するものである。抗菌効果を有する第四級界面活性化合物を使用することによって、抗菌効果を有し、または他の成分によって既に存在する可能性のある抗菌効果を向上させる製剤を設計することができる。
【０１１２】
特に好ましいカチオン性界面活性剤は、一般式：
（ＲI）（ＲII）（ＲIII）（ＲIV）Ｎ＋Ｘ−
［式中、ＲI〜ＲIVは、同一または異なるＣ１〜２２−アルキル基、Ｃ７〜２８−アラルキル基または複素環式基であり、この場合、２つの基、または、ピリジンの場合のように芳香族結合のケースでは３つの基は、複素環の窒素原子と結合して、例えば、ピリジニウムまたはイミダゾリニウム化合物を形成し、Ｘ−はハロゲン化物イオン、硫酸イオン、水酸化物イオンまたは同様のアニオンである。］
の第四級の、一部のケースでは抗菌効果を有する、アンモニウム化合物（ＱＡＣ；INCI  第四級アンモニウム化合物）である。
最適な抗菌効果を得るには、少なくとも１つの基の鎖長が８〜１８個、特に１２〜１６個の炭素原子であることが好ましい。
【０１１３】
ＱＡＣは、第三級アミンと、例えば、塩化メチル、塩化ベンジル、硫酸ジメチル、臭化ドデシル、またエチレンオキシドのようなアルキル化剤とを反応させることにより調製することができる。１つの長アルキル基と２つのメチル基を有する第三級アミンのアルキル化は特に容易に行われる。２つの長い基と１つのメチル基を有する第三級アミンの四級化は穏和な条件下で塩化メチルを用いて行うことができる。３つの長アルキル基またはヒドロキシ置換アルキル基を有するアミンは、反応性が低く、硫酸ジメチルを用いて四級化することが好ましい。
【０１１４】
好適なＱＡＣは、例えば、塩化ベンザルコニウム（Ｎ−アルキル−Ｎ，Ｎ−ジメチルベンジルアンモニウムクロライド、CAS番号8001-54-5）、ベンザルコンＢ（ｍ，ｐ−ジクロロベンジル−ジメチル−Ｃ１２−アルキルアンモニウムクロライド、CAS番号58390-78-6）、塩化ベンゾキソニウム（ベンジルドデシルビス（２−ヒドロキシエチル）アンモニウムクロライド）、臭化セトリモニウム（Ｎ−ヘキサデシル−Ｎ，Ｎ−トリメチルアンモニウムブロマイド、CAS番号57-09-0）、塩化ベンゼトニウム（Ｎ，Ｎ−ジメチル−Ｎ−［２−［２−［ｐ−（１，１，３，３−テトラメチルブチル）フェノキシ］エトキシ］エチル］ベンジルアンモニウムクロライド、CAS番号121-54-09）、塩化ジアルキルジメチルアンモニウム、例えばジ−ｎ−デシルジメチルアンモニウムクロライド（CAS番号7173-51-5-5）、臭化ジデシルジメチルアンモニウム（CAS番号2390-68-3）、塩化ジオクチルジエチルアンモニウム、１−セチルピリジニウムクロライド（CAS番号123-03-5）およびヨウ化チアゾリン（CAS番号15764-48-1）並びにそれらの混合物である。好ましいＱＡＣは、Ｃ８〜１８アルキル基を有する塩化ベンザルコニウム、特にＣ１２〜１４アルキルベンジルジメチルアンモニウムクロライドである。特に好ましいＱＡＣは、ココペンタエトキシメチルアンモニウムメトスルフェート（INCI  ＰＥＧ−５ココモニウムメトスルフェート；Rewoquat（登録商標）CPEM）である。
【０１１５】
本発明の製剤に含まれ得る抗菌カチオン性界面活性剤とアニオン性界面活性剤との起こり得る不適合を回避するために、使用するカチオン性界面活性剤は、できる限りアニオン性界面活性剤に対する適合性を有するものであり、またはできる限り少ない量で使用され、或いは本発明の特別な態様では、カチオン性界面活性剤を全く使用しない。
【０１１６】
第四級アンモニウム化合物などの更なるカチオン性界面活性剤については、特にコンディショニング剤および柔軟剤に関連して、以下で説明する。これらも、好ましくは、本発明の製剤に含まれ得る。
【０１１７】
本発明の製剤、例えば好ましくは、洗剤、ケア剤および洗浄剤は、１種類以上のカチオン性界面活性剤を、有利には組成物全体に基づいて０〜３０重量％、より有利には０〜２０重量％超、好ましくは０．０１〜１０重量％、特に０．１〜５重量％の割合で含み得る。また、好適な最小値は、０．５重量％、１重量％、２重量％または３重量％であってもよい。好ましい態様によれば、本発明の製品は、カチオン性界面活性剤を、好ましくは、少なくとも０．１重量％の割合で含む。
【０１１８】
本発明の製剤、例えば好ましくは、洗剤、ケア剤および洗浄剤はまた、両性界面活性剤も同様に含み得る。これらについては、特にコンディショニング剤および柔軟剤に関連して、以下でより詳細に記載する。
【０１１９】
本発明の製剤、例えば好ましくは、洗剤、ケア剤および洗浄剤は、１種類以上の両性界面活性剤を、有利には組成物全体に基づいて０〜３０重量％、より有利には０〜２０重量％超、好ましくは０．０１〜１０重量％、特に０．１〜５重量％の割合で含み得る。
【０１２０】
本発明の製剤の更なる成分は、無機および有機ビルダーであってよい。無機ビルダーは、水不溶性または非水溶性成分、例えばアルミノケイ酸塩、特に、ゼオライトを含む。
【０１２１】
好ましい態様では、本発明の製剤は、リン酸塩を含まず、および／またはゼオライトを含まない。しかしながら、製剤はゼオライトを含んでもよい。このゼオライトの割合は、製剤の全重量に基づいて、５重量％未満、好ましくは４重量％以下、最大でも３重量％または最大でも２重量％であることが好まれ得る。
【０１２２】
しかしながら、本発明の製剤のゼオライト含有量が少なくとも１０重量％、例えば、少なくとも１５重量％または少なくとも２０重量％または少なくとも３０重量％、或いはそれを超える、例えば少なくとも５０重量％であることも意図され得る。
【０１２３】
本発明の製剤は、可溶性ビルダーを、好適には、１０重量％〜３０重量％、好ましくは１５重量％〜２５重量％、特に好ましくは１８重量％〜２０重量％の割合で含み得、炭酸ナトリウムが特に好ましい可溶性ビルダーである。しかしながら、有利には、本発明の製剤が１０重量％未満、例えば５重量％未満の可溶性ビルダーを含むことも意図され得る。
【０１２４】
使用することができる、微細結晶性の結合水含有合成ゼオライトは、好ましくは、ゼオライトＡおよび／またはゼオライトＰである。特に好ましいゼオライトＰは、例えば、ゼオライトＭＡＰ（登録商標）（Crosfield社の市販製品）である。しかしながら、ゼオライトＸ、また、ゼオライトＡ、Ｘおよび／またはＰの混合物も好適である。ゼオライトＡおよびゼオライトＸの共結晶化ナトリウム／カリウムアルミニウムシリケートも特に興味深く、これはVEGOBOND AX（登録商標）（Condea Augusta S.p.A.の市販製品）として市販されている。この製品については、以下でより詳細に記載する。ゼオライトは、噴霧乾燥粉末として使用することができ、また調製してまだ湿潤した状態の未乾燥安定化懸濁液として使用することができる。ゼオライトを懸濁液として使用する場合には、その懸濁液は、安定剤として、少量の非イオン性界面活性剤、例えばゼオライトに基づいて１〜３重量％の、２〜５つのエチレンオキシド基を有するエトキシル化Ｃ１２〜１８脂肪アルコール、４〜５つのエチレンオキシド基を有するＣ１２〜１４脂肪アルコール、またはエトキシル化イソトリデカノールを含むことができる。好適なゼオライトは、平均粒径が好ましくは、１０μｍ未満（体積分布；測定法：Coulter counter）であり、好ましくは１８〜２２重量％、特に２０〜２２重量％の結合水を含有する。
【０１２５】
更なる特に好適なゼオライトは、フォージャサイト型ゼオライトである。鉱物フォージャサイトは、ゼオライトＸおよびＹとともに、二重六員環サブユニットＤ６Ｒを特徴とするゼオライト構造グループ４のフォージャサイト型に属する。前記フォージャサイト型の他、ゼオライト構造グループ４は、鉱物菱沸石およびグメリン沸石、そして合成ゼオライトＲ（菱沸石型）、Ｓ（グメリン沸石型）、ＬおよびＺＫ−５も含む。最後に記載した２つの合成ゼオライトには鉱物類似体は存在しない。
【０１２６】
フォージャサイト型のゼオライトは、Ｄ６Ｒサブユニットを介して四面体的に結合したβケージからなり、そのβケージはダイヤモンドの炭素原子と同じように配置されている。本発明の好適なフォージャサイト型ゼオライトの三次元網目構造は、２．２Åおよび７．４Åの孔を有する。更に単位格子は直径およそ１３Åの８個の空洞を含み、式：
Ｎａ８６［（ＡｌＯ２）８６（ＳｉＯ２）１０６］・２６４Ｈ２Ｏ
によって記載され得る。従って、ゼオライトＸの網目構造は、無水結晶に基づいて約５０％の空洞容積を有する。その空洞容積は全ての既知ゼオライトの最大空間である（ゼオライトＹ：空洞容積  約４８％、フォージャサイト：空洞容積  約４７％）。
【０１２７】
本発明では、用語「フォージャサイト型ゼオライト」とは、ゼオライト構造グループ４のフォージャサイトサブグループを構成する３種類のゼオライト全てを説明するものである。本発明では、ゼオライトＸだけでなく、ゼオライトＹおよびフォージャサイト、並びにこれらの化合物の混合物も好適であり、純粋なゼオライトＸが好ましい。
【０１２８】
本発明によれば、フォージャサイト型ゼオライトと他のゼオライトとの混合物または共結晶化物も好適であり、その混合物または共結晶化物は必ずしもゼオライト構造グループ４に属している必要はないが、少なくとも５０重量％のゼオライトがフォージャサイト型であることが好ましい。
【０１２９】
好適なケイ酸アルミニウムは市販されており、それらを調製する方法は、標準的な研究論文に記載されている。
【０１３０】
Ｘ型の市販ゼオライトの例は、次式：
【化１】
2009516034.tif 000002
［式中、ｘは、０〜２７６の数値である。］
により記載することができる。これらのゼオライトの孔径は８．０〜８．４Åである。
【０１３１】
例えば、ゼオライトＸとゼオライトＡとの共結晶化物に相当し、無水形態では式：
（Ｍ２／ｎＯ＋Ｍ’２／ｎＯ）・Ａｌ２Ｏ３・ｚＳｉＯ２
［式中、ＭおよびＭ’は、アルカリ金属またはアルカリ土類金属であってよく、ｚは、２．１〜２．６の数である。］
を有する、ゼオライトＡ−ＬＳＸも好適である。この製品は、Condea Augusta S.p.A.からVEGOBOND AXという商品名で市販されている。
【０１３２】
Ｙ型のゼオライトも市販されており、式：
【化２】
2009516034.tif 000003
［式中、ｘは、０〜２７６の数である。］
により記載することができる。これらのゼオライトの孔径は８．０Åである。
【０１３３】
好適なゼオライトの粒径は、有利には０．１μｍ〜１００μｍ、好ましくは０．５μｍ〜５０μｍ、特に１μｍ〜３０μｍの範囲にあり、いずれの場合も標準的な粒径測定法を用いて測定される。
【０１３４】
本発明の好ましい態様では、含まれる無機成分の全ては、好ましくは、水溶性であるべきである。そのため、これらの態様では、記載したゼオライト以外のビルダー物質を使用する。
【０１３５】
他の好適なビルダー物質は、ポリアセタールであり、このポリアセタールは、ジアルデヒドと、５〜７個の炭素原子および少なくとも３つのヒドロキシル基を有するポリオールカルボン酸との反応により得ることができる。好ましいポリアセタールは、例えばグリオキサール、グルタルアルデヒド、テレフタルアルデヒド、およびそれらの混合物のようなジアルデヒドと、例えばグルコン酸および／またはグルコヘプトン酸のようなポリオールカルボン酸とから得られる。
【０１３６】
他の好適な有機ビルダー物質は、デキストリン、例えばデンプンの部分的加水分解により得ることができる炭水化物のオリゴマーまたはポリマーである。この加水分解は、慣例的な方法により行うことができ、例には酸触媒または酵素触媒による方法がある。加水分解産物は、好ましくは、平均分子量が４００〜５００，０００ｇ／ｍｏｌの範囲のものである。ここでは、デキストロース当量（ＤＥ）が０．５〜４０、特に２〜３０の範囲の多糖類が好ましく、この場合、ＤＥは、ＤＥが１００であるデキストロースと対照する多糖類の還元効果の慣例的な指標である。ＤＥが３〜２０であるマルトデキストリンおよびＤＥが２０〜３７である乾燥グルコースシロップ、そして２，０００〜３０，０００ｇ／ｍｏｌの範囲のより高い分子量を有する、いわゆる黄色デキストリンおよび白色デキストリンのいずれも使用することができる。１つの好ましいデキストリンは、英国特許出願第９４  １９  ０９１号に記載されている。そのようなデキストリンの酸化誘導体は、糖類の環の少なくとも１つのアルコール官能基をカルボン酸官能基へと酸化することができる酸化剤によるデキストリンの反応生成物である。
【０１３７】
オキシジスクシネートおよび他のジスクシネート誘導体、好ましくは、エチレンジアミンジスクシネートもまた、更なる好適な共ビルダーである。エチレンジアミンＮ，Ｎ’−ジスクシネート（ＥＤＤＳ）を、そのナトリウム塩またはマグネシウム塩の形で使用することが好ましい。これに関連して、グリセロールジスクシネートおよびグリセロールトリスクシネートも更に好ましい。好適な使用量は、例えば、製剤全体に基づいて３〜１５重量％の範囲である。
【０１３８】
使用することができる他の有機共ビルダーは、例えば、アセチル化ヒドロキシカルボン酸またはそれらの塩であり、それらは、場合によって、ラクトン形態で存在していてもよく、少なくとも４個の炭素原子と少なくとも１つのヒドロキシ基および最大でも２つの酸性基を含有する。
【０１３９】
共ビルダー特性を有する更なる物質はホスホネートである。これらは、特に、ヒドロキシアルカンホスホネートまたはアミノアルカンホスホネートである。ヒドロキシアルカンホスホネートでは、１−ヒドロキシエタン−１，１−ジホスホネート（ＨＥＤＰ）が共ビルダーとして特に重要である。１−ヒドロキシエタン−１，１−ジホスホネートは、ナトリウム塩として使用することが好ましく、ジナトリウム塩は中性であり、テトラナトリウム塩はアルカリ性（ｐＨ９）である。好適なアミノアルカンホスホネートは、好ましくは、エチレンジアミンテトラメチレンホスホネート（ＥＤＴＭＰ）、ジエチレントリアミンペンタメチレンホスホネート（ＤＴＰＭＰ）およびそれらの高級同族体である。それらは、中性のナトリウム塩の形で、例えば、ＥＤＴＭＰのヘキサナトリウム塩として、またはＤＴＰＭＰのヘプタナトリウム塩およびオクタナトリウム塩として、使用することが好ましい。使用されるホスホネート型のビルダーは、好ましくは、ＨＥＤＰである。加えて、アミノアルカンホスホネートは、顕著な重金属結合能を有する。それゆえ、特に製剤が漂白剤も含む場合には、アミノアルカンホスホネート、特にＤＴＰＭＰ、または前記ホスホネートの混合物を使用することが好ましい。
【０１４０】
リン酸塩を含有することが許容される場合では、リン酸塩、特にトリリン酸五ナトリウム、場合によってピロリン酸塩およびオルトリン酸塩も使用することができ、それらは主としてカルシウム塩の沈殿剤として作用する。リン酸塩は、大部分は食器洗浄機用製剤に使用されるが、洗濯洗剤に使用されることもある。
【０１４１】
アルカリ金属リン酸塩は、様々なリン酸（メタリン酸（ＨＰＯ３）ｎおよびオルトリン酸Ｈ３ＰＯ４、並びにより高分子量の代表物とは区別されていてよい）のアルカリ金属（特にナトリウムおよびカリウム）塩に対する総称である。リン酸塩は、数多くの利点を兼ね備える：リン酸塩は、アルカリ担体として働き、機械部品への石灰かすの沈積や布地への石灰の付着を防ぎ、更に、洗浄力に貢献する。
【０１４２】
リン酸二水素ナトリウム、ＮａＨ２ＰＯ４は、二水和物（密度１．９１ｇ／ｃｍ３、融点６０℃）として、そして一水和物（密度２．０４ｇ／ｃｍ３）として存在する。どちらの塩も、水に極めて溶けやすい白色粉末であり、加熱すると結晶水を失い、２００℃では弱酸性二リン酸塩（二リン酸水素二ナトリウム、Ｎａ２Ｈ２Ｐ２Ｏ７）へと変換され、高温ではトリメタリン酸ナトリウム（Ｎａ３Ｐ３Ｏ９）とマッドレル塩（下記参照）へと変換される。ＮａＨ２ＰＯ４は、酸性反応を呈し；ＮａＨ２ＰＯ４は、リン酸を、水酸化ナトリウムを用いてｐＨ４．５に調整した場合に生成し、その懸濁液は噴霧乾燥される。リン酸二水素カリウム（第一リン酸カリウム、重リン酸カリウム、ＫＤＰ）、ＫＨ２ＰＯ４は、密度２．３３ｇ／ｃｍ３の白色塩であり、融点は２５３℃であり［ポリリン酸カリウム、（ＫＰＯ３）ｘの形成により分解］、易水溶性である。
【０１４３】
リン酸水素二ナトリウム（第二リン酸ナトリウム）、Ｎａ２ＨＰＯ４は、水に極めて溶けやすい無色の結晶性塩である。リン酸水素二ナトリウムは、無水形態で、そして２ｍｏｌの水（密度２．０６６ｇ／ｃｍ３、９５℃で水消失）、７ｍｏｌの水（密度１．６８ｇ／ｃｍ３、融点４８℃（５Ｈ２Ｏを消失））および１２ｍｏｌの水（密度１．５２ｇ／ｃｍ３、融点３５℃（５Ｈ２Ｏを消失））を有する状態で存在し、１００℃で無水状態になり、更に激しく加熱すると、二リン酸塩、Ｎａ４Ｐ２Ｏ７へと転化する。リン酸水素二ナトリウムは、指示薬としてフェノールフタレインを用いて炭酸ナトリウム溶液でリン酸を中和することにより調製される。リン酸水素二カリウム（第二リン酸カリウム）、Ｋ２ＨＰＯ４は、白色の非晶質塩であり、易水溶性である。
【０１４４】
リン酸三ナトリウム（第三リン酸ナトリウム）、Ｎａ３ＰＯ４は、無色の結晶であり、この結晶は、十二水和物としては密度が１．６２ｇ／ｃｍ３、融点が７３〜７６℃（分解）であり、十水和物（１９〜２０％Ｐ２Ｏ５に相当する）としては融点が１００℃であり、無水形態（３９〜４０％Ｐ２Ｏ５に相当する）では密度が２．５３６ｇ／ｃｍ３である。リン酸三ナトリウムは、易水溶性であり、アルカリ性反応を呈し、正確に１ｍｏｌのリン酸二ナトリウムと１ｍｏｌのＮａＯＨの溶液を蒸発濃縮することにより調製される。リン酸三カリウム（第三リン酸カリウム）、Ｋ３ＰＯ４は、密度２．５６ｇ／ｃｍ３の白色潮解性顆粒状粉末であり、融点が１３４０℃であり、易水溶性であり、アルカリ性反応を呈する。リン酸三カリウムは、例えば、塩基性スラグに炭と硫酸カリウムとを加えて加熱したときに生成する。より溶けやすく、それ故より高活性のリン酸カリウムは、価格が比較的高いにも拘わらず、洗浄剤産業では、対応するナトリウム化合物と比べて好ましい場合が多い。
【０１４５】
二リン酸四ナトリウム（ピロリン酸ナトリウム）、Ｎａ４Ｐ２Ｏ７は、無水形態（密度２．５３４ｇ／ｃｍ３、融点９８８℃、８８０℃とも報告されている）で、そして十水和物（密度１．８１５〜１．８３６ｇ／ｃｍ３、融点９４℃（水を消失））として存在する。どちらの物質も無色の結晶であり、この結晶は水に溶け、アルカリ性反応を呈する。Ｎａ４Ｐ２Ｏ７は、リン酸二ナトリウムを＞２００℃で加熱すると、またはリン酸と炭酸ナトリウムとを化学量論比で反応させ、その溶液を噴霧乾燥することにより生成する。十水和物は、重金属塩と硬度形成体（hardness former）とを錯体化するため、水の硬度を低下する。二リン酸カリウム（ピロリン酸カリウム）、Ｋ４Ｐ２Ｏ７は、三水和物の形で存在し、密度２．３３ｇ／ｃｍ３の無色の吸湿性粉末であり、この粉末は水溶性であり、その１％濃度の溶液の２５℃でのｐＨは１０．４である。
【０１４６】
ＮａＨ２ＰＯ４の縮合またはＫＨ２ＰＯ４の縮合により、高分子量のリン酸ナトリウムおよびリン酸カリウムが生成し、それらは、環状代表物であるメタリン酸ナトリウムまたはメタリン酸カリウム、並びに鎖状タイプであるポリリン酸ナトリウムまたはポリリン酸カリウムに区別することができる。後者のものについては、特に多くの名前が用いられている：溶成または焼成リン酸塩、グレーアム塩、クロール塩およびマッドレル塩。高分子のリン酸ナトリウムおよびリン酸カリウムの全てを、まとめて縮合リン酸塩と称する。
【０１４７】
産業上重要な三リン酸五ナトリウム、Ｎａ５Ｐ３Ｏ１０（トリポリリン酸ナトリウム）は、非吸湿性の白色水溶性塩であり、この塩は無水であるか、または６Ｈ２Ｏを含んで結晶化しており、一般式：ＮａＯ−［Ｐ（Ｏ）（ＯＮａ）−Ｏ］ｎ−Ｎａ（式中、ｎ＝３）を有する。室温では１００ｇの水に約１７ｇの無水塩が溶け、６０℃では約２０ｇ、１００℃では約３２ｇ溶ける；その溶液を１００℃で２時間加熱すると、加水分解により約８％のオルトリン酸塩と１５％の二リン酸塩が生成する。三リン酸五ナトリウムの調製では、リン酸を、炭酸ナトリウム溶液または水酸化ナトリウム溶液と化学量論比で反応させ、その溶液を噴霧乾燥する。グレーアム塩と二リン酸ナトリウムと同様に、三リン酸五ナトリウムは数多くの不溶性金属化合物（石灰石鹸などを含む）を溶解する。三リン酸五カリウム、Ｋ５Ｐ３Ｏ１０（トリポリリン酸カリウム）は、例えば、５０重量％濃度の溶液（＞２３％Ｐ２Ｏ５、２５％Ｋ２Ｏ）の形で市販されている。ポリリン酸カリウムは、洗剤および洗浄剤に広く使用されている。本発明の目的に同様に使用することができるトリポリリン酸ナトリウムカリウムも存在する。これらは、例えば、トリメタリン酸ナトリウムをＫＯＨで加水分解すると生成する。
（ＮａＰＯ３）３＋２ＫＯＨ→Ｎａ３Ｋ２Ｐ３Ｏ１０＋Ｈ２Ｏ
【０１４８】
これらは、本発明に従って、トリポリリン酸ナトリウム、トリポリリン酸カリウムまたはこれら２つの混合物と全く同じように使用することができる。トリポリリン酸ナトリウムとトリポリリン酸ナトリウムカリウムとの混合物、またはトリポリリン酸カリウムとトリポリリン酸ナトリウムカリウムとの混合物、またはトリポリリン酸ナトリウムとトリポリリン酸カリウムとトリポリリン酸ナトリウムカリウムとの混合物もまた、本発明に従って使用することができる。
【０１４９】
本発明の好ましい態様では、炭酸塩およびケイ酸塩を、無機ビルダー物質として使用する。
【０１５０】
本明細書では、特に一般式：ＮａＭＳｉｘＯ２ｘ＋１・ｙＨ２Ｏ［式中、Ｍはナトリウムまたはカリウムであり、ｘは１．６〜４、好ましくは１．９〜４．０の数であり、ｙは０〜２０の数であり、ｘの好ましい値は２、３または４である。］の結晶性層状ケイ酸ナトリウムについて言及する。しかしながら、このような結晶性シリケートは噴霧乾燥処理によりその結晶構造を少なくとも部分的に失うため、結晶性シリケートを、処理された噴霧乾燥製品に、直ちにまたは後に添加することが好ましい。示した式の好ましい結晶性層状シリケートは、Ｍがナトリウムであり、ｘが２もしくは３の値のものである。特に、β−二ケイ酸ナトリウムおよびδ−二ケイ酸ナトリウム、Ｎａ２Ｓｉ２Ｏ５・ｙＨ２Ｏの両方が好ましい。このような化合物は、例えば、ＳＫＳ（登録商標）（Clariant）という名称で市販されている。ＳＫＳ−６（登録商標）は、主として、式：Ｎａ２Ｓｉ２Ｏ５・ｙＨ２Ｏを有するδ−二ケイ酸ナトリウムである。ＳＫＳ−７（登録商標）は、主として、β−二ケイ酸ナトリウムである。δ−二ケイ酸ナトリウムから酸（例えば、クエン酸または炭酸）との反応によりカネマイト、ＮａＨＳｉ２Ｏ５・ｙＨ２Ｏが生じ、ＳＫＳ−９（登録商標）およびＳＫＳ−１０（登録商標）（Clariant）という名称で市販されている。これらの層状シリケートの化学変性品を利用することも有利であり得る。例えば、層状シリケートのアルカリ度は適当に影響を受け得る。δ−二ケイ酸ナトリウムと比べて、リン酸塩でドープした層状シリケートまたは炭酸塩でドープした層状シリケートは、結晶形態が変わっており、より迅速に溶解し、δ−二ケイ酸ナトリウムのものより高いカルシウム結合能を示す。例えば、ｘとｙとの比率が０．３５〜０．６の数値に相当し、ｘとｚとの比率が１．７５〜１２００の数値に相当し、かつｙとｚとの比率が４〜２８００の数値に相当する、一般実験式：ｘＮａ２Ｏ・ｙＳｉＯ２・ｚＰ２Ｏ５の層状シリケートが知られている。層状シリケートの溶解度は、特に微粉層状シリケートを用いることによっても高めることができる。結晶性層状シリケートと他の成分の化合物も使用することができる。とりわけ、崩壊効果において有利であるセルロース誘導体との化合物、およびポリカルボン酸塩（例えば、クエン酸）またはポリカルボン酸塩ポリマー（例えば、アクリル酸のコポリマー）との化合物について言及する。
【０１５１】
好ましいビルダー物質としては、Ｎａ２Ｏ：ＳｉＯ２が１：２〜１：３．３、好ましくは１：２〜１：２．８、特に１：２〜１：２．６である非晶質ケイ酸ナトリウムも含まれ、それは二次的洗浄特性を有する。本発明において、用語「非晶質（の）」とは、「Ｘ線非晶質（の）」を意味すると理解される。これは、ケイ酸塩は、Ｘ線回折実験において、結晶性物質に典型的なシャープなＸ線反射を生じないが、その代わりに数度単位の回折角の幅を有する散乱Ｘ線の最大値を１つ以上常に示すということを意味する。しかしながら、電子回折実験において、ケイ酸塩粒子が不明瞭な或いははっきりとした回折最大値さえ示す場合には、ビルダー特性は良好、または極めて良好であり得る。これは、生成物がサイズ１０〜数百ｎｍの微結晶領域を有するという意味であり、その値は最大５０ｎｍまで、特に最大２０ｎｍまでが好ましい。通常の水ガラスよりもゆっくりと溶解する、以上のようないわゆる「Ｘ線非晶質」シリケートは、公知である。圧縮非晶質シリケート、複合非晶質シリケート、および過乾燥Ｘ線非晶質シリケートは、特に好ましい。（Ｘ線）非晶質シリケートの、特にゼオライトを含まない製剤における含有量は、好ましくは、１〜１０重量％であり、これは本発明の好ましい態様に相当する。
【０１５２】
特に好ましい無機水溶性ビルダーは、アルカリ金属炭酸塩およびアルカリ金属重炭酸塩であり、好ましい態様は、炭酸ナトリウムおよび炭酸カリウム、特に炭酸ナトリウムである。アルカリ金属炭酸塩の、特にゼオライトを含まない製剤における含有量は、非常に広範囲にわたって変動し得、好ましくは５〜４０重量％、特に８〜３０重量％である。アルカリ金属炭酸塩の含有量は、通常、（Ｘ線）非晶質シリケートの含有量よりも高い。
【０１５３】
使用することができる有機ビルダーの例は、そのような使用について生態学上異議がないという条件で、アルカリ金属、特にナトリウムの塩の形態のポリカルボン酸、例えば、クエン酸、アジピン酸、コハク酸、グルタル酸、酒石酸、糖酸、アミノカルボン酸、ニトリロ三酢酸（ＮＴＡ）、更にはこれらの混合物である。好ましい塩は、ポリカルボン酸、例えば、クエン酸、アジピン酸、コハク酸、グルタル酸、酒石酸、糖酸、アミノカルボン酸、およびこれらの混合物の塩である。これらの酸は酸自体としても使用し得る。このような酸は、そのビルダー作用の他に、一般には、酸性化成分の特性も有し、そのため、例えば本発明の顆粒の場合のように、洗剤および洗浄剤の低弱なｐＨを確立するのにも役立つ。これに関しては、特にクエン酸、コハク酸、グルタル酸、アジピン酸、グルコン酸、およびそれらの任意の望ましい混合物が挙げられ得る。
【０１５４】
有機ビルダーとして好適なものには他のポリカルボン酸塩ポリマーもある。このようなポリカルボン酸塩ポリマーは、例えば、ポリアクリル酸またはポリメタクリル酸のアルカリ金属塩、例えば相対分子量が５００〜７０，０００ｇ／ｍｏｌのものである。本明細書の意味の範囲内で、ポリカルボン酸塩ポリマーに関して記述される分子量は、各々の酸形態の重量平均分子量Ｍｗであり、原則としてゲル浸透クロマトグラフィー（ＧＰＣ）により、ＵＶ検出器を用いて測定したものである。測定は、外部ポリアクリル酸標準に対して行われ、調査するポリマーとのその構造的類似性から実際の分子量値が得られる。これらの値は、標準としてポリスチレンスルホン酸を用いて得られた分子量データとは著しく異なる。ポリスチレンスルホン酸を用いて測定された分子量は、一般に、本明細書において記述される分子量よりもずっと高い。
【０１５５】
本発明の製剤はまた、特に香油（香料）の担体として、ポリマーも含み得る。香料とともに担体として使用することもできる好適なポリマーとしては、特に、ポリアクリレートが挙げられ、このポリアクリレートは、分子量が２，０００〜２０，０００ｇ／ｍｏｌであることが好ましい。この群においては、それらの優れた溶解性から、分子量が２０００〜１０，０００ｇ／ｍｏｌ、特に好ましくは３，０００〜５，０００ｇ／ｍｏｌである短鎖ポリアクリレートが好ましい。
【０１５６】
また、他のポリカルボン酸塩コポリマー、特にアクリル酸とメタクリル酸とのコポリマーの塩、およびアクリル酸またはメタクリル酸とマレイン酸とのコポリマーの塩も適している。５０〜９０重量％のアクリル酸と５０〜１０重量％のマレイン酸とを含むアクリル酸とマレイン酸とのコポリマーの塩が特に好適であることが証明されている。それらの相対分子量は、遊離酸に基づいて、一般に２，０００〜７０，０００ｇ／ｍｏｌ、好ましくは３０，０００〜５０，０００ｇ／ｍｏｌ、特に３０，０００〜４０，０００ｇ／ｍｏｌである。
【０１５７】
有機ビルダー物質の製剤における含有量は、広範囲にわたって変動し得る。２〜２０重量％の含有量が好ましく、特に最大でも１０重量％の含有量が特によく受け入れられる。
【０１５８】
本発明の製剤は、グレーイング阻害剤（再付着防止剤）、中性塩および／または布地柔軟助剤（例えばカチオン性界面活性剤）の群から選択される成分も有し得、このような組成物は好ましい。
【０１５９】
再付着防止剤の働きは、繊維から分離された汚れを液体中に懸濁した状態に保つことであり、それによって、汚れの再付着を防ぐことである。この目的には、主に有機性の水溶性コロイドが適している。その例は、カルボン酸ポリマーの水溶性塩、粘質物、ゼラチン、デンプンもしくはセルロースのエーテルカルボン酸もしくはエーテルスルホン酸の塩、またはセルロースもしくはデンプンの酸性硫酸エステルの塩が適している。酸性基を含む水溶性ポリアミドもこの目的に適している。更に、上記以外の可溶性デンプン調製物およびデンプン製品、例えばデンプン分解物、アルデヒドデンプンなども使用可能である。また、ポリビニルピロリドンも使用可能である。しかしながら、セルロースエーテル、例えばカルボキシメチルセルロース（Ｎａ塩）、メチルセルロース、ヒドロキシアルキルセルロース、および混合エーテル、例えばメチルヒドロキシエチルセルロース、メチルヒドロキシプロピルセルロース、メチルカルボキシメチルセルロース、並びにそれらの混合物、そして、ポリビニルピロリドンを、例えば製剤に基づいて、好ましくは０．１〜５重量％の量で使用することも好ましい。
【０１６０】
中性塩の好適な例は硫酸ナトリウムである。これは、例えば、０〜６０重量％、好ましくは２〜４５重量％の割合で使用することができる。
【０１６１】
以下でより詳細に記載される好適な柔軟剤は、例えば、対応するモンモリロナイト型、例えばベントナイトの膨潤性層状シリケート、およびカチオン性界面活性剤である。
【０１６２】
製剤における含水量は、とりわけ、製剤が液体状で存在するか、または固体状で存在するかによって決まるため、好ましくは０〜１００重量％未満、特に０．５〜９５重量％であり、そして、特に固体製剤または非水性液体製剤の場合では、最大でも５重量％の値が特に好ましい。固体製剤の場合、これらの数値には、ゼオライトのようなアルミノケイ酸塩に結合している水は含んでいない。
【０１６３】
液体製剤の場合では、好ましい態様によれば、本発明の製剤は、水を、２０重量％超、有利には３０重量％超、更に有利には４０重量％超、より有利には５０重量％超、特に６０〜９５重量％、特に好ましくは７０〜９３重量％、非常に好ましくは８０〜９０重量％の量で含む。
【０１６４】
製剤が固体である場合には、本発明の製剤は、優れたフロー挙動を有し得る。好ましい態様によれば、本発明の製剤は、本質的に固体状であり、好ましくは、微粉状、圧縮状または顆粒状で存在する。
【０１６５】
製剤が粒子状であるならば、例えば製剤の粒子に丸みをつけることにより、粒子を後処理することができる。丸みづけは、通常の方法で行ってよい。好ましくは、丸みづけ時間は４分以下、特に３．５分以下である。丸みづけ時間は、最大でも１．５分またはそれより短いことが特に好ましい。生じ得る塊のサイズは低減されるので、丸みづけは、粒子サイズ範囲の更なる均一をもたらす。
【０１６６】
粒子状の本発明の製剤は、特に、非イオン性界面活性剤、香油（香料）および／または発泡防止剤、またはこれらの成分を含む調製物を、好ましくは、いずれの場合も後処理される製品に基づいて２０重量％までの活性物質量で、特に２〜１８重量％の活性物質量で用いて、慣例的な方法により、好ましくはミキサー或いは場合により流動床で、後処理することができる。
【０１６７】
特に、本発明の製剤は、粉末化することもでき、または、好ましくはいずれの場合も後処理される製剤の全重量に基づいて１５重量％までの量、特に２〜１５重量％の量で、固体を用いて後処理することもできる。
【０１６８】
後処理に使用することができる固体は、好ましくは、特に、後処理される製品の全重量に基づいて２〜１５重量％の量の、重炭酸塩、炭酸塩、ゼオライト、ケイ酸、クエン酸塩、尿素、またはこれらの混合物であり得る。後処理は、有利にはミキサーで、および／またはスフェロナイザーを用いて行うことができる。
【０１６９】
本発明の好ましい態様では、本発明の製剤は非イオン性界面活性剤で後処理され、この非イオン性界面活性剤は、例えば蛍光増白剤および／またはヒドロトロープ、香料（香油）および／または、蛍光増白剤および／または発泡防止剤或いはこれらの成分を含み得る調製物の溶液を含んでいてもよい。好ましくは、これらの成分またはこれらの成分を含む調製物は、液体状、溶融体状またはペースト状で、後処理を受ける粒子状製剤に適用される。
【０１７０】
記述された物質での後処理は、通常のミキサーで、単に例えば二軸ミキサーで、最長１分間、好ましくは３０秒以内、例えば２０秒以内で行うことが好ましく、同時に、この時間表示は、添加時間と混合時間についてのものである。
【０１７１】
非イオン性界面活性剤は以下により詳細に記載される。これらの非イオン性界面活性剤は、後処理工程において微粒子製剤に適用することができる。しかしながら、全ての非イオン性界面活性剤は、もちろん、本発明の製剤中に直接含まれていることが有利であり得、非イオン性界面活性剤は液体または固体、或いは泡状またはゲル状であってよい。
【０１７２】
使用される非イオン性界面活性剤は、好ましくは、アルコキシル化された、有利にはエトキシル化された、特に、好ましくは、８〜１８個の炭素原子と、アルコール１ｍｏｌ当たり平均して１〜１２ｍｏｌのエチレンオキシド（ＥＯ）とを有する第一級アルコールであり、そのアルコール基は、直鎖であってよく、または好ましくは、２位でメチル分枝していてよく、またはオキソアルコール基に通常存在するように直鎖基とメチル分枝基とを混合状態で含有する場合もある。しかしながら、特に、１２〜１８個の炭素原子を有する天然起源のアルコール、例えば、ココアルコール、パームアルコール、パーム核アルコール、獣脂脂肪アルコールまたはオレイルアルコールの直鎖基と、アルコール１ｍｏｌ当たり平均して２〜８個のＥＯ基とを含有するアルコールエトキシレートが好ましい。好ましいエトキシル化アルコールとしては、例えば、３個のＥＯまたは４個のＥＯを含有するＣ１２〜１４−アルコール、７個のＥＯを含有するＣ９〜１１−アルコール、３個のＥＯ、５個のＥＯ、７個のＥＯまたは８個のＥＯを含有するＣ１３〜１５−アルコール、３個のＥＯ、５個のＥＯまたは７個のＥＯを含有するＣ１２〜１８−アルコール、およびそれらの混合物、例えば３個のＥＯを含有するＣ１２〜１４−アルコールと７個のＥＯを含有するＣ１２〜１８−アルコールとの混合物が挙げられる。上記のエトキシル化度は統計的平均値であり、そのため、特定の生成物に関しては、整数または分数であってよい。
【０１７３】
好ましいアルコールエトキシレートは狭い同族体分布を有する（狭範囲エトキシレート、ＮＲＥ）。これらの非イオン性界面活性剤の他に、１２個を超えるＥＯを含有する脂肪アルコールを使用することもできる。その例は、１４個のＥＯ、１６個のＥＯ、２０個のＥＯ、２５個のＥＯ、３０個のＥＯまたは４０個のＥＯを含有する（獣脂）脂肪アルコールである。
【０１７４】
好ましい非イオン性界面活性剤は、エチレンオキシド（ＥＯ）および／またはプロピレンオキシド（ＰＯ）で単数または複数アルコキシル化されており、アルコキシル化度が３０までである、分枝または非分枝、飽和または不飽和Ｃ１０〜２２−アルコール、好適には、エトキシル化度が３０未満、好ましくは１〜２０、特に１〜１２、特に好ましくは１〜８、格段に好ましくは２〜５であるエトキシル化Ｃ１０〜１８−脂肪アルコール、例えば２個、３個または４個のＥＯを有するＣ１２〜１４−脂肪アルコールエトキシレート、または３個のＥＯを有するＣ１２〜１４−脂肪アルコールエトキシレートと４個のＥＯを有するＣ１２〜１４−脂肪アルコールエトキシレートとの重量比１：１の混合物、または５個、８個もしくは１２個のＥＯを有するイソトリデシルアルコールエトキシレートである。
【０１７５】
更に、使用することができる別の非イオン性界面活性剤は、一般式：ＲＯ（Ｇ）ｘ［式中、Ｒは、８〜２２個、好ましくは１２〜１８個の炭素原子を有する直鎖状またはメチル分枝状、特に２位でメチル分枝した第一級脂肪族基であり、Ｇは５または６個の炭素原子を有するグリコース単位、好ましくは、グルコースを表す記号である。］のアルキルグリコシドである。モノグリコシドおよびオリゴグリコシドの分布を表すオリゴマー化度ｘは、１〜１０の任意の所望の数である。好ましくは、ｘは１．１〜１．４である。
【０１７６】
単一の非イオン性界面活性剤として、または他の非イオン性界面活性剤と組み合わせて、特にアルコキシル化脂肪アルコールおよび／またはアルキルグリコシドとともに使用される、好ましい非イオン性界面活性剤の更なる種類は、アルキル鎖中に好ましくは１〜４個の炭素原子を有する、アルコキシル化された、好ましくはエトキシル化された、またはエトキシル化かつプロポキシル化された、脂肪酸アルキルエステル、特に、例えば、特開昭５８−２１７５９８に記載されているような或いは好ましくはＷＯ−Ａ−９０／１３５３３に記載の方法によって調製された脂肪酸メチルエステルである。平均して３〜１５個、特に平均して５〜１２個のＥＯを有する、Ｃ１２〜１８−脂肪酸メチルエステルが特に好ましい。
【０１７７】
アミンオキシドタイプの非イオン性界面活性剤、例えばＮ−ココアルキル−Ｎ，Ｎ−ジメチルアミンオキシドおよびＮ−獣脂アルキル−Ｎ，Ｎ−ジヒドロキシエチルアミンオキシド、並びに脂肪酸アルカノールアミドタイプの非イオン性界面活性剤も好適であり得る。これらの非イオン性界面活性剤の量は、好ましくは、エトキシル化脂肪アルコールの量以下、特にその半分以下である。
【０１７８】
また、アルコキシル化アミンも適当である。それらは、有利にはエトキシル化および／またはプロポキシル化された、特にアルキル鎖に好ましくは１〜１８個の炭素原子を有する、アミン１ｍｏｌ当たり平均して１〜１２ｍｏｌのエチレンオキシド（ＥＯ）および／または１〜１０ｍｏｌのプロピレンオキシド（ＰＯ）とを有する第一級および第二級アミンである。
【０１７９】
本質的に全ての界面活性剤を、特に食器洗浄機用すすぎ剤、特にタブのような成形タブレットとしての食器用すすぎ剤に適している、本発明の製剤のための界面活性剤として考慮することができる。しかしながら、この使用には、上述の非イオン性界面活性剤が好ましく、それらのうち、とりわけ低発泡性非イオン性界面活性剤が好ましい。特に好ましいのは、アルコキシル化アルコール、特にエトキシル化および／またはプロポキシル化されたアルコールである。ここで、当業者は、アルコキシル化アルコールは一般に、アルキレンオキシド、好ましくはエチレンオキシドと、アルコール、好ましくは、本発明の意味での長鎖Ｃ１０〜Ｃ１８アルコール、好ましくはＣ１２〜Ｃ１６アルコール、例えばＣ１１−アルコール、Ｃ１２−アルコール、Ｃ１３−アルコール、Ｃ１４−アルコール、Ｃ１５−アルコール、Ｃ１６−アルコール、Ｃ１７−アルコールおよびＣ１８−アルコールとの反応生成物であると理解する。一般に、ｎｍｏｌのエチレンオキシドと１ｍｏｌのアルコールとから、反応条件に応じて、様々なエトキシル化度の付加生成物の複合混合物を生じる。更なる態様は、アルキレンオキシドの混合物の使用、好ましくは、エチレンオキシドおよびプロピレンオキシドの混合物の使用からなる。必要に応じて、短鎖アルキル基、例えば好ましくはブチル基での末端エーテル化によって、「キャップト」アルコールエトキシレートにすることもできる。それらは本発明の意味において同様に使用できる。本発明の意味において非常に特に好ましいのは、高エトキシル化脂肪アルコール、またはそれらと末端キャップ脂肪アルコールエトキシレートとの混合物である。
【０１８０】
有利には、本発明の製剤は、発泡防止剤、例えば発泡防止パラフィン油または発泡防止シリコーン油、例えばジメチルポリシロキサンも含み得る。これらの活性物質の混合物の使用もまた可能である。特に明示した発泡防止活性物質の場合、室温で固体である好適な添加剤は、パラフィン蝋、公知の方法により疎水化もされ得るケイ酸、およびＣ２〜７−ジアミンとＣ１２〜２２−カルボン酸から得られるビスアミドである。
【０１８１】
発泡防止パラフィン油は好ましく使用される。それらは、パラフィン蝋と混合されていてもよく、一般に、明確な融点を持たない複合物質混合物である。特徴付けるためには、融解範囲または凝固点を、通常、示差熱分析（ＤＴＡ）により測定する。凝固点は、徐冷によりパラフィンが液体の状態から固体の状態へ転移する温度を指すと理解される。１７個より少ない炭素原子を有するパラフィンは本発明には使用することができないため、パラフィン油混合物中のそれらの割合は可能な限り低くすべきである。通常の分析法、例えばガスクロマトグラフィーを用いて有意に測定することができる限界よりも低いことが好ましい。２０℃〜７０℃の範囲で固化するパラフィンを使用することが好ましい。室温で固体にさえ見えるパラフィン蝋混合物が異なる割合の液体パラフィン油を含み得ることは、考慮しなければならない。本発明に従って使用することができるパラフィン蝋の場合、４０℃での液体分率は可能な限り高いが、この温度ではまだ１００％には達していない。好ましいパラフィン蝋混合物では、４０℃での液体分率は少なくとも５０重量％、特に５５重量％〜８０重量％であり、６０℃では液体分率は少なくとも９０重量％である。そのため、パラフィンは、少なくとも７０℃に下がった温度、好ましくは、少なくとも６０℃に下がった温度で流動性を有し、ポンプ輸送できる。更に、パラフィンは可能な限り揮発性画分を含んではならないことに注目しなければならない。好ましいパラフィン蝋は、１重量％未満、特に０．５重量％未満の、大気圧下、１１０℃で蒸発し得る成分を含む。本発明に使用することができるパラフィンは、例えば、Lunaflex（登録商標）（Fuller製）およびDeawax（登録商標）（DEA Mineraloel AG製）という商標名で入手することができる。
【０１８２】
パラフィン油は、１２〜２２個、好ましくは１４〜１８個の炭素原子を有する飽和脂肪酸と２〜７個の炭素原子を有するアルキレンジアミンとから得られる、室温で固体であるビスアミドを含んでよい。好適な脂肪酸は、天然脂肪または硬化油、例えば獣脂または水添パーム油から得ることができるような、ラウリン酸、ミリスチン酸、ステアリン酸、アラキジン酸およびベヘン酸、並びにそれらの混合物である。好適なジアミンは、例えば、エチレンジアミン、１，３−プロピレンジアミン、テトラメチレンジアミン、ペンタメチレンジアミン、ヘキサメチレンジアミン、ｐ−フェニレンジアミンおよびトルイレンジアミンである。好ましいジアミンは、エチレンジアミンおよびヘキサメチレンジアミンである。特に好ましいビスアミドは、ビスミリストイルエチレンジアミン、ビスパルミトイルエチレンジアミン、ビスステアロイルエチレンジアミン、およびそれらの混合物、並びにそれらに対応するヘキサメチレンジアミンの誘導体である。
【０１８３】
本発明の製品は、特に洗浄、ケア剤および／またはクリーナーの更なる成分、または化粧品成分と混合することが好ましい。通常混合することができる、洗剤および洗浄剤の成分並びにそれらの原料は、広範な先行技術から一般に知られている。これらは、例えば、漂白剤、漂白促進剤および／または漂白触媒、酵素、感温色素などのような物質であるが、もちろん、これらは製剤中にそのまま存在してもよい。
【０１８４】
製剤は、好ましくは、ＵＶ吸収剤も含み得、このＵＶ吸収剤は、有利には処理した布地に付着し、繊維の光安定性および／または他の配合成分の光安定性を向上させる。ＵＶ吸収剤とは、紫外線を吸収することができ、吸収したエネルギーを再び、長波長放射エネルギー、例えば、熱として放出することができる有機物質（光保護フィルター）を指すと理解される。このような望ましい特性を有する化合物は、無放射失活により活性となる化合物、並びに２位および／または４位に置換基を有するベンゾフェノンの誘導体である。更に、置換ベンゾトリアゾール、２位にシアノ基を有しているまたは有していない３位でフェニル置換されているアクリレート（桂皮酸誘導体）、サリチレート、有機Ｎｉ錯体、並びにウンベリフェロンおよび内因性ウロカニン酸のような天然物質も好適である。特に重要なのは、ビフェニル誘導体、特に、CibaからTinosorb（登録商標）FDまたはTinosorb（登録商標）FRとして市販されているスチルベン誘導体である。記載すべきＵＶ−Ｂ吸収剤は、３−ベンジリデンカンファーまたは３−ベンジリデンノルカンファーおよびそれらの誘導体、例えば、３−（４−メチルベンジリデン）カンファー；４−アミノ安息香酸誘導体、好ましくは、２−エチルヘキシル４−（ジメチルアミノ）ベンゾエート、２−オクチル４−（ジメチルアミノ）ベンゾエートおよびアミル４−（ジメチルアミノ）ベンゾエート；桂皮酸エステル、好ましくは、２−エチルヘキシル４−メトキシシンナメート、プロピル４−メトキシシンナメート、アミル４−メトキシシンナメート、２−エチルヘキシル２−シアノ−３，３−フェニルシンナメート（オクトクリレン）；サリチル酸エステル、好ましくは、２−エチルヘキシルサリチレート、４−イソプロピルベンジルサリチレート、ホモメンチルサリチレート；ベンゾフェノン誘導体、好ましくは、２−ヒドロキシ−４−メトキシベンゾフェノン、２−ヒドロキシ−４−メトキシ−４’−メチルベンゾフェノン、２，２’−ジヒドロキシ−４−メトキシベンゾフェノン；ベンザルマロン酸エステル、好ましくは、ジ−２−エチルヘキシル４−メトキシベンザルマロネート；トリアジン誘導体、例えば、２，４，６−トリアニリノ（ｐ−カルボ−２’−エチル−１’−ヘキシルオキシ）−１，３，５−トリアジンおよびオクチルトリアゾン、またはジオクチルブタミドトリアゾン（Uvasorb（登録商標）HEB）など；プロパン−１，３−ジオン、例えば、１−（４−ｔｅｒｔ−ブチルフェニル）−３−（４’−メトキシフェニル）プロパン−１，３−ジオンなど；ケトトリシクロ（５．２．１．０）デカン誘導体である。更に適しているものには、２−フェニルベンズイミダゾール−５−スルホン酸並びにそのアルカリ金属塩、アルカリ土類金属塩、アンモニウム塩、アルキルアンモニウム塩、アルカノールアンモニウム塩およびグルカンモニウム塩；ベンゾフェノンのスルホン酸誘導体、好ましくは、２−ヒドロキシ−４−メトキシベンゾフェノン−５−スルホン酸およびその塩；３−ベンジリデンカンファーのスルホン酸誘導体、例えば、４−（２−オキソ−３−ボルニリデンメチル）ベンゼンスルホン酸および２−メチル−５−（２−オキソ−３−ボルニリデン）スルホン酸、並びにそ��らの塩などがある。
【０１８５】
好ましい典型的なＵＶ−Ａフィルターは、特に、ベンゾイルメタン誘導体、例えば、１−（４’−ｔｅｒｔ−ブチルフェニル）−３−（４’−メトキシフェニル）プロパン−１，３−ジオン、４−ｔｅｒｔ−ブチル−４’−メトキシジベンゾイルメタン（Parsol 1789）、１−フェニル−３−（４’−イソプロピルフェニル）−プロパン−１，３−ジオン、およびエナミン化合物などである。ＵＶ−ＡフィルターとＵＶ−Ｂフィルターは、もちろん、混合物として使用することもできる。明示した可溶性物質に加えて、不溶性光保護顔料（即ち、微分散する、好ましくは、ナノ化された金属酸化物または塩）もこの目的に適している。好適な金属酸化物の例は、特に、酸化亜鉛および二酸化チタン、加えて、鉄、ジルコニウム、シリコン、マンガン、アルミニウムおよびセリウムの酸化物、並びにそれらの混合物である。使用することができる塩は、ケイ酸塩（タルク）、硫酸バリウムまたはステアリン酸亜鉛である。これらの酸化物および塩は、皮膚ケアおよび皮膚保護エマルション、並びに装飾用化粧品に用いる顔料として既に使用されている。これらの粒子は、１００ｎｍ未満、好ましくは５〜５０ｎｍ、特に１５〜３０ｎｍの平均直径を有すべきである。これらは球状であってよいが、楕円形状または球から幾分他の方向に外れた形状を有する粒子を使用することもできる。また、顔料は、表面処理されていてもよく、即ち親水化または疎水化されることもできる。典型的な例は、被覆二酸化チタン、例えば、二酸化チタン T 805（Degussa）またはEusolex（登録商標）T2000（Merck）などである。ここで、好適な疎水性被覆剤は、第一にシリコーンであり、具体的には、トリアルキルオキシオクチルシランまたはシメチコンである。好ましくは、微粒酸化亜鉛を使用する。更なる好適なＵＶ光保護フィルターは、関連先行技術中に見ることができる。
【０１８６】
製剤は、ＵＶ吸収剤を、有利には０．０１重量％〜５重量％、好ましくは０．０３重量％〜１重量％の割合で含む。また、それらは後に、例えば他の物質と一緒に、製剤に添加することもできる。
【０１８７】
また、本発明の製剤が固体である場合、既に指摘したように、タブレットまたは成形体として存在することが好ましい。本発明において、「タブレット」または「成形体」は、それらの製造方法に関係なく、寸法安定性のある固形物である。このような物体は、例えば、結晶化、注入成形、射出成形、反応焼結もしくは熱焼結、（同時）押出、造粒、ペレット化、または圧縮法、例えばカレンダリングまたは打錠により製造することができる。本発明の範囲内では、打錠による「タブレット」または「成形体」の製造が特に好ましい。よって、タブレットは、圧縮粒子材料からなることが好ましい。
【０１８８】
本発明の固体の製剤、好ましくはタブレットまたは成形体は、崩壊助剤を含むことが好ましい。好適な膨潤性崩壊助剤は、例えば、ベントナイトまたは他の膨潤性シリケートである。合成ポリマー、特に架橋ポリビニルピロリドン、または衛生分野に使用される高吸収性物質も使用することができる。
【０１８９】
デンプンまたはセルロースに基づいた膨潤性崩壊ポリマーを使用することが、特に有利である。これらのベース物質は、膨潤性崩壊剤として、単独で使用されるか、或いは更なる天然および／または合成ポリマーとの混合物に加工され得る。最も簡単なケースでは、セルロース含有材料または純セルロースは、造粒、圧縮または他の加圧法により二次粒子に転換することができ、その二次粒子は水と接触することで膨潤するため、それにより崩壊剤として作用する。木材は、熱的または化学熱的方法により、木材または木材チップ（挽いたチップ、木挽台のくず）から得ることができる、実績のあるセルロース含有材料である。ＴＭＰ法（熱機械的パルプ）またはＣＴＭＰ法（化学熱機械的パルプ）によるこのセルロース材料は、その後、加圧により圧縮され、好ましくは、ロールにより圧縮され、粒子状に転換され得る。もちろん、純セルロースも全く同じように使用することができるが、純セルロースはより高価な原料である。微結晶性および非結晶性の微粉セルロース、並びにそれらの混合物を使用することができる。
【０１９０】
別の方法は、造粒助剤を加えてセルロース含有材料を造粒することからなる。造粒助剤として、例えば、合成ポリマーまたは非イオン性界面活性剤の溶液がある。本発明の製剤で洗浄した布地への残留物の発生を防止するために、使用するセルロースまたはセルロース含有材料中のセルロースの一次繊維長は２００μｍより短い必要があり、１００μｍより短い、特に５０μｍより短い一次繊維長が好ましい。
【０１９１】
二次粒子は、理想的には、好ましくは、９０重量％を超える粒子の粒径が２００μｍを上回っているという粒度分布を有する。ある特定の粉末画分は、それから製造されたタブレットの改善された貯蔵安定性をもたらし得る。本発明に従って使用される製剤は、０．１ｍｍ未満の微粉末画分を、１０重量％まで、好ましくは８重量％までの量で含み得る。
【０１９２】
更に、本発明の製剤は、コンディショニング剤および／またはコンディショニング基材として存在し得、それらに適当な成分を含む。本発明の意味において、用語「コンディショニング」とは、好ましくは、織物、物質および編物に柔軟性を与える処理を指すと理解されるべきである。コンディショニングは、布地の好ましい特性、例えば、改善された柔らかな肌触り、改善された光沢および色の鮮やかさ、改善された香りの効果、フェルト化の減少、スリップ性の減少によるアイロンのかけ易さ、皺および静電気の減少、そして、染色布地の場合の色移りの防止などを与える。
【０１９３】
本発明の製剤は、肌触りおよび柔軟性を改善するために、柔軟剤成分を含み得る。このような化合物の例は、ヘアケア剤および布地柔軟剤に使用されるような、第四級アンモニウム化合物、カチオン性ポリマー、および乳化剤である。以下により詳細に記載される、これらの柔軟剤化合物は、本発明の製剤の全てに含まれ得るが、特に、コンディショニング剤または柔軟効果を有することが意図される製剤に含まれ得る。
【０１９４】
好適な例は、式（III）および（IV）：
【化３】
2009516034.tif 000004
［ここで、式（III）中のＲおよびＲ１は、１２〜２４個の炭素原子を有する非環状アルキル基を表し、Ｒ２は、飽和Ｃ１〜４−アルキルまたはヒドロキシアルキル基を表し、Ｒ３は、Ｒ、Ｒ１またはＲ２であり或いは芳香族基を表す。Ｘ−は、ハロゲン化物イオン、メト硫酸イオン、メトリン酸イオンまたはリン酸イオン或いはそれらの混合物を表す。］
に相当する第四級アンモニウム化合物である。式（III）のカチオン化合物の例は、ジデシルジメチルアンモニウムクロリド、ジ獣脂ジメチルアンモニウムクロリドまたはジヘキサデシルアンモニウムクロリドである。
【０１９５】
式（IV）の化合物は、いわゆるエステルクワット（ester quat）である。エステルクワットは、優れた生分解性を特徴とする。ここで、Ｒ４は、１２〜２２個の炭素原子を有し、０、１つ、２つまたは３つの二重結合を有する、脂肪族アルキル基であり；Ｒ５は、Ｈ、ＯＨまたはＯ（ＣＯ）Ｒ７であり、Ｒ６は、Ｒ５とは独立に、Ｈ、ＯＨまたはＯ（ＣＯ）Ｒ８である［この場合、Ｒ７およびＲ８は、相互に独立に、各々、１２〜２２個の炭素原子を有し、０、１つ、２つまたは３つの二重結合を有する、脂肪族アルキル（アルケニル）基である。］。ｍ、ｎおよびｐは、各々、相互に独立に、１、２または３の値を有し得る。Ｘ−は、ハロゲン化物イオン、メト硫酸イオン、メトリン酸イオンまたはリン酸イオン、およびそれらの混合物であり得る。Ｒ５が基Ｏ（ＣＯ）Ｒ７、Ｒ４およびＲ７が１６〜１８個の炭素原子を有するアルキル基である化合物が好ましい。加えて、Ｒ６がＯＨである化合物が特に好ましい。式（IV）の化合物の例は、メチル−Ｎ−（２−ヒドロキシエチル）−Ｎ，Ｎ−ジ（獣脂アシルオキシエチル）アンモニウムメトスルフェート、ビス（パルミトイル）エチルヒドロキシエチルメチルアンモニウムメトスルフェートまたはメチル−Ｎ，Ｎ−ビス（アシルオキシエチル）−Ｎ−（２−ヒドロキシエチル）アンモニウムメトスルフェートである。不飽和アルキル鎖を有する式（IV）の四級化化合物を使用するならば、対応する脂肪酸のヨウ素価が５〜８０、好ましくは１０〜６０、特に１５〜４５であり、かつシス／トランス異性体比（重量％で）が３０：７０より高い、好ましくは５０：５０より高い、特に７０：３０より高い、アシル基が好ましい。標準的な市販品の例は、Stepantex（登録商標）という商標名でStepanより販売されているメチルヒドロキシアルキルジアルコイルオキシアルキルアンモニウムメトスルフェート、またはDehyquart（登録商標）で知られているCognisの製品、またはRewoquat（登録商標）で知られているGoldschmidt-Witcoの製品である。更に好ましい化合物は、式（V）のジエステルクワットであり、これはRewoquat（登録商標）W 222 LMまたはCR 3099という名称で入手可能であり、柔らかさに加えて、安定性および着色防止も保証する。
【化４】
2009516034.tif 000005
式中、Ｒ２１およびＲ２２は、相互に独立に、各々、１２〜２２個の炭素原子を有し、０、１つ、２つまたは３つの二重結合を有する脂肪族基である。
【０１９６】
上述の第四級化合物に加えて、例えば、式（VI）：
【化５】
2009516034.tif 000006
［式中、Ｒ９は、Ｈ、または１〜４個の炭素原子を有する飽和アルキル基であり、Ｒ１０およびＲ１１は、相互に独立に、各々、１２〜１８個の炭素原子を有する脂肪族の飽和または不飽和アルキル基であり、また、Ｒ１０は、Ｏ（ＣＯ）Ｒ２０（式中、Ｒ２０は、１２〜１８個の炭素原子を有する脂肪族の飽和または不飽和アルキル基である。）であってもよく、ＺはＮＨ基または酸素であり、Ｘ−はアニオンであり、ｑは１〜４の整数値である。］
に相当する第四級イミダゾリニウム化合物のような他の公知の化合物も使用することができる。
【０１９７】
更に好適な第四級化合物は、式（VII）：
【化６】
2009516034.tif 000007
［式中、Ｒ１２、Ｒ１３およびＲ１４は、相互に独立に、Ｃ１〜４−アルキル、アルケニルまたはヒドロキシアルキル基であり、Ｒ１５およびＲ１６は、各々、独立に、Ｃ８〜２８−アルキル基から選択され、ｒは０〜５の数値である。］
により表される。
【０１９８】
式（III）および（IV）の化合物に加えて、水溶性の短鎖第四級アンモニウム化合物も使用することができ、例えば、メト硫酸トリヒドロキシエチルメチルアンモニウムまたは塩化アルキルトリメチルアンモニウム、塩化ジアルキルジメチルアンモニウムおよび塩化トリアルキルメチルアンモニウム、例えば、塩化セチルトリメチルアンモニウム、塩化ステアリルトリメチルアンモニウム、塩化ジステアリルジメチルアンモニウム、塩化ラウリルジメチルアンモニウム、塩化ラウリルジメチルベンジルアンモニウムおよび塩化トリセチルメチルアンモニウムがある。
【０１９９】
柔軟効果を有するプロトン化アルキルアミン化合物、およびカチオン性乳化剤のプロトン化された非四級化前駆体もまた好適である。
【０２００】
本発明に従って使用することができる更なるカチオン化合物は、四級化タンパク質加水分解物である。
【０２０１】
好適なカチオン性ポリマーとしては、CTFA Cosmetic Ingredient Dictionary（The Cosmetic, Toiletry and Fragrance, Inc., 1997）に記載されているようなポリクオタニウムポリマー、特にポリクオタニウム−６、ポリクオタニウム−７、ポリクオタニウム−１０ポリマー（Ucare polymer IR 400；Amerchol）（メルクワット（Merquat）としても知られている）、ポリクオタニウム−４コポリマー、例えば、塩化アリルジメチルアンモニウムを介して結合された第四級アンモニウム基とセルロース主鎖を有するグラフトコポリマー、カチオン性セルロース誘導体、例えばカチオン性グアー、例えばグアーヒドロキシプロピルトリアンモニウムクロリド、および同様の四級化グアー誘導体（例えば、Cosmedia Guar、製造業者：Cognis GmbH）、カチオン性第四級糖誘導体（カチオン性アルキルポリグルコシド）、例えば、市販品Glucquat（登録商標）１００（CTFA命名法によれば「ラウリルメチルグルセス−１０ヒドロキシプロピルジモニウムクロリド」）、ＰＶＰとジメチルアミノメタクリレートとのコポリマー、ビニルイミダゾールとビニルピロリドンとのコポリマー、アミノシリコーンポリマーおよびコポリマーが挙げられる。
【０２０２】
同様に、ポリ四級化ポリマー（例えば、BASFのLuviquat Care）、およびキチンベースのカチオン性バイオポリマー、並びにそれらの誘導体、例えばChitosan（登録商標）（製造業者：Cognis）という商標名で入手可能なポリマーも使用することができる。
【０２０３】
本発明によれば、同様に、カチオン性シリコーン油、例えば、市販品Q2-7224（製造業者：Dow Corning；安定化トリメチルシリルアミノジメチコン）、Dow Corning 929エマルション（ヒドロキシルアミノ変性シリコーンを含み、アモジメチコンとしても知られている）、SM-2059（製造業者：General Electric）、SLM-55067（製造業者：Wacker）、Abil（登録商標）-Quat 3270および3272（製造業者：Goldschmidt-Rewo；ジ第四級ポリジメチルシロキサン、クオタニウム−８０）、およびSiliconquat Rewoquat（登録商標）SQ 1（Tegopren（登録商標）6922、製造業者：Goldschmidt-Rewo）なども使用することができる。
【０２０４】
同様に、式（VIII）：
【化７】
2009516034.tif 000008
の化合物も使用することができ、これは、それらの非四級化形態、または、示すように、それらの四級化形態のアルキルアミドアミンであってよい。Ｒ１７は、１２〜２２個の炭素原子を有し、０、１つ、２つまたは３つの二重結合を有する脂肪族アルキル（アルケニル）基であってよい。ｓは、０〜５の値である。Ｒ１８およびＲ１９は、相互に独立に、各々、Ｈ、Ｃ１〜４−アルキルまたはヒドロキシアルキルである。好ましい化合物は、脂肪酸アミドアミン、例えばTego Amid（登録商標）S 18という名称で入手可能なステアリルアミドプロピルジメチルアミン、またはStepantex（登録商標）X 9124という名称で入手可能な３−獣脂アミドプロピルトリメチルアンモニウムメトスルフェートであり、脂肪酸アミドアミンは優れたコンディショニング効果だけでなく、色移り防止効果、特にそれらの優れた生分解性も特徴とする。
【０２０５】
特に好ましいのは、少なくとも１つのアルキル鎖がエステル基および／またはアミド基によって分断されているアルキル化第四級アンモニウム化合物、特にＮ−メチル−Ｎ−（２−ヒドロキシエチル）−Ｎ，Ｎ−（ジ獣脂アシルオキシエチル）アンモニウムメトスルフェートである。
【０２０６】
好適な非イオン性柔軟剤は、ポリオキシアルキレングリセロールアルカノエート、ポリブチレン、長鎖脂肪酸、エトキシル化脂肪酸エタノールアミド、アルキルポリグリコシド、特にソルビタンモノ−、ジ−およびトリエステル、並びにポリカルボン酸の脂肪酸エステルである。
【０２０７】
本発明の製剤、好ましくは、コンディショニング剤は、柔軟剤を、いずれの場合も製剤全体に基づいて０．１〜８０重量％、通常０．１〜７０重量％、好ましくは０．２〜６０重量％、特に０．５〜４０重量％の割合で含み得る。
【０２０８】
本発明のコンディショニング剤は、好ましくは、１種類以上のアニオン性界面活性剤、特に上記で既述のものを含み得る。
【０２０９】
本発明のコンディショニング剤は、好ましくは、１種類以上の非イオン性界面活性剤、特に上記で既述のものを含み得る。
【０２１０】
本発明の製剤の全てに対する他の界面活性剤として、いわゆるジェミニ界面活性剤が挙げられる。このジェミニ界面活性剤は、一般に、１分子当たり２つの親水基と２つの疎水基とを有する化合物を意味する。これらの基は、一般に、いわゆる「スペーサー」で相互に分離されている。このスペーサーは、通常、炭素鎖であり、この炭素鎖は、疎水基が互いに独立に作用し得るよう、十分離されるのに十分に長い必要がある。そのような界面活性剤は、一般に、異常に低い臨界ミセル濃度と水の表面張力を大幅に低下させる能力を特徴とする。しかしながら、例外的なケースでは、ジェミニ界面活性剤という表現は、二量体界面活性剤だけでなく、三量体界面活性剤も意味すると理解される。
【０２１１】
好適なジェミニ界面活性剤は、例えば、硫酸化ヒドロキシ混合エーテルまたは二量体アルコールビス−および三量体アルコールトリス−スルフェート、並びにエーテルスルフェートである。末端キャップされた二量体および三量体混合エーテルは、特に二官能性および多官能性を特徴とする。従って、前記末端キャップ界面活性剤は、優れた湿潤性を有し、低発泡性であり、そのため、特に機械での洗浄またはクリーニング処理に使用するのに特に好適である。
【０２１２】
しかしながら、関連先行技術に記載のとおり、ジェミニポリヒドロキシ脂肪酸アミドまたはポリ−ポリヒドロキシ脂肪酸アミドも使用することができる。
【０２１３】
別の好適な界面活性剤は、次式：
【化８】
2009516034.tif 000009
［式中、ＲＣＯは、６〜２２個の炭素原子を有する脂肪族アシル基であり、Ｒ２３は、水素、１〜４個の炭素原子を有するアルキルまたはヒドロキシアルキル基であり、［Ｚ］は３〜１０個の炭素原子と３〜１０のヒドロキシル基とを有する直鎖または分枝ポリヒドロキシアルキル基である。］
に相当するポリヒドロキシ脂肪酸アミドである。ポリヒドロキシ脂肪酸アミドは公知の物質であり、通常、還元糖を、アルキルアミンまたはアルカノールアミンで還元的アミノ化し、その後、脂肪酸、脂肪酸アルキルエステルまたは脂肪酸クロリドでアシル化することにより得ることができる。
【０２１４】
また、ポリヒドロキシ脂肪酸アミドのグループには、次式：
【化９】
2009516034.tif 000010
［式中、Ｒは、７〜１２個の炭素原子を有する直鎖または分枝アルキルまたはアルケニル基であり、Ｒ２４は、２〜８個の炭素原子を有する直鎖、分枝または環状アルキル基或いはアリール基であり、Ｒ２５は、１〜８個の炭素原子を有する直鎖、分枝もしくは環状アルキル基またはアリール基またはオキシアリール基であり（この場合、Ｃ１〜４−アルキル基またはフェニル基が好ましい）、［Ｚ］は、アルキル鎖が少なくとも２つのヒドロキシル基により置換されている直鎖ポリヒドロキシアルキル基、またはこの基のアルコキシル化、好ましくはエトキシル化もしくはプロポキシル化誘導体である。］
に相当する化合物も含まれる。
【０２１５】
［Ｚ］は、還元糖、例えばグルコース、フルクトース、マルトース、ラクトース、ガラクトース、マンノースまたはキシロースの還元的アミノ化により得られることが好ましい。その後、Ｎ−アルコキシ−もしくはＮ−アリールオキシ−置換化合物は、例えば触媒としてのアルコキシドの存在下で脂肪酸メチルエステルと反応させることにより、所望のポリヒドロキシ脂肪酸アミドに変換され得る。
【０２１６】
また、本発明の製剤は、好ましくは、両性界面活性剤も含む。数多くのモノ−、ジ−およびトリアルキル化アミノオキシドに加えて、ベタインは重要な種類である。
【０２１７】
ベタインは、公知の界面活性剤であり、大部分は、アミン化合物のカルボキシアルキル化、好ましくは、カルボキシメチル化により調製される。好ましくは、出発物質は、ハロカルボン酸またはそれらの塩、特にクロロ酢酸ナトリウムと縮合され、この場合、ベタイン１ｍｏｌ当たり１ｍｏｌの塩が生成される。アクリル酸のような不飽和カルボン酸を付加することも可能である。命名法、そして特にベタインと「厳密な」両性界面活性剤との区別に関しては、適切な技術文献を参照されたい。好適なベタインの例は、式（IX）：
【化１０】
2009516034.tif 000011
［式中、Ｒ２６は、６〜２２個の炭素原子を有するアルキルおよび／またはアルケニル基であり、Ｒ２７は、水素または１〜４個の炭素原子を有するアルキル基であり、Ｒ２８は、１〜４個の炭素原子を有するアルキル基であり、ｎは、１〜６の数値であり、Ｘ１は、アルカリ金属および／またはアルカリ土類金属またはアンモニウムである。］
に相当する、第二級、特に第三級アミンのカルボキシアルキル化生成物を包含する。典型的な例は、ヘキシルメチルアミン、ヘキシルジメチルアミン、オクチルジメチルアミン、デシルジメチルアミン、ドデシルメチルアミン、ドデシルジメチルアミン、ドデシルエチルメチルアミン、Ｃ１２／１４−ココアルキルジメチルアミン、ミリスチルジメチルアミン、セチルジメチルアミン、ステアリルジメチルアミン、ステアリルエチルメチルアミン、オレイルジメチルアミン、Ｃ１６／１８−獣脂アルキルジメチルアミン、およびそれらの工業用混合物のカルボキシメチル化生成物である。
【０２１８】
更に、式（X）：
【化１１】
2009516034.tif 000012
［式中、Ｒ３１ＣＯは、６〜２２個の炭素原子と０または１〜３つの二重結合を有する脂肪族アシル基であり、ｍは、１〜３の数値であり、Ｒ２９、Ｒ３０、ｎおよびＸ２は、上述した意味を有する。］
に相当するアミドアミンのカルボキシアルキル化生成物もまた好適である。典型的な例は、６〜２２個の炭素原子を有する脂肪酸、即ちカプロン酸、カプリル酸、カプリン酸、ラウリン酸、ミリスチン酸、パルミチン酸、パルミトレイン酸、ステアリン酸、イソステアリン酸、オレイン酸、エライジン酸、ペトロセリン酸、リノール酸、リノレン酸、エレオステアリン酸、アラキジン酸、ガドレイン酸、ベヘン酸およびエルカ酸、並びにそれらの工業用混合物と、Ｎ，Ｎ−ジメチルアミノエチルアミン、Ｎ，Ｎ−ジメチルアミノプロピルアミン、Ｎ，Ｎ−ジエチルアミノエチルアミンおよびＮ，Ｎ−ジエチルアミノプロピルアミンとの反応生成物であり、これらの反応生成物はクロロ酢酸ナトリウムと縮合される。Ｃ８／１８−ココ脂肪酸−Ｎ，Ｎ−ジメチルアミノプロピルアミドとクロロ酢酸ナトリウムとの縮合生成物を使用することが好ましい。
【０２１９】
また、本発明の目的に使用することができるベタインに適した他の好適な出発物質は、式（XI）：
【化１２】
2009516034.tif 000013
［式中、Ｒ３２は、５〜２１個の炭素原子を有するアルキル基であり、Ｒ３３は、ヒドロキシル基、ＯＣＯＲ３２またはＮＨＣＯＲ３２基であり、ｍは、２または３である。］
に相当するイミダゾリンである。これらの物質もまた、公知の物質であり、例えば、１または２ｍｏｌの脂肪酸と、多官能性アミン、例えばアミノエチルエタノールアミン（ＡＥＥＡ）またはジエチレントリアミンとを環化縮合することにより得ることができる。対応するカルボキシアルキル化生成物は、異なる開鎖ベタインの混合物である。典型的な例は、上述の脂肪酸とＡＥＥＡとの縮合生成物、好ましくは、ラウリン酸、或いはまたＣ１２／１４−ココ脂肪酸をベースとしたイミダゾリンであり、これらは、続いて、クロロ酢酸ナトリウムでベタイン化される。
【０２２０】
好ましい態様では、本発明の製剤は、既に記載したように液体状で、例えばコンディショニング剤または液体洗剤などとして存在する。液体コンシステンシーを実現するために、液体有機溶媒の使用も水の使用も適当であり得る。よって、本発明の製剤は、場合により、溶媒を含む。
【０２２１】
本発明の製剤に使用することができる溶媒は、定められた濃度範囲で水と混合できるという条件で、例えば、単官能性または多官能性アルコール、アルカノールアミンまたはグリコールエーテルの群に由来するものである。好ましくは、溶媒は、エタノール、ｎ−プロパノール、イソプロパノール、ブタノール、グリコール、プロパンジオールまたはブタンジオール、グリセロール、ジグリコール、プロピルジグリコール、ブチルジグリコール、ヘキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチル、エチルもしくはプロピルエーテル、ブトキシプロポキシプロパノール（ＢＰＰ）、ジプロピレングリコールモノメチルもしくはモノエチルエーテル、ジイソプロピレングリコールモノメチルもしくはモノエチルエーテル、メトキシ、エトキシもしくはブトキシトリグリコール、１−ブトキシエトキシ−２−プロパノール、３−メチル−３−メトキシブタノール、プロピレングリコールｔ−ブチルエーテル、およびこれらの溶媒の混合物から選択される。
【０２２２】
いくつかのグリコールエーテルは、Arcosolv（登録商標）（Arco Chemical Co.）またはCellosolve（登録商標）、もしくはPropasol（登録商標）（Union Carbide Corp.）という商標名で入手可能である。このようなものには、例えば、ButylCarbitol（登録商標）、HexylCarbitol（登録商標）、MethylCarbitol（登録商標）、およびCarbitol（登録商標）自体、（２−（２−エトキシ）エトキシ）エタノールも含まれる。当業者ならば、グリコールエーテルを、揮発性、水解性、組成物全体に対する重量パーセントなどに基づいて容易に選択することができる。Ｎ−アルキルピロリドン、例えばＮ−メチル−２−ピロリドンもしくはＮ−Ｃ８〜１２−アルキルピロリドン、または２−ピロリドンのようなピロリドン溶媒も同様に使用することができる。また、単独溶媒としてまたは溶媒混合物の成分として、グリセロール誘導体、特にグリセロールカーボネートも好ましい。
【０２２３】
本発明において、好ましくは、共溶媒として使用することができるアルコールとしては、低分子量の液体ポリエチレングリコール、例えば分子量が２００、３００、４００または６００であるポリエチレングリコールが挙げられる。他の好適な共溶媒は、他のアルコール、例えば（ａ）低級アルコール、例えばエタノール、プロパノール、イソプロパノールおよびｎ−ブタノール、（ｂ）ケトン、例えばアセトンおよびメチルエチルケトン、（ｃ）Ｃ２〜４−ポリオール、例えばジオールまたはトリオール、例えばエチレングリコール、プロピレングリコール、グリセロールまたはそれらの混合物である。ジオールからは、１，２−オクタンジオールが特に好ましい。
【０２２４】
好ましい態様では、本発明の製剤は、Ｃ１〜Ｃ４−モノアルコール、Ｃ２〜Ｃ６−グリコール、Ｃ３〜Ｃ１２−グリコールエーテルおよびグリセロールを含む群の１種類以上の溶媒、特にエタノールを含む。本発明のＣ３〜Ｃ１２−グリコールエーテルは、１０個未満の炭素原子、好ましくは８個までの、特に６個までの、特に好ましくは１〜４個の、格段に好ましくは２〜３個の炭素原子を有するアルキルまたはアルケニル基を含有する。
【０２２５】
好ましいＣ１〜Ｃ４−モノアルコールは、エタノール、ｎ−プロパノール、イソプロパノールおよびｔｅｒｔ−ブタノールである。好ましいＣ２〜Ｃ６−グリコールは、エチレングリコール、１，２−プロピレングリコール、１，３−プロピレングリコール、１，５−ペンタンジオール、ネオペンチルグリコールおよび１，６−ヘキサンジオール、特にエチレングリコールおよび１，２−プロピレングリコールである。好ましいＣ３〜Ｃ１２−グリコールエーテルは、ジ−、トリ−、テトラ−およびペンタエチレングリコール、ジ−、トリ−およびテトラプロピレングリコール、プロピレングリコールモノ−ｔｅｒｔ−ブチルエーテルおよびプロピレングリコールモノエチルエーテル、並びにINCIによってブトキシジグリコール、ブトキシエタノール、ブトキシイソプロパノール、ブトキシプロパノール、ブチルオクタノール、エトキシジグリコール、エトキシエタノール、エチルヘキサンジオール、イソブトキシプロパノール、イソペンチルジオール、３−メトキシブタノール、メトキシエタノール、メトキシイソプロパノールおよびメトキシメチルブタノールと呼ばれる溶媒である。
【０２２６】
本発明の製剤、好ましくは、コンディショニング剤または液体洗剤は、１種類以上の溶媒を、いずれの場合も製剤全体に基づいて、通常４０重量％まで、好ましくは０．１〜３０重量％、特に２〜２０重量％、特に好ましくは３〜１５重量％、格段に好ましくは５〜１２重量％、例えば５．３または１０．６重量％の割合で含み得る。
【０２２７】
好ましい態様では、本発明の製剤、例えば、特に、コンディショニング剤は、場合により、１種類以上の錯化剤を含み得る。
【０２２８】
錯化剤（INCI  キレート剤）は、金属イオン封鎖剤とも呼ばれ、例えば製剤の外観の安定性、特に濁度への悪影響が起こらないようにするために、金属イオンを錯化および不活性化することができる成分である。数多くの成分と不適合である硬度形成体のカルシウムイオンおよびマグネシウムイオンを錯化することは重要である。鉄または銅のような重金属のイオンの錯化は、完成した製剤の酸化分解を遅らせる。
【０２２９】
例えば、International Cosmetic Ingredient Dictionary and Handbookでより詳細に記述されている、例えば、INCIによって命名された次の錯化剤が適している：アミノトリメチレンホスホン酸、β−アラニン二酢酸、カルシウムジナトリウムＥＤＴＡ、クエン酸、シクロデキストリン、シクロヘキサンジアミン四酢酸、クエン酸ジアンモニウム、ジアンモニウムＥＤＴＡ、ジエチレントリアミンペンタメチレンホスホン酸、ジカリウムＥＤＴＡ、ジナトリウムアザシクロヘプタンジホスホネート、ジナトリウムＥＤＴＡ、ピロリン酸二ナトリウム、ＥＤＴＡ、エチドロン酸、ガラクタル酸、グルコン酸、グルクロン酸、ＨＥＤＴＡ、ヒドロキシプロピルシクロデキストリン、メチルシクロデキストリン、トリリン酸五カリウム、ペンタナトリウムアミノトリメチレンホスホネート、ペンタナトリウムエチレンジアミンテトラメチレンホスホネート、ペンテト酸五ナトリウム、トリリン酸五ナトリウム、ペンテト酸、フィチン酸、クエン酸カリウム、カリウムＥＤＴＭＰ、グルコン酸カリウム、ポリリン酸カリウム、カリウムトリスホスホノメチルアミンオキシド、リボン酸、ナトリウムキトサンメチレンホスホネート、クエン酸ナトリウム、ナトリウムジエチレントリアミンペンタメチレンホスホネート、ナトリウムジヒドロキシエチルグリシネート、ナトリウムＥＤＴＭＰ、グルセプト酸ナトリウム、グルコン酸ナトリウム、ナトリウムグリセレス−１−ポリホスフェート、ヘキサメタリン酸ナトリウム、メタリン酸ナトリウム、メタケイ酸ナトリウム、フィチン酸ナトリウム、ナトリウムポリジメチルグリシノフェノールスルホネート、トリメタリン酸ナトリウム、ＴＥＡ−ＥＤＴＡ、ＴＥＡ−ポリホスフェート、テトラヒドロキシエチルエチレンジアミン、テトラヒドロキシプロピルエチレンジアミン、エチドロン酸四カリウム、ピロリン酸四カリウム、テトラナトリウムＥＤＴＡ、エチドロン酸四ナトリウム、ピロリン酸四ナトリウム、トリカリウムＥＤＴＡ、トリナトリウムジカルボキシメチルアラニネート、トリナトリウムＥＤＴＡ、トリナトリウムＨＥＤＴＡ、トリナトリウムＮＴＡおよびリン酸三ナトリウム。
【０２３０】
好ましい錯化剤は、第三級アミン、特に第三級アルカノールアミン（アミノアルコール）である。アルカノールアミンは、官能基としてアミノ基と、ヒドロキシおよび／またはエーテル基の両方を有する。特に好ましい第三級アルカノールアミンは、トリエタノールアミンおよびテトラ−２−ヒドロキシプロピルエチレンジアミン（Ｎ，Ｎ，Ｎ’，Ｎ’−テトラキス（２−ヒドロキシプロピル）エチレンジアミン）である。第三級アミンと、リシノール酸亜鉛および非イオン性溶解促進剤としての１種類以上のエトキシル化脂肪アルコールおよび場合により溶媒との特に好ましい組合せは、先行技術に記載されている。
【０２３１】
特に好ましい錯化剤は、その塩を含むエチドロン酸（１−ヒドロキシエチリデン−１，１−ジホスホン酸、１−ヒドロキシエタン−１，１−ジホスホン酸、ＨＥＤＰ、アセトホスホン酸、INCI  エチドロン酸）である。従って、好ましい態様では、本発明の製剤は、錯化剤としてエチドロン酸および／または１種類以上のその塩を含む。
【０２３２】
特定の態様では、本発明の製剤は、１種類以上の第三級アミンと１種類以上の別の錯化剤、好ましくは、１種類以上の錯化剤である酸またはそれらの塩との錯化剤組合せ、特にトリエタノールアミンおよび／またはテトラ−２−ヒドロキシプロピルエチレンジアミンとエチドロン酸および／または１種類以上のその塩との錯化剤組合せを含む。
【０２３３】
更なる態様では、本発明の製剤、例えば特に、コンディショニング剤は、場合により、好ましくは増粘剤として作用する１種類以上の粘度調節剤を含む。
【０２３４】
製剤の粘度は、通常の標準的な方法（例えばＢｒｏｏｋｆｉｅｌｄ粘度計  ＲＶＤ−ＶＩＩ、２０ｒｐｍおよび２０℃にて、スピンドル３）を用いて測定することができ、２０〜４０００ｍＰａｓの粘度を示し得る。４０〜２０００ｍＰａｓの範囲の値が特に好ましい。
【０２３５】
好適な増粘剤は、無機または高分子有機化合物である。２種類以上の増粘剤の混合物も使用することができる。
【０２３６】
無機増粘剤としては、例えば、ポリケイ酸、粘土鉱物、例えばモンモリロナイト、ゼオライト、ケイ酸、ケイ酸アルミニウム、層状シリケートおよびベントナイトが挙げられる。
【０２３７】
有機増粘剤は、天然ポリマー、改質天然ポリマーおよび完全合成ポリマーの群に由来するものである。
【０２３８】
増粘剤として使用される天然起源のポリマーは、例えば、キサンタン、寒天、カラギーン、トラガカントゴム、アラビアゴム、アルギン酸塩、ペクチン、ポリオース、グァーフラワー、ジェランガム、イナゴマメシードフラワー、デンプン、デキストリン、ゼラチンおよびカゼインである。
【０２３９】
改質天然物質は、主として、加工デンプンおよびセルロースの群に由来するものであり、ここで記載し得る例は、カルボキシメチルセルロースおよび他のセルロースエーテル、ヒドロキシエチルセルロースおよびヒドロキシプロピルセルロース、高エーテル化メチルヒドロキシエチルセルロース、並びにイナゴマメフラワーエーテルである。
【０２４０】
非常に広範な応用分野で広く使用される増粘剤の大きな群は、完全合成ポリマー、例えば架橋型または非架橋型であってよく、場合によってカチオン変性されていてよい、ポリアクリル酸化合物およびポリメタクリル酸化合物、ビニルポリマー、ポリカルボン酸、ポリエーテル、活性化ポリアミド誘導体、ヒマシ油誘導体、ポリイミン、ポリアミドおよびポリウレタンである。そのようなポリマーの例は、アクリル樹脂、アクリル酸エチル−アクリルアミドコポリマー、アクリル酸エステル−メタクリル酸エステルコポリマー、アクリル酸エチル−アクリル酸−メタクリル酸コポリマー、Ｎ−メチロール−メタクリルアミド、無水マレイン酸−メチルビニルエーテルコポリマー、ポリエーテル−ポリオールコポリマー、およびブタジエン−スチレンコポリマーである。
【０２４１】
別の好適な増粘剤は、有機酸誘導体およびそれらのアルコキシド付加物、例えばアリールポリグリコールエーテル、カルボキシル化ノニルフェノールエトキシレート誘導体、アルギン酸ナトリウム、ジグリセロールモノイソステアレート、非イオン性エチレンオキシド付加物、ココ脂肪酸ジエタノールアミド、無水イソドデセニルコハク酸、およびガラクトマンナンである。前記物質種の増粘剤は、市販されており、例えば、Acusol（登録商標）-820（メタクリル酸（ステアリルアルコール−２０−ＥＯ）エステル−アクリル酸コポリマー、水中濃度３０％、Rohm & Haas）、Dapral（登録商標）-GT-282-S（アルキルポリグリコールエーテル、Akzo）、Deuterol（登録商標）-Polymer-11（ジカルボン酸コポリマー、Schoener GmbH）、Deuteron（登録商標）-XG（β−Ｄ−グルコース、Ｄ−マンノース、Ｄ−グルクロン酸に基づくアニオン性ヘテロ多糖類、Schoener GmbH）、Deuteron（登録商標）-XN（非イオン性多糖類、Schoener GmbH）、Dicrylan（登録商標）-Thickener-O（エチレンオキシド付加物、水／イソプロパノール中濃度５０％、Pfersse Chemie）、EMA（登録商標）-81およびEMA（登録商標）-91（エチレン−無水マレイン酸コポリマー、Monsanto）、Thickener-QR-1001（ポリウレタンエマルション、水／ジグリコールエーテル中濃度１９〜２１％、Rohm & Haas）、Mirox（登録商標）-AM（アニオン性アクリル酸−アクリル酸エステルコポリマー分散液、水中濃度２５％、Stockhausen）、SER-AD-FX-1100（疎水性ウレタンポリマー、Servo Delden）、Shellflo（登録商標）-S（高分子量多糖類、ホルムアルデヒドによる安定化、Shell）、Shellflo（登録商標）-XA（キサンタンバイオポリマー、ホルムアルデヒドによる安定化、Shell）、Kelzan、Keltrol T（Kelco）という商標名で供給されている。
【０２４２】
更に好ましい態様では、本発明の製剤、特に、コンディショニング剤は、場合により、１種類以上の酵素を含む。
【０２４３】
好適な酵素は、特に、ヒドロラーゼ種のもの、例えばプロテアーゼ、エステラーゼ、リパーゼもしくは脂肪分解酵素、アミラーゼ、セルラーゼまたは他のグリコシルヒドロラーゼおよび前記酵素の混合物である。これらのヒドロラーゼは全て、洗浄中、汚れ（例えばタンパク質性の汚れ、油脂性の汚れまたはデンプン質の汚れ）の除去および変色に役立つ。セルラーゼおよび他のグリコシルヒドロラーゼは、更に、色の保留や、ピリングおよび微小繊維を除去することによる布地の柔らかさの増加にも役立ち得る。漂白のため、そして色移り防止のために、オキシドリダクターゼを使用することもできる。
【０２４４】
特に良好な適性を示すのは、細菌株または真菌、例えば枯草菌（Ｂａｃｉｌｌｕｓ  ｓｕｂｔｉｌｉｓ）、バチルス・リケニホルミス菌（Ｂａｃｉｌｌｕｓ  ｌｉｃｈｅｎｉｆｏｒｍｉｓ）、ストレプトミセス・グリセウス（Ｓｔｒｅｐｔｏｍｙｃｅｕｓ  ｇｒｉｓｅｕｓ）およびフミコラ・インソレンス（Ｈｕｍｉｃｏｌａ  ｉｎｓｏｌｅｎｓ）から得られる酵素活性物質である。サブチリシンタイプのプロテアーゼ、特にバチルス・レンタス（Ｂａｃｉｌｌｕｓ  ｌｅｎｔｕｓ）から得られるプロテアーゼを使用することが好ましい。これに関連して、酵素混合物、例えばプロテアーゼとアミラーゼとの酵素混合物またはプロテアーゼとリパーゼもしくは脂肪分解酵素との酵素混合物またはプロテアーゼとセルラーゼとの酵素混合物またはセルラーゼとリパーゼもしくは脂肪分解酵素との酵素混合物またはプロテアーゼとアミラーゼとリパーゼもしくは脂肪分解酵素との酵素混合物またはプロテアーゼとリパーゼもしくは脂肪分解酵素とセルラーゼとの酵素混合物、特にプロテアーゼおよび／またはリパーゼ含有混合物もしくは脂肪分解酵素含有混合物が特に興味深い。そのような脂肪分解酵素の例は、公知のクチナーゼである。また、ペルオキシダーゼまたはオキシダーゼも一部のケースでは好適であることが証明されている。好適なアミラーゼとしては、特に、α−アミラーゼ、イソアミラーゼ、プルラナーゼおよびペクチナーゼが挙げられる。セルラーゼとしては、セロビオヒドロラーゼ、エンドグルカナーゼおよびセロビアーゼとも呼ばれるβ−グルコシダーゼ、またはそれらの混合物を使用することが好ましい。様々なタイプのセルロースはＣＭＣアーゼ活性およびアビセラーゼ活性によって異なっているため、所望の活性は、セルラーゼの的を絞った混合により達成することができる。
【０２４５】
酵素は、早期分解から酵素を守るために、成形体として担体物質に吸着されているかまたはコーティングされていてよい。酵素、酵素混合物または酵素顆粒の割合は、例えば、製剤全体に基づいて、約０．１〜５重量％、好ましくは０．１２〜約２重量％であり得る。
【０２４６】
本発明の製剤、例えば特に洗剤もしくは洗浄剤、ケア剤またはコンディショニング剤は、漂白剤を含み得る。水中でＨ２Ｏ２を発生する漂白剤として働く化合物では、過炭酸ナトリウム、過ホウ酸ナトリウム四水和物および過ホウ酸ナトリウム一水和物が特に重要である。使用することができる更なる漂白剤は、例えば、ペルオキソピロホスフェート、クエン酸塩過水和物、およびＨ２Ｏ２を発生する過酸塩または過酸、例えば過硫酸塩または過硫酸である。また、式：Ｈ２Ｎ−ＣＯ−ＮＨ２・Ｈ２Ｏ２により記載することができるウレアペルオキソハイドレートペルカルバミドも使用することができる。特に、製剤が例えば食器洗浄機用すすぎ剤のように、硬質表面を清浄するのに使用される場合、製剤は、必要に応じて、有機漂白剤の群の漂白剤も含んでよいが、そのような漂白剤は、原則として、洗濯洗剤にも使用可能である。典型的な有機漂白剤は、ジアシル過酸化物、例えば、過酸化ジベンゾイルなどである。使用され得る他の典型的な有機漂白剤は、ペルオキソ酸であり、特定例はアルキルペルオキソ酸およびアリールペルオキソ酸である。好ましい代表は、過安息香酸およびその環置換誘導体、例えばアルキル過安息香酸であるが、ペルオキシ−α−ナフトエ酸およびモノ過フタル酸マグネシウム、脂肪族または置換脂肪族ペルオキソ酸、例えば過ラウリン酸、過ステアリン酸、ε−フタルイミド過カプロン酸（フタルイミド過ヘキサン酸、ＰＡＰ）、ｏ−カルボキシベンズアミド過カプロン酸、Ｎ−ノネニルアミド過アジピン酸およびＮ−ノネニルアミド過コハク酸塩、並びに脂肪族および芳香脂肪族ペルオキシジカルボン酸、例えば１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−ジカルボン酸、Ｎ，Ｎ−テレフタロイル−ジ−（６−アミノ過カプロン酸）も使用することができる。
【０２４７】
本発明の製剤に色素を使用することができる。１種類以上の色素の量は低く選択して、製剤の使用後に眼に見える残留物が残らないようにしなければならない。本発明の製剤は、色素を含まないことが好ましい。
【０２４８】
本発明の製剤は好ましくは、１種類以上の抗菌性物質または防腐剤を通常０．０００１〜３重量％、好ましくは０．０００１〜２重量％、特に０．０００２〜１重量％、特に好ましくは０．０００２〜０．２重量％、格段に好ましくは０．０００３〜０．１重量％の量で含み得る。
【０２４９】
抗菌性物質または防腐剤は、抗菌域および活性機構によって、静菌剤および殺菌剤、静真菌剤および殺真菌剤などに区別される。これらの群の重要な物質としては、例えば、塩化ベンザルコニウム、アルキルアリールスルホネート、ハロフェノールおよび酢酸フェニル水銀がある。本発明の教示の範囲内で、抗菌作用および抗菌活性物質の概念は、標準的な専門的意味を有する。好適な抗菌活性物質は好ましくは、アルコール、アミン、アルデヒド、抗菌性の酸またはその塩、カルボン酸エステル、酸アミド、フェノール、フェノール誘導体、ジフェニル、ジフェニルアルカン、尿素誘導体、酸素アセタールまたはホルマール、窒素アセタールまたはホルマール、ベンズアミジン、イソチアゾリン、フタルイミド誘導体、ピリジン誘導体、抗菌界面活性化合物、グアニジン、抗菌両性化合物、キノリン、１，２−ジブロモ−２，４−ジシアノブタン、ヨード−２−プロピルブチルカルバメート、ヨウ素、ヨードフォア、ペルオキソ化合物、ハロゲン化合物、および上記の望ましい混合物である。
【０２５０】
ここで、抗菌性物質は、エタノール、ｎ−プロパノール、イソプロパノール、１，３−ブタンジオール、フェノキシエタノール、１，２−プロピレングリコール、グリセロール、ウンデシレン酸、安息香酸、サリチル酸、ジヒドロ酢酸、ｏ−フェニルフェノール、Ｎ−メチルモルホリノアセトニトリル（ＭＭＡ）、２−ベンジル−４−クロロフェノール、２，２’−メチレンビス（６−ブロモ−４−クロロフェノール）、４，４’−ジクロロ−２’−ヒドロキシジフェニルエーテル（ジクロサン）、２，４，４’−トリクロロ−２’−ヒドロキシジフェニルエーテル（トリクロサン）、クロルヘキシジン、Ｎ−（４−クロロフェニル）−Ｎ−（３，４−ジクロロフェニル）尿素、Ｎ，Ｎ’−（１，１０−デカンジイルジ−１−ピリジニル−４−イリデン）ビス（１−オクタンアミン）ジヒドロクロリド、Ｎ，Ｎ’−ビス（４−クロロフェニル）−３，１２−ジイミノ−２，４，１１，１３−テトラアザテトラデカンジイミドアミド、グルコプロタミン、抗菌界面活性第四級化合物、例えば、１，６−ビス（２−エチルヘキシルビグアニドヘキサン）ジヒドロクロリド、１，６−ジ（Ｎ１，Ｎ１’−フェニルジグアニド−Ｎ５，Ｎ５’）ヘキサンテトラヒドロクロリド、１，６−ジ（Ｎ１，Ｎ１’−フェニル−Ｎ１，Ｎ１−メチルジグアニド−Ｎ５，Ｎ５’）ヘキサンジヒドロクロリド、１，６−ジ（Ｎ１，Ｎ１’−ｏ−クロロフェニルジグアニド−Ｎ５，Ｎ５’）ヘキサンジヒドロクロリド、１，６−ジ（Ｎ１，Ｎ１’−２，６−ジクロロフェニルジグアニド−Ｎ５，Ｎ５’）ヘキサンジヒドロクロリド、１，６−ジ（Ｎ１，Ｎ１’−β（ｐ−メトキシフェニル）ジグアニド−Ｎ５，Ｎ５’）ヘキサンジヒドロクロリド、１，６−ジ（Ｎ１，Ｎ１’−α−メチル−β−フェニルジグアニド−Ｎ５，Ｎ５’）ヘキサンジヒドロクロリド、１，６−ジ（Ｎ１，Ｎ１’−ｐ−ニトロフェニルジグアニド−Ｎ５，Ｎ５’）ヘキサンジヒドロクロリド、ω，ω−ジ（Ｎ１，Ｎ１’−フェニルジグアニド−Ｎ５，Ｎ５’）−ジ−ｎ−プロピルエーテルジヒドロクロリド、１，６−ジ（Ｎ１，Ｎ１’−２，４−ジクロロフェニルジグアニド−Ｎ５，Ｎ５’）ヘキサンテトラヒドロクロリド、１，６−ジ（Ｎ１，Ｎ１’−ｐ−メチルフェニルジグアニド−Ｎ５，Ｎ５’）ヘキサンジヒドロクロリド、１，６−ジ（Ｎ１，Ｎ１’−２，４，５−トリクロロフェニルジグアニド−Ｎ５，Ｎ５’）ヘキサンテトラヒドロクロリド、１，６−ジ［Ｎ１，Ｎ１’−α−（ｐ−クロロフェニル）エチルジグアニド−Ｎ５，Ｎ５’］ヘキサンジヒドロクロリド、ω，ω−ジ（Ｎ１，Ｎ１’−ｐ−クロロフェニルジグアニド−Ｎ５，Ｎ５’）−ｍ−キシレンジヒドロクロリド、１，１２−ジ（Ｎ１，Ｎ１’−ｐ−クロロフェニルジグアニド−Ｎ５，Ｎ５’）ドデカンジヒドロクロリド、１，１０−ジ（Ｎ１，Ｎ１’−フェニルジグアニド−Ｎ５，Ｎ５’）デカンテトラヒドロクロリド、１，１２−ジ（Ｎ１，Ｎ１’−フェニルジグアニド−Ｎ５，Ｎ５’）ドデカンテトラヒドロクロリド、１，６−ジ（Ｎ１，Ｎ１’−ｏ−クロロフェニルジグアニド−Ｎ５，Ｎ５’）ヘキサンジヒドロクロリド、１，６−ジ（Ｎ１，Ｎ１’−ｏ−クロロフェニルジグアニド−Ｎ５，Ｎ５’）ヘ��サンテトラヒドロクロリド、
【０２５１】
エチレンビス（１−トリルビグアニド）、エチレンビス（ｐ−トリルビグアニド）、エチレンビス（３，５−ジメチルフェニルビグアニド）、エチレンビス（ｐ−ｔｅｒｔ−アミルフェニルビグアニド）、エチレンビス（ノニルフェニルビグアニド）、エチレンビス（フェニルビグアニド）、エチレンビス（Ｎ−ブチルフェニルビグアニド）、エチレンビス（２，５−ジエトキシフェニルビグアニド）、エチレンビス（２，４−ジメチルフェニルビグアニド）、エチレンビス（ｏ−ジフェニルビグアニド）、エチレンビス（混合アミルナフチルビグアニド）、Ｎ−ブチルエチレンビス（フェニルビグアニド）、トリメチレンビス（ｏ−トリルビグアニド）、Ｎ−ブチルトリメチレンビス（フェニルビグアニド）のようなビグアニジンおよびポリグアニジンを含むグアニジン、並びに酢酸塩、グルコン酸塩、塩酸塩、臭化水素酸塩、クエン酸塩、重亜硫酸塩、フッ化物、ポリマレイン酸塩、Ｎ−ココアルキルサルコシン酸塩、亜リン酸塩、次亜リン酸塩、ペルフルオロオクタン酸塩、ケイ酸塩、ソルビン酸塩、サリチル酸塩、マレイン酸塩、酒石酸塩、フマル酸塩、エチレンジアミン四酢酸塩、イミノ二酢酸塩、桂皮酸塩、チオシアン酸塩、アルギン酸塩、ピロメリト酸塩、テトラカルボキシ酪酸塩、安息香酸塩、グルタル酸塩、モノフルオロリン酸塩、ペルフルオロプロピオン酸塩のような対応する塩、およびそれらの望ましい混合物から選択することができる。ハロゲン化キシレンおよびクレゾール誘導体、例えばｐ−クロロメタクレゾールまたはｐ−クロロメタキシレン、および植物起源（例えば、スパイスまたはハーブ由来）、動物起源、または微生物起源の天然抗菌活性物質も好適である。抗菌界面活性第四級化合物、植物起源の天然抗菌活性物質および／または動物起源の天然抗菌活性物質、格段に好ましくは、カフェイン、テオブロミンおよびテオフィリン、並びに精油、例えばオイゲノール、チモールおよびゲラニオールからなる群から選ばれる植物起源の少なくとも１つの天然抗菌活性物質、および／または酵素、例えば乳汁由来のアルブミン、リゾチームおよびラクトペルオキシダーゼからなる群から選ばれる動物起源の少なくとも１つの天然抗菌活性物質、および／またはアンモニウム、スルホニウム、ホスホニウム、ヨードニウムもしくはアルソニウム基を有する少なくとも１つの抗菌界面活性第四級化合物、ペルオキソ化合物および塩素化合物を使用することが好ましい。微生物起源の物質、いわゆるバクテリオシンも使用することができる。グリシン、グリシン誘導体、ホルムアルデヒド、並びにホルムアルデヒド、ギ酸および過酸化物を容易に遊離する化合物を使用することが好ましい。
【０２５２】
抗菌活性物質として好適な第四級アンモニウム化合物（ＱＡＣ）については、上記に既に述べた。特に適しているのは、例えば、塩化ベンザルコニウムなどである。ベンザルコニウムハライドおよび／または置換ベンザルコニウムハライドは、例えば、Lonza社製Barquat（登録商標）、Mason社製Marquat（登録商標）、Witco/Sherex社製Variquat（登録商標）、およびLonza社製Hyamine（登録商標）、並びにLonza社製Bardac（登録商標）として市販されている。別の市販抗菌活性物質は、Ｎ−（３−クロロアリル）ヘキサミニウムクロリド、例えばDow社製Dowicide（登録商標）およびDowicil（登録商標）、塩化ベンゼトニウム、例えばRohm & Haas社製Hyamine（登録商標）1622、塩化メチルベンゼトニウム、例えばRohm & Haas社製Hyamine（登録商標）10X、塩化セチルピリジニウム、例えばMerrell Labs社製Cepacol chlorideである。
【０２５３】
本発明の製剤、例えば、特に、洗剤および洗浄剤、ケア剤またはコンディショニング剤は、場合により、処理した布地の吸水能および再湿潤性を改善するため、そして処理した布地のアイロンがけを容易にするために、アイロン助剤を含み得る。例えば、組成物にシリコーン誘導体を使用してよい。これらは、発泡防止特性を示すことから、洗剤組成物のすすぎ性を更に改善する。好ましいシリコーン誘導体は、例えば、アルキル基が１〜５個の炭素原子を有し、全体または部分的にフッ素化されている、ポリジアルキルシロキサンまたはアルキルアリールシロキサンである。好ましいシリコーンは、ポリジメチルシロキサンであり、このポリジメチルシロキサンは、場合により、誘導体化されていてよく、アミノ官能性であってよくもしくは四級化されていてよく、またはＳｉ−ＯＨ、Ｓｉ−Ｈおよび／またはＳｉ−Ｃｌ結合を有していてよい。好ましいシリコーンの２５℃での粘度は、１００〜１００，０００ｍＰａｓの範囲であり、シリコーンは、製剤全体に基づいて０．２〜５重量％の量で使用することができる。
【０２５４】
本発明の製剤、特にコンディショニング剤は、当業者によく知られているあらゆる公知の技術により得ることができる。例えば、製剤は、それらの原料から、直接混合により、必要に応じて高剪断混合装置を用いて、得ることができる。液体組成物、特にコンディショニング剤では、存在し得る任意の柔軟剤成分を溶かし、その後、その溶解物を溶媒、好ましくは、水中に分散させることが望ましい。本発明の有用な式（I）の重合性ベタインエステルまたは本発明に従ってそれらから調製可能なポリマーは、単純混合により、コンディショニング剤に一体化することができる。
【０２５５】
コンディショニング剤は、好ましくは柔軟すすぎ剤である。それらは、通常、全自動洗濯機の最終すすぎサイクルで使用される。
【０２５６】
本発明の更なる対象は、基材、特にコンディショニング基材であり、このコンディショニング基材は、本発明の製剤で含浸および／または被覆されており、従って、本発明の香料組成物および酸化剤を含む。
【０２５７】
本発明のコンディショニング基材は、主として布地処理に、特に布地乾燥処理に使用される。基材材料は、好ましくは、多孔性平パッドからなる。この多孔性平パッドは、乾燥機に使用するのに十分な熱安定性を有し、かつ製剤の漏出または滲みをほとんど生じずに物質を効果的にコンディショニングするのに十分な量の含浸またはコーティング物質を保持し得る、繊維状または多孔性軟質材料からなり得る。これらのパッドは、織ったまたは不織の合成繊維或いは天然繊維、フェルト、紙または発泡材料、例えば親水性ポリウレタンフォームでできたパッドを含む。
【０２５８】
本発明では、不織材料（フリース）でできた従来のパッドを使用することが好ましい。フリースとは、一般に、マットもしくは層状繊維構造を有する接着接合した繊維製品、または繊維が無作為にもしくは統計的配置に分布している繊維マットからなるものとして定義される。繊維は、天然繊維、例えば羊毛、絹、ジュート、麻、綿、リネン、サイザルもしくはラミー；または合成繊維、例えばレーヨン、セルロースエステル、ポリビニル誘導体、ポリオレフィン、ポリアミドもしくはポリエステルであってよい。一般に、いずれの繊維径または繊維価も本発明に好適である。全方向に優れた強度を与える、不織材料中の繊維の無作為または統計的配置から、本発明の不織材料は、例えば通常の家庭用回転式乾燥機に使用したときに、破れにくく、または分解しにくい。本発明の基材として好適な不織物質の例は、例えば、ＷＯ  ９３／２３６０３より知られている。好ましい洗浄用多孔性平パッドは、１種類のまたは異なる繊維材料、特に綿、加工綿、ポリアミド、ポリエステルまたはこれらの混合物からなる。好適には、パッド状の洗浄基材は、１０〜５，０００ｃｍ２、好ましくは５０〜２，０００ｃｍ２、特に１００〜１，５００ｃｍ２、特に好ましくは２００〜１，０００ｃｍ２の面積を有する。単位面積あたりの材料の重量は、通常２０〜１，０００ｇ／ｍ２、好ましくは３０〜５００ｇ／ｍ２、特に５０〜１５０ｇ／ｍ２である。コンディショニング基材は、本発明の製剤、即ちコンディショニング剤を基材上に、浸漬または含浸させることにより、或いは溶かすことにより得ることができる。
【０２５９】
本発明の更なる対象は、布地コンディショニング処理、例えば、最終すすぎ処理、布地乾燥処理、および布地ドライクリーニング処理または布地リフレッシュ処理における、本発明のコンディショニング剤または本発明のコンディショニング基材の使用である。
【０２６０】
本発明の好ましい製剤は、好ましくは界面活性剤並びに更なる通常の洗剤および洗浄剤成分を含む、液体洗剤である。例えば、本発明の好適な液体洗剤は、増粘剤系として、ａ）０．１〜５重量％の高分子増粘剤、ｂ）０．５〜７重量％のホウ素化合物、およびｃ）１〜８重量％の錯化剤を含み得る。
【０２６１】
本発明では、界面活性剤含有量が３５重量％を超える高粘度の水性液体洗剤が好ましい。
【０２６２】
膨潤剤とも称される好適な増粘剤、例えば、アルギン酸塩または寒天などについては、上記に既に述べた。好ましい水性液体洗剤は、増粘系として０．２〜４重量％、好ましくは０．３〜３重量％、特に０．４〜１．５重量％の多糖類を含む。
【０２６３】
好ましく使用される高分子増粘剤の１つは、Ｘａｎｔｈｏｍｏｎａｓ  ｃａｍｐｅｓｔｒｉｓや他のいくつかの種によって好気性条件下で生産され、分子量が２〜１５百万ダルトンの、微生物アニオン性ヘテロ多糖類であるキサンタンである。キサンタンは、側鎖含有β−１，４−結合グルコース（セルロース）を有する鎖から形成される。サブグループの構造は、グルコース、マンノース、グルクロン酸、アセテートおよびピルベートからなり、ここで、ピルベート単位の数はキサンタンの粘度を決定する。
【０２６４】
本発明の液体洗剤は、ホウ素化合物を含むことが好ましく、このホウ素化合物は０．５〜７重量％の量で使用される。本発明で使用することができるホウ素化合物の例は、ホウ酸、酸化ホウ素、アルカリ金属ホウ酸塩、例えばオルト−、メタ−およびピロホウ酸のアンモニウム塩、ナトリウム塩およびカリウム塩、異なる水和状態のホウ砂、並びにポリホウ酸塩、例えば、アルカリ金属ペンタホウ酸塩などである。
ホウ酸エステルのような有機ホウ素化合物も使用することができる。
【０２６５】
好ましい液体洗剤は、０．５〜４重量％、好ましくは０．７５〜３重量％、特に１〜２重量％のホウ酸および／またはテトラホウ酸ナトリウムを含む。
【０２６６】
更に、本発明の液体洗剤は、１〜８重量％の錯化剤を含み得る。特に好ましい液体洗剤は、クエン酸またはクエン酸ナトリウムを含む。２．０〜７．５重量％、好ましくは３．０〜６．０重量％、特に４．０〜５．０重量％のクエン酸ナトリウムを含む液体洗剤が好ましい。
【０２６７】
本発明の液体洗剤は、他成分に加えて、好ましくは界面活性剤を含み、そのようなケースでは、アニオン性、非イオン性、カチオン性および／または両性界面活性剤が使用される。用途的には、アニオン性界面活性剤と非イオン性界面活性剤との混合物が好ましく、この場合、非イオン性界面活性剤の割合はアニオン性界面活性剤の割合より高いことが好ましい。糖および／または糖誘導体、例えば、アルキルポリグルコシドまたはシクロデキストリンを使用することもできる。
【０２６８】
明らかに、本発明の液体洗剤は、本発明に従った方法で酸化剤および香料を含む。本発明の液体洗剤はまた、本発明に従ったものとして本明細書に記載した製剤にあてはまる。
【実施例１】
【０２６９】
以下の組成の液体洗剤を調製した。重量パーセントは常に製剤全体に関する。
１６．５重量％の直鎖アルキルベンゼンスルホネート、
１０重量％のＣ１２−１８脂肪アルコール＋７エトキシ単位、
１重量％の１−ヒドロキシエタン−１，１−ジホスホン酸、
３重量％のクエン酸ナトリウム、
８重量％の硫酸ナトリウム、
活性物質に基づいて３重量％のＰＡＰ顆粒、
０．２５重量％のキサンタンガム、
１．３重量％の香料混合物（実施例２または３参照）、
１００％とするまでの水。
５０％ＮａＯＨを添加することによって、ｐＨを５．０に調整した。
【実施例２】
【０２７０】
本発明に従う実施例
各々の場合に香料全量に基づいた重量％で表して、含まれる香料の５０重量％超が下記物質の少なくとも１つに挙げられ得る香料から選択されるように、実施例１の組成物を、本発明の香料を含む香油を用いて芳香付けした：
・飽和アルコール、
・飽和エステル、
・飽和エーテル、
・飽和置換基含有芳香族化合物、
・ニトリル、
・飽和アセタール、
・飽和ヘミアセタール。
【実施例３】
【０２７１】
比較実施例
実施例１の組成物を、とりわけ下記物質を含む、洗剤に典型的な通常の香油IIを用いて芳香付けした：
１４．７重量％のイソＥスーパー（２−アセチル−１，２，３，４，６，７，８，８Ａ−オクタヒドロ−２，３，８，８−テトラメチルナフタレン）、
１２．５重量％のＰＴＢＣＡ  ２５  シス（６８％のトランス−４−tert−ブチルシクロヘキシルアセテート／３２％のシス−４−tert−ブチルシクロヘキシルアセテート）、
８．０重量％のジヒドロミルセノール、
６．０重量％のハバノリド（オキサシクロヘキサデセン−２−オン）、
５重量％のフェニルエチルアルコール、
３．０重量％ＯＴＢＣＡ（８５％のシス−２−tert−ブチルシクロヘキシルアセテート／１５％のトランス−２−tert−ブチルシクロヘキシルアセテート）、
２．０重量％のＶｅｒｔｏｆｉｘ  Ｃｏｅｕｒ（ワコルダー、シダーウッド、抽出物、アセチル化、［３Ｒ−（３．α，３ａβ，７．β，８ａα）］−１−（２，３，４，７，８，８ａ−ヘキサヒドロ−３，６，８，８−テトラメチル−１Ｈ−３ａ，７−メタノアズレン−５−イル）エタン−１−オン）、
１．５重量％のシトロニトリル、
４．０重量％のアルデヒドＣ１４ｓｏｇ．（γ−ウンデカラクトン）、
１６．８重量％のジプロピレングリコール、
１２．４重量％のＬｉｌｉａｌ（２−メチル−３−（４−tert−ブチルフェニル）−プロピオンアルデヒド）、
４．３重量％のヘキシルシンナムアルデヒド、
２．３重量％のＢａｃｄａｎｏｌ（２−エチル−４−（２，２，３−トリメチ−３−シクロペンテン−１−イル）−２−ブテン−１−オール、
２．１重量％のＬｙｒａｌ（４（４−メチル−４−ヒドロキシペンチル）シクロヘキセン−１−カルボキシアルデヒド）、
１．９重量％のイソオイゲノール（２−メトキシ−４−プロペニルフェノール）、
０．５重量％のアルデヒドＣ０８（オクタナール）。
全ての重量％は、香油II全体に基づく。
【実施例４】
【０２７２】
経時的な芳香効果の発現の評価
芳香効果の経時的な発現を、３人の調香師が嗅ぐことによって、２５℃で、４週間にわたって評価した。ここで、本発明の組成物、即ち実施例２の香料を含む実施例１の液体洗剤は、その期間中、香りを変えないことがわかった。しかしながら、比較組成物、即ち実施例３の通常の洗剤用香料を含む実施例１の液体洗剤は、その芳香故に洗濯または販売にもはや適当ではないと判断されるであろう不快な臭いがした。
【実施例５】
【０２７３】
漂白剤の安定性の測定
漂白剤ＰＡＰの保持の程度を、本発明の組成物、即ち実施例２の香料を含む実施例１の液体洗剤（本発明の洗剤Ａに相当）および比較組成物、即ち実施例３の通常の洗剤用香料を含む実施例１の液体洗剤（比較洗剤Ｂに相当）について、４週間にわたって、２５℃で貯蔵して、１週間間隔で評価した。
【０２７４】
漂白剤の含有量は、ヨード滴定によって測定した。初期濃度（３％絶対濃度）を１００％とした。２５℃での様々な貯蔵期間（週単位）後の漂白剤の濃度（％単位）を、以下の表に示す。
【表１】
2009516034.tif 000014
【０２７５】
比較洗剤Ｂは、実施例３の通常の香料の存在下、漂白剤を劇的に減少させた。本発明の香料を含む（本発明に従う）洗剤Ａでは、意外にも、良好な安定性が見られた。
【国際調査報告】
2009516034.tif 000015
2009516034.tif 000016
2009516034.tif 000017
2009516034.tif 000018
2009516034.tif 000019
2009516034.tif 000020